(57)【要約】  アダプタ装置（２００）において、無線通信回路（２５）は映像音声信号をアダプタ装置（３００）に無線送信する一方、ＨＰＤパルス信号をアダプタ装置（３００）から受信し、コントローラ（１０）は、ＨＰＤパルス信号をＨＰＤ信号に変換してＤＶＤプレーヤ（１００）に出力することにより、所定の初期化処理を実行するようにＤＶＤプレーヤ（１００）を制御する。アダプタ装置（３００）において、無線通信回路（５５）は、映像音声信号をアダプタ装置（２００）から受信する一方、ＨＰＤパルス信号をアダプタ装置（２００）に無線送信し、コントローラ（５０）は、ＨＰＤパルス信号をアダプタ装置（３００）に無線送信するように無線通信回路（５５）を制御することにより、所定の初期化処理を実行するようにＤＶＤプレーヤ（１００）を制御する。
2007037478.tif 000002
【特許請求の範囲】
【請求項１】
信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する一方、上記第１の初期化信号を含む第２の無線信号を上記第２の無線通信装置から受信する第１の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする無線通信装置。
【請求項２】
上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第１の無線通信手段を制御することを特徴とする請求項１記載の無線通信装置。
【請求項３】
上記第１の制御手段は、第２の初期化信号を含む第３の無線信号を上記第２の無線通信装置に無線送信するように上記第１の無線通信手段を制御することにより、所定の第２の初期化処理を実行するように上記第２の無線通信装置に接続された信号シンク装置を制御することを特徴とする請求項２記載の無線通信装置。
【請求項４】
上記第１の制御手段は、上記第３の無線信号を上記第２の無線通信装置に無線送信するように上記第１の無線通信手段を制御した後、上記第１の初期化信号を上記信号ソース装置に出力することを特徴とする請求項３記載の無線通信装置。
【請求項５】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項１乃至４のうちのいずれか１つに記載の無線端末装置。
【請求項６】
上記映像信号及び上記第１の初期化信号とその伝送手順は、ＤＶＩ（Digital Visual Interface）規格に準拠したことを特徴とする請求項１乃至４のうちのいずれか１つに記載の無線端末装置。
【請求項７】
少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する一方、上記第１の初期化信号を第２の無線信号として上記第１の無線通信装置に無線送信する第２の無線通信手段と、
上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備えたことを特徴とする無線通信装置。
【請求項８】
上記第２の制御手段は、上記第１の無線通信装置と第２の無線通信装置との間の通信異常を検出した場合、上記第１の初期化信号を上記第２の無線信号として上記第１の無線通信装置に無線送信するように上記第２の無線通信手段を制御することを特徴とする請求項７記載の無線通信装置。
【請求項９】
上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする請求項８記載の無線通信装置。
【請求項１０】
上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第２の無線通信手段を制御することを特徴とする請求項７乃至９のいずれか１つに記載の無線通信装置。
【請求項１１】
上記第２の無線通信装置は信号シンク装置に接続され、
上記第２の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする請求項７乃至１０のいずれか１つに記載の無線通信装置。
【請求項１２】
上記第２の制御手段は、上記第２の初期化信号を上記信号シンク装置に出力した後、上記第１の初期化信号を含む上記第２の無線信号を上記第１の無線通信装置に無線送信するように上記第２の無線通信手段を制御することを特徴とする請求項１１記載の無線通信装置。
【請求項１３】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項７乃至１２のうちのいずれか１つに記載の無線端末装置。
【請求項１４】
上記映像信号及び上記第１の初期化信号とその伝送手順は、ＤＶＩ（Digital Visual Interface）規格に準拠したことを特徴とする請求項７乃至１２のうちのいずれか１つに記載の無線端末装置。
【請求項１５】
信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する第１の無線通信手段と、
上記第１の初期化信号を含む第２の無線信号を上記第２の無線通信装置から受信する第２の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする無線通信装置。
【請求項１６】
上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第２の無線通信手段を制御することを特徴とする請求項１５記載の無線通信装置。
【請求項１７】
上記第１の制御手段は、第２の初期化信号を含む第３の無線信号を上記第２の無線通信装置に無線送信するように上記第２の無線通信手段を制御することにより、所定の第２の初期化処理を実行するように上記第２の無線通信装置に接続された信号シンク装置を制御することを特徴とする請求項１６記載の無線通信装置。
【請求項１８】
上記第１の制御手段は、上記第３の無線信号を上記第２の無線通信装置に無線送信するように上記第２の無線通信手段を制御した後、上記第１の初期化信号を上記信号ソース装置に出力することを特徴とする請求項１７記載の無線通信装置。
【請求項１９】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項１５乃至１８のうちのいずれか１つに記載の無線端末装置。
【請求項２０】
上記映像信号及び上記第１の初期化信号とその伝送手順は、ＤＶＩ（Digital Visual Interface）規格に準拠したことを特徴とする請求項１５乃至１８のうちのいずれか１つに記載の無線端末装置。
【請求項２１】
少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する第３の無線通信手段と、
上記第１の初期化信号を第２の無線信号として上記第１の無線通信装置に無線送信する第４の無線通信手段と、
上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備えたことを特徴とする無線通信装置。
【請求項２２】
上記第２の制御手段は、上記第１の無線通信装置と第２の無線通信装置との間の通信異常を検出した場合、上記第１の初期化信号を上記第２の無線信号として上記第１の無線通信装置に無線送信するように上記第４の無線通信手段を制御することを特徴とする請求項２１記載の無線通信装置。
【請求項２３】
上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする請求項２２記載の無線通信装置。
【請求項２４】
上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第４の無線通信手段を制御することを特徴とする請求項２１乃至２３のいずれか１つに記載の無線通信装置。
【請求項２５】
上記第２の無線通信装置は信号シンク装置に接続され、
上記第４の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする請求項２１乃至２４のいずれか１つに記載の無線通信装置。
【請求項２６】
上記第２の制御手段は、上記第２の初期化信号を上記信号シンク装置に出力した後、上記第１の初期化信号を含む上記第２の無線信号を上記第１の無線通信装置に無線送信するように上記第４の無線通信手段を制御することを特徴とする請求項２５記載の無線通信装置。
【請求項２７】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項２１乃至２６のうちのいずれか１つに記載の無線端末装置。
【請求項２８】
上記映像信号及び上記第１の初期化信号とその伝送手順は、ＤＶＩ（Digital Visual Interface）規格に準拠したことを特徴とする請求項２１乃至２６のうちのいずれか１つに記載の無線端末装置。
【請求項２９】
請求項１乃至４のうちのいずれか１つに記載の無線通信装置である第１の無線通信装置と、請求項７乃至１２のうちのいずれか１つに記載の無線通信装置である第２の無線通信装置とを備えたことを特徴とする無線伝送システム。
【請求項３０】
請求項１５乃至１８のうちのいずれか１つに記載の無線通信装置である第１の無線通信装置と、請求項２１乃至２６のうちのいずれか１つに記載の無線通信装置である第２の無線通信装置とを備えたことを特徴とする無線伝送システム。
【発明の詳細な説明】
【技術分野】
【０００１】
本発明は、無線通信装置及び無線伝送システムに関し、特に、ＤＶＤプレーヤやセットトップボックスなどの信号ソース装置が出力する映像信号や音声信号を、ディジタルテレビなどの信号シンク装置に無線伝送するための無線通信装置及び無線伝送システムに関する。
【背景技術】
【０００２】
従来、ＤＶＤプレーヤなどの信号ソース装置から、プラズマディスプレイ装置（以下、ＰＤＰ装置という。）などの信号シンク装置に、映像信号を伝送するためのインターフェース規格として、ＤＶＩ（Digital Visual Interface）規格がある。ＤＶＩ規格に準拠したディジタルデータ伝送バスであるＤＶＩケーブルを介して伝送されるデータはディジタルデータであるので、アナログデータ伝送と比較するとノイズに強く高画質化が行える利点がある。また、ＤＶＩ規格に準拠した信号を送受信する信号ソース装置であるＤＶＩソース装置と、ＤＶＩ規格に準拠した信号を送受信する信号シンク装置であるＤＶＩシンク装置とを備えて構成される従来技術に係るＤＶＩシステムにおいて、ＤＶＤプレーヤやセットトップボックス等のＤＶＩソース装置と、液晶表示装置やディジタルテレビジョン装置等のＤＶＩシンク装置とは、ＤＶＩケーブル及び音声信号を伝送するための音声ケーブルで接続される。さらに、ＤＶＩ規格では、映像信号の他に、信号ソース装置を初期化するために信号シンク装置から信号ソース装置に伝送される初期化信号であるＨＰＤ（Hot Plug Detect）信号及び信号ソース装置から信号シンク装置への電源供給タイミングを示す信号である５Ｖ電圧信号等の制御信号が伝送される。【０００３】
近年、ＤＶＩ規格を拡張した次世代ディジタルテレビ向けのインターフェース規格として、１本のケーブルで映像信号と音声信号とを伝送するＨＤＭＩ（High Definition Multimedia Interface）規格が開発され、ＨＤＭＩ規格を採用したＡＶ機器が市場に普及し始めている。ＨＤＭＩ規格に準拠した信号を送受信する信号ソース装置であるＨＤＭＩソース装置と、ＨＤＭＩ規格に準拠した信号を送受信する信号シンク装置であるＨＤＭＩシンク装置とを備えて構成される従来技術に係るＨＤＭＩシステムにおいて、ＤＶＤプレーヤやセットトップボックス等のＨＤＭＩソース装置と、液晶表示装置やディジタルテレビジョン装置等のＨＤＭＩシンク装置とは、ＨＤＭＩ規格に準拠したディジタルデータ伝送バスである１本のＨＤＭＩケーブルで接続される。従って、映像信号と音声信号を伝送するには複数のケーブルが必要とされるＤＶＩシステムに比較して、ＡＶ機器間の配線を簡単化できる利点がある。また、ＨＤＭＩ規格でもＤＶＩ規格と同様、映像信号及び音声信号の他に、上記のＨＰＤ信号及び５Ｖ電圧信号等の制御信号が伝送される。さらに、ＤＶＩ規格に準拠したデータ端子であるＤＶＩ端子と、ＨＤＭＩ規格に準拠したデータ端子でありＨＤＭＩ端子とを接続するための変換コネクタも市販されており、この変換コネクタを使用して、ＨＤＭＩソース装置とＤＶＩシンク装置、又は、ＤＶＩソース装置とＨＤＭＩシンク装置とをそれぞれ接続することができる。ＨＤＭＩ規格はＤＶＩ規格を包含する。【０００４】
また、特許文献１には、映像信号と音声信号とを光無線通信によって伝送する伝送システムが開示されている。【０００５】
【特許文献１】特開２００５−１０２１６１号公報。
【発明の開示】
【発明が解決しようとする課題】
【０００６】
しかしながら、上記の従来技術に係るＤＶＩシステム及びＨＤＭＩシステムでは、信号ソース装置が壁掛けタイプのテレビジョン装置や天井に設置されたプロジェクタ装置である場合には、信号ソース装置と信号シンク装置とを接続するＤＶＩケーブル及び音声ケーブル又はＨＤＭＩケーブルを壁伝いに配線しなければならず手間がかかり、外観上も好ましくないという問題があった。また、機器どうしを接続するＤＶＩケーブル及び音声ケーブル又はＨＤＭＩケーブルの長さによって、機器の設置場所や取り回し範囲が制約をうけるという問題があった。さらに、ＡＶ機器の操作に不慣れなユーザにとっては、複数あるＡＶ機器間をそれぞれ正しくケーブル接続することが難しいという問題があった。【０００７】
また、特許文献１は、光無線通信によって映像信号及び音声信号を伝送する伝送システムを開示しているが、ＨＰＤ信号及び５Ｖ電圧信号等の制御信号を伝送するためのケーブルを用いてＡＶ機器間を接続する必要があり、従来技術に係るＤＶＩシステム及びＨＤＭＩシステムと同様の問題を有していた。【０００８】
本発明の目的は以上の問題を解決し、従来技術と比較して信号ソース装置及び信号シンク装置の設置場所の自由度を高めることができ、信号ソース装置と信号シンク装置との間の接続を、ケーブルを用いることなく簡単化できる無線通信装置及びそれを用いた無線伝送システムを提供することにある。
【課題を解決するための手段】
【０００９】
第１の発明に係る無線通信装置は、信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する一方、上記第１の初期化信号を含む第２の無線信号を上記第２の無線通信装置から受信する第１の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする。【００１０】
上記無線通信装置において、上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第１の無線通信手段を制御することを特徴とする。【００１１】
また、上記無線通信装置において、上記第１の制御手段は、第２の初期化信号を含む第３の無線信号を上記第２の無線通信装置に無線送信するように上記第１の無線通信手段を制御することにより、所定の第２の初期化処理を実行するように上記第２の無線通信装置に接続された信号シンク装置を制御することを特徴とする。【００１２】
さらに、上記無線通信装置において、上記第１の制御手段は、上記第３の無線信号を上記第２の無線通信装置に無線送信するように上記第１の無線通信手段を制御した後、上記第１の初期化信号を上記信号ソース装置に出力することを特徴とする。【００１３】
またさらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。【００１４】
また、上記無線通信装置において、上記映像信号及び上記第１の初期化信号とその伝送手順は、ＤＶＩ規格に準拠したことを特徴とする。【００１５】
第２の発明に係る無線通信装置は、少なくとも映像信号を含む第１の信号を受信し、第２の初期化信号を含む第１の信号を送信する第２の無線通信装置である無線通信装置であって、
上記第１の信号を含む第１の無線信号を第１の無線通信装置から受信する一方、上記第１の初期化信号を第２の無線信号として上記第１の無線通信装置に無線送信する第２の無線通信手段と、
上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備えたことを特徴とする。【００１６】
上記無線通信装置において、上記第２の制御手段は、上記第１の無線通信装置と第２の無線通信装置との間の通信異常を検出した場合、上記第１の初期化信号を上記第２の無線信号として上記第１の無線通信装置に無線送信するように上記第２の無線通信手段を制御することを特徴とする。【００１７】
また、上記無線通信装置において、上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする。【００１８】
さらに、上記無線通信装置において、上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第２の無線通信手段を制御することを特徴とする。【００１９】
またさらに、上記無線通信装置において、上記第２の無線通信装置は信号シンク装置に接続され、
上記第２の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする。【００２０】
また、上記無線通信装置において、上記第２の制御手段は、上記第２の初期化信号を上記信号シンク装置に出力した後、上記第１の初期化信号を含む上記第２の無線信号を上記第１の無線通信装置に無線送信するように上記第２の無線通信手段を制御することを特徴とする。【００２１】
さらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。【００２２】
またさらに、上記無線通信装置において、上記映像信号及び上記第１の初期化信号とその伝送手順は、ＤＶＩ規格に準拠したことを特徴とする。【００２３】
第３の発明に係る無線通信装置は、信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する第１の無線通信手段と、
上記第１の初期化信号を含む第２の無線信号を上記第２の無線通信装置から受信する第２の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする。【００２４】
上記無線通信装置において、上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第２の無線通信手段を制御することを特徴とする。【００２５】
また、上記無線通信装置において、上記第１の制御手段は、第２の初期化信号を含む第３の無線信号を上記第２の無線通信装置に無線送信するように上記第２の無線通信手段を制御することにより、所定の第２の初期化処理を実行するように上記第２の無線通信装置に接続された信号シンク装置を制御することを特徴とする。【００２６】
さらに、上記無線通信装置において、上記第１の制御手段は、上記第３の無線信号を上記第２の無線通信装置に無線送信するように上記第２の無線通信手段を制御した後、上記第１の初期化信号を上記信号ソース装置に出力することを特徴とする。【００２７】
またさらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。【００２８】
また、上記無線通信装置において、上記映像信号及び上記第１の初期化信号とその伝送手順は、ＤＶＩ規格に準拠したことを特徴とする。【００２９】
第４の発明に係る無線通信装置は、少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する第３の無線通信手段と、
上記第１の初期化信号を第２の無線信号として上記第１の無線通信装置に無線送信する第４の無線通信手段と、
上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備えたことを特徴とする。【００３０】
上記無線通信装置において、上記第２の制御手段は、上記第１の無線通信装置と第２の無線通信装置との間の通信異常を検出した場合、上記第１の初期化信号を上記第２の無線信号として上記第１の無線通信装置に無線送信するように上記第４の無線通信手段を制御することを特徴とする。【００３１】
また、上記無線通信装置において、上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする。【００３２】
さらに、上記無線通信装置において、上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第４の無線通信手段を制御することを特徴とする。【００３３】
またさらに、上記無線通信装置において、上記第２の無線通信装置は信号シンク装置に接続され、
上記第４の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする。【００３４】
また、上記無線通信装置において、上記第２の制御手段は、上記第２の初期化信号を上記信号シンク装置に出力した後、上記第１の初期化信号を含む上記第２の無線信号を上記第１の無線通信装置に無線送信するように上記第４の無線通信手段を制御することを特徴とする。【００３５】
さらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。【００３６】
またさらに、上記無線通信装置において、上記映像信号及び上記第１の初期化信号とその伝送手順は、ＤＶＩ規格に準拠したことを特徴とする。【００３７】
第５の発明に係る無線伝送システムは上記の第１の発明に係る無線通信装置である第１の無線通信装置と、上記の第２の発明に係る無線通信装置である第２の無線通信装置とを備えたことを特徴とする。【００３８】
第６の発明に係る無線伝送システムは上記の第３の発明に係る無線通信装置である第１の無線通信装置と、上記の第４の発明に係る無線通信装置である第２の無線通信装置とを備えたことを特徴とする。
【発明の効果】
【００３９】
第１の発明に係る第１の無線通信装置によれば、信号ソース装置からの少なくとも映像信号を含む第１の信号を第１の無線信号として第２の無線通信装置に無線送信する一方、第１の初期化信号を含む第２の無線信号を上記第２の無線通信装置から受信する第１の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。【００４０】
第２の発明に係る第２の無線通信装置によれば、少なくとも映像信号を含む第１の信号を含む第１の無線信号を第１の無線通信装置から受信する一方、第１の初期化信号を第２の無線信号として上記第１の無線通信装置に無線送信する第２の無線通信手段と、上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線受信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。【００４１】
第３の発明に係る第１の無線通信装置によれば、信号ソース装置からの少なくとも映像信号を含む第１の信号を第１の無線信号として第２の無線通信装置に無線送信する第１の無線通信手段と、第１の初期化信号を含む第２の無線信号を上記第２の無線通信装置から受信する第２の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。【００４２】
第４の発明に係る第２の無線通信装置によれば、少なくとも映像信号を含む第１の信号を含む第１の無線信号を第１の無線通信装置から受信する第３の無線通信手段と、第１の初期化信号を第２の無線信号として上記第１の無線通信装置に無線送信する第４の無線通信手段と、上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線受信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。【００４３】
第５の発明に係る無線伝送システムによれば、第１の発明に係る第１の無線通信装置と、第２の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。【００４４】
第６の発明に係る無線伝送システムによれば、第３の発明に係る第１の無線通信装置と、第４の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。
【図面の簡単な説明】
【００４５】
【図１】本発明の第１の実施形態に係る、ＤＶＤプレーヤ１００と、アダプタ装置２００及び３００と、ＰＤＰ装置４００とを含む無線伝送システムの構成を示すブロック図である。
【図２】図１の無線伝送システムの第１の動作例を示すシーケンス図である。
【図３】図１の無線伝送システムの第２の動作例を示すシーケンス図である。
【図４】図１の無線伝送システムの第３の動作例を示すシーケンス図である。
【図５】図１の無線伝送システムの第４の動作例を示すシーケンス図である。
【図６】図１の無線伝送システムの第５の動作例を示すシーケンス図である。
【図７】図１のＤＶＤプレーヤ１００によって発生されてアダプタ装置２００に出力される５Ｖ電圧信号を示すグラフ（ａ）と、図１のアダプタ装置２００によって発生されてアダプタ装置３００に無線送信される５Ｖパルス信号を示すグラフ（ｂ）と、図１のアダプタ装置３００によって発生されてＰＤＰ装置４００に出力される５Ｖ電圧信号を示すグラフ（ｃ）である。
【図８】図１のＰＤＰ装置４００によって発生されてアダプタ装置３００に出力されるＨＰＤ信号を示すグラフ（ａ）と、図１のアダプタ装置３００によって発生されてアダプタ装置２００に無線送信されるＨＰＤパルス信号を示すグラフ（ｂ）と、図１のアダプタ装置２００によって発生されてＤＶＤプレーヤ１００に出力されるＨＰＤ信号を示すグラフ（ｃ）である。
【図９】本発明の第２の実施形態に係る、ＤＶＤプレーヤ１００と、アダプタ装置２００Ａ及び３００Ａと、ＰＤＰ装置４００とを含む無線伝送システムの構成を示すブロック図である。
【図１０】本発明の第３の実施形態に係る、ＤＶＤプレーヤ１００Ａと、アダプタ装置２００Ｂ及び３００Ｂと、ＰＤＰ装置４００Ａとを含む無線伝送システムの構成を示すブロック図である。
【図１１】本発明の第４の実施形態に係る、ＤＶＤプレーヤ１００Ａと、アダプタ装置２００Ｃ及び３００Ｃと、ＰＤＰ装置４００Ａとを含む無線伝送システムの構成を示すブロック図である。
【符号の説明】
【００４６】
１０，５０，１１０，４１０…コントローラ、
１１，５１，１１１，４１１…ＣＰＵ、
１２，５２，１１２，４１２…ＲＡＭ、
１３，５３，１１３，４１３…ＲＯＭ、
１４，５４，１１４，４１５…バス、
２１，２１Ａ，５７，１５０，１５０Ａ，４５０，４５０Ａ…インターフェース、
２２…５Ｖパルス信号発生回路、
２３…ＨＰＤ信号発生回路、
２４，７４…映像音声信号処理回路、
２４Ａ，７４Ａ…映像信号処理回路、
２５，２５Ａ，２５Ｂ，２７，２７Ａ，５５，５５Ａ，５５Ｂ，５７，５７Ａ…無線通信回路、
２６，２８，５６，５８…アンテナ、
７２…５Ｖ電圧信号発生回路、
７３…ＨＰＤパルス信号発生回路、
７５…無画像無音信号発生回路、
７５Ａ…無画像信号発生回路、
１００，１００Ａ…ＤＶＤプレーヤ、
１０１，２０１，３０１，４０１…ＨＤＭＩ端子、
１０１Ａ，２０１Ａ，３０１Ａ，４０１Ａ…ＤＶＩ端子、
１０２…スピーカ、
１２０…デコーダ、
１２１，４５３…音声信号処理回路、
１３０…ＤＶＤドライブ、
１４０…ＤＶＤ、
２００，２００Ａ，２００Ｂ，２００Ｃ，３００，３００Ａ，３００Ｂ，３００Ｃ…アダプタ装置、
４００，４００Ａ…ＰＤＰ装置、
４１４…ＥＤＩＤメモリ、
４５１…映像信号処理回路、
４５２…ディスプレイ、
４５４…スピーカ、
５０１，５０２…ＨＤＭＩケーブル、
５０１Ａ，５０２Ａ…ＤＶＩケーブル。
【発明を実施するための最良の形態】
【００４７】
以下、本発明に係る実施形態について図面を参照して説明する。なお、同様の構成要素については同一の符号を付している。【００４８】
第１の実施形態．
図１は、本発明の第１の実施形態に係る、ＤＶＤプレーヤ１００と、アダプタ装置２００及び３００と、ＰＤＰ（Plasma Display Panel）装置４００とを含む無線伝送システムの構成を示すブロック図である。図１の無線伝送システムは、ＤＶＤプレーヤ１００からの映像音声信号及び第２の初期化信号である５Ｖ電圧信号をアダプタ装置２００及び３００を介してＰＤＰ装置４００に伝送する一方、ＰＤＰ装置４００からの第１の初期化信号であるＨＰＤ信号をアダプタ装置３００及び２００を介してＤＶＤプレーヤ１００に伝送する。【００４９】
ここで、ＤＶＤプレーヤ１００は、ＨＤＭＩ規格に準拠した信号を送受信する信号ソース装置であるＨＤＭＩソース装置であり、ＤＶＤプレーヤ１００のＨＤＭＩ端子１０１、ＨＤＭＩケーブル５０１及びアダプタ装置２００のＨＤＭＩ端子２０１を介してアダプタ装置２００に接続される。また、ＰＤＰ装置４００はＨＤＭＩ規格に準拠した信号を送受信する信号シンク装置であるＨＤＭＩシンク装置であり、ＰＤＰ装置４００のＨＤＭＩ端子４０１、ＨＤＭＩケーブル５０２及びアダプタ装置３００のＨＤＭＩ端子３０１を介してアダプタ装置３００に接続される。さらに、アダプタ装置２００とアダプタ装置３００とは、アダプタ装置２００のアンテナ２６とアダプタ装置３００のアンテナ５６とを介して無線接続される。【００５０】
なお、ＨＤＭＩ端子１０１，２０１，３０１及び４０１はそれぞれ、ＨＤＭＩ規格に準拠したデータ端子である。また、ＨＤＭＩケーブル５０１及び５０２はそれぞれ、ＨＤＭＩ規格に準拠したディジタルデータ伝送バスであり、映像音声信号を伝送するための複数の信号線と、５Ｖ電圧信号を伝送するための５Ｖ電圧信号線と、ＨＰＤ信号を伝送するためのＨＰＤ信号線とを含む。ここで、５Ｖ電圧信号は、ＨＤＭＩ規格及びＤＶＩ規格において定義されており、信号ソース装置から信号シンク装置への電源供給タイミングを示す信号であり、ＤＶＤプレーヤ１００などの信号ソース装置によって発生されて、ＰＤＰ装置４００などの信号シンク装置に出力される。これに応答して、信号シンク装置は、所定の初期化処理を実行する。ＨＰＤ信号は、ＨＤＭＩ規格及びＤＶＩ規格において定義されており、信号シンク装置において５Ｖ電圧信号を受信し所定の初期化処理を終了した場合、又は信号シンク装置から信号ソース装置に初期化要求を行った場合に、信号ソース装置を初期化するために信号シンク装置から信号ソース装置に伝送される初期化信号である。信号ソース装置は、ＨＤＭＩケーブル又はＤＶＩケーブルのＨＰＤ信号線の電圧レベルの変化を検出することにより、ＨＰＤ信号の受信を判定し、所定の初期化処理を実行する。【００５１】
ここで、詳細後述するように、アダプタ装置２００は、ＤＶＤプレーヤ１００からの映像音声信号を含む第１の信号である第１の信号を映像音声無線信号としてアダプタ装置３００に無線送信する一方、ＨＰＤ信号を含むＨＰＤパルス信号をアダプタ装置３００から受信する無線通信回路２５と、ＨＰＤパルス信号をＨＰＤ信号に変換してＤＶＤプレーヤ１００に出力することにより、所定の初期化処理を実行するようにＤＶＤプレーヤ１００を制御するコントローラ１０とを備えたことを特徴とする。また、詳細後述するように、アダプタ装置３００は、映像音声信号を含む映像音声無線信号をアダプタ装置２００から受信する一方、ＨＰＤ信号をＨＰＤパルス信号としてアダプタ装置２００に無線送信する無線通信回路５５と、ＨＰＤ信号をＨＰＤパルス信号としてアダプタ装置２００に無線送信するように無線通信回路５５を制御することにより、所定の初期化処理を実行するようにアダプタ装置２００に接続されたＤＶＤプレーヤ１００を制御するコントローラ５０とを備えたことを特徴とする。【００５２】
図１において、ＤＶＤプレーヤ１００は、コントローラ１１０と、デコーダ１２０と、ＤＶＤドライブ１３０と、ＤＶＤ１４０と、インターフェース１５０と、ＨＤＭＩ端子１０１とを備えて構成される。ここで、コントローラ１１０と、デコーダ１２０と、ＤＶＤドライブ１３０と、インターフェース１５０とはコントローラ１１０のバス１１４を介して互いに接続される。【００５３】
ＤＶＤプレーヤ１００において、コントローラ１１０は、ＤＶＤプレーヤ１００の全体の動作を制御するためのコントローラであって、互いにバス１１４を介して接続されるＣＰＵ（Central Processing Unit；以下、ＣＰＵという。）１１１と、ＲＡＭ（Random Access Memory；以下、ＲＡＭという。）１１２と、ＲＯＭ（Read Only Memory；以下、ＲＯＭという。）１１３とを備えて構成される。ＣＰＵ１１１は、ＤＶＤプレーヤ１００の全体の動作を制御するコンピュータであって、種々のソフトウェアのプログラム等を実行する。また、ＲＯＭ１１３は、ＤＶＤプレーヤ１００の動作に必要な種々のソフトウェア及び、ＣＰＵ１１１によって実行されるソフトウェアのコンピュータにより実行可能なプログラムを予め記憶する。さらに、ＲＡＭ１１２は、ＳＲＡＭ、ＤＲＡＭ、ＳＤＲＡＭ等で構成され、ＣＰＵ１１１のワーキングエリアとして使用されてプログラムの実行時に発生する一時的なデータを記憶する。【００５４】
また、ＤＶＤプレーヤ１００において、インターフェース１５０は、入力される信号に対して、アダプタ装置２００とのインターフェース処理を実行して、ＨＤＭＩ規格に準拠する信号やデータを発生して、ＨＤＭＩコネクタ１０１、ＨＤＭＩケーブル５０１及びＨＤＭＩコネクタ２０１を介してアダプタ装置２００に出力する一方、アダプタ装置２００からＨＤＭＩコネクタ２０１、ＨＤＭＩケーブル５０１及びＨＤＭＩコネクタ１０１を介して入力される信号を受信して、信号変換やプロトコル変換を含む所定のインターフェース処理を実行してＣＰＵ１１１に出力する。【００５５】
ＤＶＤプレーヤ１００において、デコーダ１２０の動作はＣＰＵ１１１によって制御される。デコーダ１２０は、ＤＶＤ１４０に格納されたコンテンツをＤＶＤドライブ１３０を用いて再生して、映像音声信号を発生してＣＰＵ１１１に出力する。ＣＰＵ１１１は、入力される映像音声信号をインターフェース１５０、ＨＤＭＩ端子１０１、ＨＤＭＩケーブル５０１及びＨＤＭＩ端子２０１を介してアダプタ装置２００に出力する。【００５６】
図１において、アダプタ装置２００は、ＨＤＭＩ端子２０１と、互いにコントローラ１０のバス１４を介して接続されるコントローラ１０と、インターフェース２１と、５Ｖパルス信号発生回路２２と、ＨＰＤ信号発生回路２３と、映像音声信号処理回路２４と、アンテナ２６を備えた無線通信回路２５とを備えて構成される。【００５７】
アダプタ装置２００において、コントローラ１０は、アダプタ装置２００の全体の動作を制御するためのコントローラであって、互いにバス１４を介して接続されるＣＰＵ１１と、ＲＡＭ１２と、ＲＯＭ１３とを備えて構成される。ＣＰＵ１１は、アダプタ装置２００の全体の動作を制御するコンピュータであって、種々のソフトウェアのプログラム等を実行する。また、ＲＯＭ１３は、アダプタ装置２００の動作に必要な種々のソフトウェア及び、ＣＰＵ１１によって実行されるソフトウェアのコンピュータにより実行可能なプログラムを予め記憶する。さらに、ＲＡＭ１２は、ＳＲＡＭ、ＤＲＡＭ、ＳＤＲＡＭ等で構成され、ＣＰＵ１１のワーキングエリアとして使用されてプログラムの実行時に発生する一時的なデータを記憶する。【００５８】
また、アダプタ装置２００において、５Ｖパルス信号発生回路２２は、詳細後述するように、入力される５Ｖ電圧信号に基づいて５Ｖパルス信号を発生してＣＰＵ１１に出力する。ＨＰＤ信号発生回路２３は、詳細後述するように、入力されるＨＰＤパルス信号に基づいて、ＨＰＤ信号を発生してＣＰＵ１１に出力する。映像音声信号処理回路２４は、入力される映像音声信号に対して所定の圧縮符号化方式で圧縮符号化処理を行い、処理後の映像音声信号をＣＰＵ１１に出力する。【００５９】
さらに、アダプタ装置２００において、インターフェース２１は、ＤＶＤプレーヤ１００とのインターフェース処理を実行して、ＨＤＭＩ規格に準拠する信号やデータをＨＤＭＩコネクタ２０１、ＨＤＭＩケーブル５０１及びＨＤＭＩコネクタ１０１を介してＤＶＤプレーヤ１００に出力する一方、ＤＶＤプレーヤ１００からＨＤＭＩコネクタ１０１、ＨＤＭＩケーブル５０１及びＨＤＭＩコネクタ２０１を介して入力される信号を受信して、信号変換やプロトコル変換を含む所定のインターフェース処理を実行してＣＰＵ１１に出力する。【００６０】
アダプタ装置２００において、無線通信回路２５は、入力される映像音声信号に従って、無線搬送波を所定のディジタル変調方式を用いて映像音声無線信号にディジタル変調した後、映像音声無線信号に対して高域周波数変換及び高周波増幅などの高周波信号処理を実行し、処理後の映像音声無線信号を、アンテナ２６を介して、アダプタ装置３００に無線送信する。また、無線通信回路２５は、入力される５Ｖパルス信号、詳細後述するＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号を、アンテナ２６を介して、アダプタ装置３００に無線送信する。さらに、無線通信回路２５は、アンテナ２６で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。これにより、無線通信回路２５は、入力される映像音声信号、５Ｖパルス信号、ＡＣＫ信号及びＨＰＤパルス信号発生要求信号を、アダプタ装置３００に無線送信する一方、アダプタ装置３００からのＨＰＤパルス信号及びＡＣＫ信号を無線受信する。【００６１】
図１において、アダプタ装置３００は、ＨＤＭＩ端子３０１と、互いにコントローラ５０のバス５４を介して接続されるコントローラ５０と、インターフェース５７と、５Ｖ電圧信号発生回路７２と、ＨＰＤパルス信号発生回路７３と、映像音声信号処理回路７４と、無画像無音信号発生回路７５と、アンテナ５６を備えた無線通信回路５５とを備えて構成される。【００６２】
アダプタ装置３００において、コントローラ５０は、アダプタ装置３００の全体の動作を制御するためのコントローラであって、互いにバス５４を介して接続されるＣＰＵ５１と、ＲＡＭ５２と、ＲＯＭ５３とを備えて構成される。ＣＰＵ５１は、アダプタ装置３００の全体の動作を制御するコンピュータであって、種々のソフトウェアのプログラム等を実行する。また、ＲＯＭ５３は、アダプタ装置３００の動作に必要な種々のソフトウェア及び、ＣＰＵ５１によって実行されるソフトウェアのコンピュータにより実行可能なプログラムを予め記憶する。さらに、ＲＡＭ５２は、ＳＲＡＭ、ＤＲＡＭ、ＳＤＲＡＭ等で構成され、ＣＰＵ５１のワーキングエリアとして使用されてプログラムの実行時に発生する一時的なデータを記憶する。【００６３】
また、アダプタ装置３００において、５Ｖ電圧信号発生回路７２は、詳細後述するように、入力される５Ｖパルス信号に基づいて５Ｖ電圧信号を発生してＣＰＵ５１に出力する。ＨＰＤパルス信号発生回路７３は、詳細後述するように、入力されるＨＰＤ信号に基づいて、ＨＰＤパルス信号を発生してＣＰＵ５１に出力する。映像音声信号処理回路７４は、入力される映像音声信号に対して所定の復号化方式で復号化処理を行い、処理後の映像音声信号をＣＰＵ５１に出力する。無画像無音信号発生回路７５は、所定の仕様を有する黒画像信号及び無音信号を含む無画像無音信号を発生してＣＰＵ５１に出力する。ここで、黒画像信号は輝度信号の値が１０ｈ（１６進法）であり色差信号の値が８０ｈ（１６進法）である映像信号であり、無音信号は音量値が００ｈ（１６進法）である音声信号である。【００６４】
さらに、アダプタ装置３００において、インターフェース５７は、ＰＤＰ装置４００とのインターフェース処理を実行して、ＨＤＭＩ規格に準拠する信号やデータをＨＤＭＩコネクタ３０１、ＨＤＭＩケーブル５０２及びＨＤＭＩコネクタ４０１を介してＰＤＰ装置４００に出力する一方、ＰＤＰ装置４００からＨＤＭＩコネクタ４０１、ＨＤＭＩケーブル５０２及びＨＤＭＩコネクタ３０１を介して入力される信号を受信して、信号変換やプロトコル変換を含む所定のインターフェース処理を実行してＣＰＵ５１に出力する。【００６５】
アダプタ装置３００において、無線通信回路５５は、入力されるＨＰＤパルス信号及び詳細後述するＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号を、アンテナ５６を介して、アダプタ装置２００に対して無線送信する。また、無線通信回路５５は、アンテナ５６で受信した映像音声無線信号に対して低域周波数変換及び高周波増幅などの高周波信号処理を実行し、処理後の映像音声無線信号を所定のディジタル復調方式を用いてベースバンド信号に復調した後、ベースバンド信号を映像音声信号に変換してＣＰＵ５１に出力する。さらに、無線通信回路５５は、アンテナ５６で受信した無線信号に対して低域周波数変換及び高周波増幅などの高周波信号処理を実行し、処理後の無線信号を所定のディジタル復調方式を用いてベースバンド信号に復調した後、ベースバンド信号を５Ｖパルス信号、ＨＰＤパルス信号発生要求信号又はＡＣＫ信号に変換してＣＰＵ５１に出力する。これにより、無線通信回路５５は、入力されるＨＰＤパルス信号及びＡＣＫ信号を、アダプタ装置２００に無線送信する一方、アダプタ装置２００からの映像音声信号、５Ｖパルス信号、ＡＣＫ信号及びＨＰＤパルス信号発生要求信号を無線受信する。【００６６】
図１において、ＰＤＰ装置４００は、ＨＤＭＩ端子４０１と、コントローラ４１０と、インターフェース４５０と、映像信号処理回路４５１と、ディスプレイ４５２と、音声信号処理回路４５３と、スピーカ４５４と、を備えて構成される。ここで、コントローラ４１０と、インターフェース４５０と、映像信号処理回路４５１と、音声信号処理回路４５３とは、コントローラ４１０のバス４１５を介して互いに接続される。【００６７】
ＰＤＰ装置４００において、コントローラ４１０はＰＤＰ装置４００の全体の動作を制御するためのコントローラであって、互いにバス４１５を介して接続されるＣＰＵ４１１と、ＲＡＭ４１２と、ＲＯＭ４１３とを備えて構成される。ＣＰＵ４１１は、ＰＤＰ装置４００の全体の動作を制御するコンピュータであって、種々のソフトウェアのプログラム等を実行する。また、ＲＯＭ４１３は、ＰＤＰ装置４００の動作に必要な種々のソフトウェア及び、ＣＰＵ４１１によって実行されるソフトウェアのコンピュータにより実行可能なプログラムを予め記憶し、ＰＤＰ装置４００の製品情報、製造者名、映像符号化方式（例えば、ＲＧＢ方式、ＹＣＢＣＲ４：４：４方式又はＹＣＢＣＲ４：２：２方式）、解像度、フィールド周波数、走査線数等の映像出力仕様及び音声出力サンプリング等の音声出力仕様等のデータを予め記憶するＥＤＩＤ（Extended Display Identification Data；以下、ＥＤＩＤという。）メモリ４１４を含む。さらに、ＲＡＭ４１２は、ＳＲＡＭ、ＤＲＡＭ、ＳＤＲＡＭ等で構成され、ＣＰＵ４１１のワーキングエリアとして使用されてプログラムの実行時に発生する一時的なデータを記憶する。【００６８】
ＰＤＰ装置４００において、インターフェース４５０は、アダプタ装置３００とのインターフェース処理を実行して、ＨＤＭＩ規格に準拠する信号やデータをＨＤＭＩコネクタ４０１、ＨＤＭＩケーブル５０２及びＨＤＭＩコネクタ３０１を介してアダプタ装置３００に出力する一方、アダプタ装置３００からＨＤＭＩコネクタ３０１、ＨＤＭＩケーブル５０２及びＨＤＭＩコネクタ５０１を介して入力される信号を受信して、信号変換やプロトコル変換を含む所定のインターフェース処理を実行してＣＰＵ４１１に出力する。【００６９】
また、ＰＤＰ装置４００において、映像信号処理回路４５１は、入力される映像信号を所定の仕様を有する映像表示用信号に変換してディスプレイ４５２に出力して表示する。さらに、音声信号処理回路４５３は、入力される音声信号を、Ｄ／Ａ変換及び増幅してスピーカ４５４に出力する。【００７０】
図２は、図１の無線伝送システムの第１の動作例を示すシーケンス図である。図２において、ＤＶＤプレーヤ１００のＣＰＵ１１１は、電源オンの状態であるＤＶＤプレーヤ１００に電源オンの状態であるアダプタ装置２００が接続されたことを検出すると、ケーブル５０１の５Ｖ電圧信号線の電圧レベルを０Ｖから５Ｖに変化させることにより５Ｖ電圧信号を発生して、アダプタ装置２００のＣＰＵ１１に出力する。これに応答して、アダプタ装置２００のＣＰＵ１１は、入力される５Ｖ電圧信号を５Ｖパルス信号発生回路２２に出力し、５Ｖパルス信号発生回路２２を、５Ｖ電圧信号の立ち上がりエッジのタイミングで立ち上がり所定のパルス幅を有する５Ｖパルス信号を発生してＣＰＵ１１に出力するように制御する。さらに、ＣＰＵ１１は、５Ｖパルス信号発生回路２２からの５Ｖパルス信号を、アンテナ２６及び５６を介してアダプタ装置３００のＣＰＵ５１に無線送信する。アダプタ装置３００のＣＰＵ５１は、５Ｖパルス信号を正常に受信した場合は、受信した５Ｖパルス信号を５Ｖ電圧信号発生回路７２に出力し、５Ｖ電圧信号発生回路７２を、５Ｖパルス信号の立ち上がりエッジのタイミングで０Ｖから５Ｖに変化する５Ｖ電圧信号を発生してＣＰＵ５１に出力するように制御する。さらに、ＣＰＵ５１は、ＨＤＭＩケーブル５０２の５Ｖ電圧信号線の電圧レベルを、５Ｖ電圧信号発生回路７２からの５Ｖ電圧信号に基づいて変化させることにより、５Ｖ電圧信号を、ＰＤＰ装置４００のＣＰＵ４１１に出力する。その後、ＣＰＵ５１は、５Ｖパルス信号を正常に受信したことを示すＡＣＫ信号を発生して、アンテナ５６及びアンテナ２６を介してアダプタ装置２００のＣＰＵ１１に無線送信し、アダプタ装置２００のＣＰＵ１１は、当該ＡＣＫ信号を受信すると、５Ｖパルス信号がアダプタ装置３００のＣＰＵ５１に正常に送信されたと判断する。一方、ＰＤＰ装置４００のＣＰＵ４１１は、５Ｖ電圧信号を受信すると、ＥＤＩＤメモリ４１４からのＥＤＩＤ読み出し処理などのＨＤＭＩ規格に準拠した所定の初期化処理を実行する。【００７１】
図７は、図１のＤＶＤプレーヤ１００によって発生されてアダプタ装置２００に出力される５Ｖ電圧信号を示すグラフ（ａ）と、図１のアダプタ装置２００によって発生されてアダプタ装置３００に無線送信される５Ｖパルス信号を示すグラフ（ｂ）と、図１のアダプタ装置３００によって発生されてＰＤＰ装置４００に出力される５Ｖ電圧信号を示すグラフ（ｃ）である。図７に示すように、ＤＶＤプレーヤ１００のＣＰＵ１１１によって発生された５Ｖ電圧信号は、ＨＤＭＩケーブル５０１を介してアダプタ装置２００のＣＰＵ１１に出力され、当該５Ｖ電圧信号に基づいて５Ｖパルス信号発生回路２２によって発生された５Ｖパルス信号はアダプタ装置３００のＣＰＵ５１に無線送信される。さらに、当該５Ｖパルス信号に基づいて５Ｖ電圧信号発生回路７２によって発生された５Ｖ電圧信号は、ＨＤＭＩケーブル５０２を介してＰＤＰ装置４００のＣＰＵ４１１に出力される。これに応答して、ＰＤＰ装置４００のＣＰＵ４１１は、所定の初期化処理を実行できる。【００７２】
図２に戻り、ＰＤＰ装置４００のＣＰＵ４１１は、初期化処理を終了すると、ＨＤＭＩケーブル５０１ケーブル５０２のＨＰＤ信号線の電圧レベルをハイレベルからローレベルに１００ミリ秒以上の所定の時間だけ変化させることにより、ＨＰＤ信号を発生してアダプタ装置３００のＣＰＵ５１に出力する。アダプタ装置３００のＣＰＵ５１は、ＨＤＭＩケーブル５０２のＨＰＤ信号線の電圧レベルが１００ミリ秒以上の時間期間にわたってローレベルであることを検出すると、ＨＰＤパルス信号発生回路７３を、ローレベルのＨＰＤ信号が１００ミリ秒継続したタイミングで立ち上がり、所定のパルス幅を有するＨＰＤパルス信号を発生してＣＰＵ５１に出力するように制御する。さらにＣＰＵ５１は、ＨＰＤパルス信号発生回路７３からのＨＰＤパルス信号を、アンテナ５６及び２６を介してアダプタ装置２００のＣＰＵ１１に無線送信する。これに応答して、アダプタ装置２００のＣＰＵ１１は、ＨＰＤパルス信号を正常に受信した場合は、受信したＨＰＤパルス信号をＨＰＤ信号発生回路２３に出力し、ＨＰＤ信号発生回路２３を、ＨＰＤパルス信号の立ち上がりエッジのタイミングでハイレベルからローレベルに変化し、その後１００ミリ以上経過した後でハイレベルに戻るＨＰＤ信号を発生してＣＰＵ１１に出力するように制御する。さらに、ＣＰＵ１１は、ＨＤＭＩケーブル５０１のＨＰＤ信号線の電圧レベルを、ＨＰＤ信号発生回路２３からのＨＰＤ信号に基づいて変化させることにより、ＨＰＤ信号を、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、ＨＤＭＩ規格に準拠する所定の初期化処理を実行する。【００７３】
図８は、図１のＰＤＰ装置４００によって発生されてアダプタ装置３００に出力されるＨＰＤ信号を示すグラフ（ａ）と、図１のアダプタ装置３００によって発生されてアダプタ装置２００に無線送信されるＨＰＤパルス信号を示すグラフ（ｂ）と、図１のアダプタ装置２００によって発生されてＤＶＤプレーヤ１００に出力されるＨＰＤ信号を示すグラフ（ｃ）である。図８に示すように、ＰＤＰ装置４００のＣＰＵ４１１によって発生されたＨＰＤ信号は、ＨＤＭＩケーブル５０２を介してアダプタ装置３００のＣＰＵ５１に出力され、当該ＨＰＤ信号に基づいてＨＰＤパルス信号発生回路７３によって発生されたＨＰＤパルス信号はアダプタ装置２００のＣＰＵ１１に無線送信される。さらに、当該ＨＰＤパルス信号に基づいてＨＰＤ信号発生回路２３によって発生されたＨＰＤ信号は、ＨＤＭＩケーブル５０１を介してＤＶＤプレーヤ１００のＣＰＵ１１１に出力される。これに応答して、ＤＶＤプレーヤ１００のＣＰＵ１１１は、ＨＤＭＩ規格に準拠する所定の初期化処理を実行できる。【００７４】
図２に戻り、ＤＶＤプレーヤ１００のＣＰＵ１１１は、初期化処理を終了すると、ＤＶＤ１４０に格納されたコンテンツを再生して映像音声信号を発生して、ＣＰＵ１１１に出力するようにデコーダ１２０を制御する。これに応答して、デコーダ１２０は、ＤＶＤドライブ１３０を用いてＤＶＤ１４０に格納されたコンテンツを再生して映像音声信号を発生して、ＣＰＵ１１１に出力する。ＣＰＵ１１１は、入力される映像音声信号をアダプタ装置２００のＣＰＵ１１に出力する。これに応答して、アダプタ装置２００のＣＰＵ１１は、入力される映像音声信号を映像音声信号処理回路２４に出力して、映像音声信号処理回路２４を、映像音声信号に対して所定の圧縮符号化方式で圧縮符号化処理を行い、処理後の映像音声信号をＣＰＵ１１に出力するように制御する。さらに、ＣＰＵ１１は、処理後の映像音声信号を、アンテナ２６及び５６を介してアダプタ装置３００のＣＰＵ５１に、映像音声無線信号として無線送信する。これに応答して、アダプタ装置３００のＣＰＵ５１は、受信した映像音声信号を映像音声信号処理回路７４に出力し、映像音声信号処理回路７４を、映像音声信号に対して所定の復号化方式で復号化処理を行い、処理後の映像音声信号をＣＰＵ５１に出力するように制御する。さらに、ＣＰＵ５１は、処理後の映像音声信号のパケットエラーレート（Packet Error Rate；以下、ＰＥＲという。）を算出し、ＰＥＲが所定値以下である場合は映像音声信号を正常に受信したと判断し、処理後の映像音声信号をＰＤＰ装置４００のＣＰＵ４１１に出力する。その後、ＣＰＵ５１は、映像音声信号を正常に受信したことを示すＡＣＫ信号を発生して、アダプタ装置２００のＣＰＵ１１に無線送信し、アダプタ装置２００のＣＰＵ１１は、当該ＡＣＫ信号を受信すると、映像音声信号がアダプタ装置３００のＣＰＵ５１に正常に送信されたと判断する。一方、ＰＤＰ装置４００のＣＰＵ４１１は、入力される映像音声信号に基づいて映像信号及び音声信号を発生し、映像信号を映像信号処理回路４５１を介してディスプレイ４５２に出力して表示するとともに、音声信号を音声信号処理回路４５３を介してスピーカ４５４に出力する。【００７５】
図３は、図１の無線伝送システムの第２の動作例を示すシーケンス図である。図３において、ＤＶＤプレーヤ１００のＣＰＵ１１１は、電源オンの状態であるＤＶＤプレーヤ１００に電源オンの状態であるアダプタ装置２００が接続されたことを検出すると、図２と同様に５Ｖ電圧信号を発生して、アダプタ装置２００のＣＰＵ１１に出力する。これに応答して、アダプタ装置２００のＣＰＵ１１は、図２と同様に、５Ｖパルス信号を発生して、アンテナ２６及び５６を介してアダプタ装置３００のＣＰＵ５１に無線送信する。アダプタ装置２００のＣＰＵ１１は、５Ｖパルス信号をアダプタ装置３００のＣＰＵ５１に無線送信後、所定の待機時間Ｔ１だけ待機し、待機終了までにアダプタ装置３００のＣＰＵ５１からＡＣＫ信号を受信しない場合は、アダプタ装置２００とアダプタ装置３００との間で通信異常が発生したと判断し、ＨＰＤパルス信号発生要求信号を発生してアダプタ装置３００のＣＰＵ５１に無線送信する。これに応答して、アダプタ装置３００のＣＰＵ５１は、ＨＰＤパルス信号発生回路７３を、所定のパルス幅を有するＨＰＤパルス信号を発生してＣＰＵ５１に出力するように制御する。さらにＣＰＵ５１は、ＨＰＤパルス信号発生回路７３からのＨＰＤパルス信号を、アンテナ５６及び２６を介してアダプタ装置２００のＣＰＵ１１に無線送信する。アダプタ装置２００のＣＰＵ１１は、ＨＰＤパルス信号を正常に受信した場合は、図２と同様にＨＰＤ信号を発生して、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、ＨＤＭＩ規格に準拠する所定の初期化処理を実行し、初期化処理の終了後、再び５Ｖ電圧信号を発生してアダプタ装置２００のＣＰＵ１１に出力する。【００７６】
なお、図３において、アダプタ装置３００のＣＰＵ５１は、５Ｖパルス信号を受信した後、５Ｖ電圧信号を発生してＰＤＰ装置４００のＣＰＵ４１１に出力してもよい。また、図３において、待機時間Ｔ１は、アダプタ装置２００のＣＰＵ１１が５Ｖパルス信号をアダプタ装置３００のＣＰＵ５１に無線送信した後、５Ｖパルス信号が正常に伝送された場合に、アダプタ装置３００のＣＰＵ５１からのＡＣＫ信号を受信するまでに要する時間よりも長い時間に設定される。【００７７】
図４は、図１の無線伝送システムの第３の動作例を示すシーケンス図である。図４において、ＰＤＰ装置４００のＣＰＵ４１１は、図２と同様にＨＰＤ信号を発生してアダプタ装置３００のＣＰＵ５１に出力する。これに応答して、アダプタ装置３００のＣＰＵ５１は、図２と同様に、ＨＰＤパルス信号を発生して、アンテナ５６及び２６を介してアダプタ装置２００のＣＰＵ１１に無線送信する。アダプタ装置２００のＣＰＵ１１は、ＨＰＤパルス信号をアダプタ装置２００のＣＰＵ１１に無線送信後、所定の待機時間Ｔ２だけ待機し、待機終了までにアダプタ装置２００のＣＰＵ１１からＡＣＫ信号を受信しない場合は、アダプタ装置２００とアダプタ装置３００との間で通信異常が発生したと判断し、再びＨＰＤパルス信号を発生してアダプタ装置２００のＣＰＵ１１に無線送信する。その後、アダプタ装置２００のＣＰＵ１１からＡＣＫ信号を受信するまで、上記の待機とＨＰＤパルス信号の再送信を繰り返す。すなわち、アダプタ装置２００がＨＰＤパルス信号を正常に受信して、受信したＨＰＤパルス信号に基づいてＨＰＤ信号を発生してＤＶＤ１００に出力し、ＤＶＤプレーヤ１００において初期化処理が終了するまで、上記の待機とＨＰＤパルス信号の再送信は繰り返される。【００７８】
なお、図４において、待機時間Ｔ２は、アダプタ装置３００のＣＰＵ５１がＨＰＤパルス信号をアダプタ装置２００のＣＰＵ１１に無線送信した後、ＨＰＤパルス信号が正常に伝送された場合に、アダプタ装置２００のＣＰＵ１１からのＡＣＫ信号を受信するまでに要する時間よりも長い時間に設定される。【００７９】
図５は、図１の無線伝送システムの第４の動作例を示すシーケンス図である。図５において、ＤＶＤプレーヤ１００のＣＰＵ１１１は、図２と同様に、映像音声信号を発生して、アダプタ装置２００のＣＰＵ１１に出力する。これに応答して、アダプタ装置２００のＣＰＵ１１は、入力される映像音声信号を、映像音声無線信号としてアンテナ２６及び５６を介してアダプタ装置３００のＣＰＵ５１に無線送信する。アダプタ装置２００のＣＰＵ１１は、映像音声信号をアダプタ装置３００のＣＰＵ５１に無線送信後、所定の待機時間Ｔ３だけ待機し、待機終了までにアダプタ装置３００のＣＰＵ５１からＡＣＫ信号を受信しない場合は、アダプタ装置２００とアダプタ装置３００との間で通信異常が発生したと判断する。さらに、ＣＰＵ１１１は、ＨＰＤパルス信号の発生を要求するＨＰＤパルス信号発生要求信号を発生してアダプタ装置３００のＣＰＵ５１に無線送信する。これに応答して、アダプタ装置３００のＣＰＵ５１は、ＨＰＤパルス信号発生回路７３を、所定のパルス幅を有するＨＰＤパルス信号を発生してＣＰＵ５１に出力するように制御する。さらにＣＰＵ５１は、ＨＰＤパルス信号発生回路７３からのＨＰＤパルス信号を、アンテナ５６及び２６を介してアダプタ装置２００のＣＰＵ１１に無線送信する。アダプタ装置２００のＣＰＵ１１は、ＨＰＤパルス信号を正常に受信した場合は、図２と同様にＨＰＤ信号を発生して、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、ＨＤＭＩ規格に準拠する所定の初期化処理を実行し、初期化処理の終了後、再び映像音声信号を発生してアダプタ装置２００のＣＰＵ１１に出力する。【００８０】
なお、図５において、待機時間Ｔ３は、アダプタ装置２００のＣＰＵ１１が映像音声無線信号をアダプタ装置３００のＣＰＵ５１に無線送信した後、映像音声無線信号が正常に伝送された場合に、アダプタ装置３００のＣＰＵ５１からのＡＣＫ信号を受信するまでに要する時間よりも長い時間に設定される。【００８１】
図６は、図１の無線伝送システムの第５の動作例を示すシーケンス図である。図６において、ＤＶＤプレーヤ１００のＣＰＵ１１１は、図２と同様に、映像音声信号を発生してアダプタ装置２００のＣＰＵ１１に出力する。これに応答して、アダプタ装置２００のＣＰＵ１１は、図２と同様に、入力される映像音声信号を、映像音声無線信号としてアンテナ２６及び５６を介してアダプタ装置３００のＣＰＵ５１に無線送信する。これに応答してアダプタ装置３００のＣＰＵ５１は、図２と同様に、受信した映像音声信号に対して所定の復号化方式で復号化処理を行い、処理後の映像音声信号のＰＥＲを算出し、ＰＥＲが所定値以下である場合は、処理後の映像音声信号をＰＤＰ装置４００のＣＰＵ４１１に出力する。その後、ＣＰＵ５１は、映像音声信号を正常に受信したことを示すＡＣＫ信号を発生して、アダプタ装置２００のＣＰＵ１１に無線送信し、アダプタ装置２００のＣＰＵ１１は、当該ＡＣＫ信号を受信すると、映像音声信号がアダプタ装置３００のＣＰＵ５１に正常に送信されたと判断する。一方、ＰＤＰ装置４００のＣＰＵ４１１は、図２と同様に、入力される映像音声信号に基づいて映像信号及び音声信号を発生し、映像信号を映像信号処理回路７１を介してディスプレイ７２に出力して表示するとともに、音声信号を音声信号処理回路４５３を介してスピーカ４５４に出力する。【００８２】
図６において、アダプタ装置３００のＣＰＵ５１は、アダプタ装置２００のＣＰＵ１１からの映像音声信号を正常に受信したことを示すＡＣＫ信号を発生してアダプタ装置２００のＣＰＵ１１に無線送信した後、所定の待機時間Ｔ４だけ待機し、待機終了までにアダプタ装置２００のＣＰＵ１１から次の映像音声信号を正常に受信しない又は全く受信しない場合は、アダプタ装置２００とアダプタ装置３００との間で通信異常が発生したと判断する。そして、アダプタ装置３００のＣＰＵ５１は、無画像無音信号発生回路７５を、所定の仕様を有する黒画像信号及び無音信号を含む無画像無音信号を発生してＣＰＵ５１に出力するように制御し、入力される無画像無音信号をＰＤＰ装置４００のＣＰＵ４１１に出力する。これに応答して、ＰＤＰ装置４００のＣＰＵ４１１は、入力される無画像無音信号に基づいて黒画像信号及び無音信号を発生し、黒画像信号を映像信号処理回路７１を介してディスプレイ７２に出力して表示するとともに、無音信号を音声信号処理回路４５３を介してスピーカ４５４に出力する。【００８３】
さらに、図６において、アダプタ装置３００のＣＰＵ５１は、ＰＤＰ装置４００のＣＰＵ４１１に無画像無音信号を出力した後、ＨＰＤパルス信号発生回路７３を、所定のパルス幅を有するＨＰＤパルス信号を発生してＣＰＵ５１に出力するよう制御し、入力されるＨＰＤパルス信号を、アンテナ５６及び２６を介してアダプタ装置２００のＣＰＵ１１に無線送信する。これに応答してアダプタ装置２００のＣＰＵ１１は、ＨＰＤパルス信号を正常に受信した場合は、受信したＨＰＤパルス信号に基づいてＨＰＤ信号を発生して、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、図２と同様に、ＨＤＭＩ規格に準拠する所定の初期化処理を実行する。【００８４】
またさらに、図６において、ＤＶＤプレーヤ１００のＣＰＵ１１１は、初期化処理の終了後、図２と同様に、映像音声信号を発生してアダプタ装置２００のＣＰＵ１１に出力する。これに応答して、アダプタ装置２００のＣＰＵ１１は、図２と同様に、入力される映像音声信号を、映像音声無線信号としてアンテナ２６及び５６を介してアダプタ装置３００のＣＰＵ５１に無線送信する。これに応答してアダプタ装置３００のＣＰＵ５１は、図２と同様に、受信した映像音声信号に対して所定の復号化方式で復号化処理を行い、処理後の映像音声信号のＰＥＲを算出し、ＰＥＲが所定値以下である場合は映像音声信号を正常に受信したと判断し、無画像無音信号発生回路７５を、無画像無音信号の発生を停止するように制御するとともに、無画像無音信号発生停止要求信号を発生して、ＰＤＰ装置４００のＣＰＵ４１１に出力する。これに応答して、ＰＤＰ装置４００のＣＰＵ４１１は、黒画像信号及び無音信号の発生及びディスプレイ４５２及びスピーカ４５４への出力を停止する。一方、アダプタ装置３００のＣＰＵ５１は、映像音声信号を正常に受信したことを示すＡＣＫ信号を発生して、処理後の映像音声信号をＰＤＰ装置４００のＣＰＵ４１１に出力する。アダプタ装置２００のＣＰＵ１１は、当該ＡＣＫ信号を受信すると、映像音声信号がアダプタ装置３００のＣＰＵ５１に正常に送信されたと判断する。一方、ＰＤＰ装置４００のＣＰＵ４１１は、図２と同様に、入力される映像音声信号に基づいて映像信号及び音声信号を発生し、映像信号を映像信号処理回路７１を介してディスプレイ７２に出力して表示するとともに、音声信号を音声信号処理回路４５３を介してスピーカ４５４に出力する。【００８５】
なお、図６において、待機時間Ｔ４は、アダプタ装置３００のＣＰＵ５１が映像音声無線信号を正常に受信した後、次の映像音声無線信号を受信するまでに通常要する時間よりも長い時間に設定される。【００８６】
以上詳述したように、本実施形態に係るアダプタ装置２００によれば、ＤＶＤプレーヤ１００のＣＰＵ１１１が発生した５Ｖ電圧信号及び映像音声信号をそれぞれ含む無線信号をアダプタ装置３００に無線送信する一方、アダプタ装置３００からのＨＰＤ信号を含む無線信号を受信できる。また、本実施形態に係るアダプタ装置３００によれば、アダプタ装置２００からの５Ｖ電圧信号及び映像音声信号をそれぞれ含む無線信号を受信する一方、ＨＰＤ信号を含む無線信号をアダプタ装置２００に無線送信できる。従って、ＤＶＤプレーヤ１００のＣＰＵ１１１が発生した５Ｖ電圧信号及び映像音声信号を、アダプタ装置２００及びアダプタ装置３００を介してＰＤＰ装置４００に無線伝送する一方、ＰＤＰ装置４００のＣＰＵ４１１が発生したＨＰＤ信号を、アダプタ装置３００及びアダプタ装置２００を介してＤＶＤプレーヤ１００に無線伝送できる。すなわち、ＤＶＤプレーヤ１００とＰＤＰ装置４００との間を無線伝送路で接続することにより、当該接続をＨＤＭＩケーブルを用いることなく実現して、従来技術に比較して簡単化できる。これにより、アダプタ装置２００に接続されるＤＶＤプレーヤ１００及びアダプタ装置３００に接続されるＰＤＰ装置４００の設置場所の自由度を高めることができる。【００８７】
また、本実施形態に係る無線伝送システムによれば、アダプタ装置２００のＣＰＵ１１は、アダプタ装置２００とアダプタ装置３００との間の通信異常を検出した場合に、ＨＰＤパルス信号発生要求信号を発生してアダプタ装置３００のＣＰＵ５１に無線送信することにより、アダプタ装置３００からのＨＰＤパルス信号を受信して、受信したＨＰＤパルス信号に基づいてＨＰＤ信号を発生してＤＶＤプレーヤ１００に出力する一方、アダプタ装置３００のＣＰＵ５１は、アダプタ装置２００とアダプタ装置３００との間の通信異常を検出した場合に、ＨＰＤパルス信号を発生してアダプタ装置２００に無線送信することにより、アダプタ装置２００をＨＰＤ信号を発生してＤＶＤプレーヤ１００に出力するように制御する。従って、アダプタ装置２００とアダプタ装置３００との間で通信異常が発生した場合に、ＤＶＤプレーヤ１００はＨＰＤ信号をアダプタ装置２００から受信し、これに応答して、所定の初期化処理を実行するので、ＤＶＤプレーヤ１００とＰＤＰ装置４００とは、アダプタ装置２００及び３００を介して、確実に映像音声信号、５Ｖ電圧信号及びＨＰＤ信号を伝送できる。【００８８】
また、ＨＤＭＩ規格及びＤＶＩ規格では、信号シンク装置は、５Ｖ電圧信号を受信した後にＨＰＤ信号を発生して、信号ソース装置に出力する必要がある。本実施形態に係る無線伝送システムによれば、アダプタ装置３００のＣＰＵ５１は、５Ｖ電圧信号を発生してＰＤＰ装置４００のＣＰＵ４１１に出力し、その後ＰＤＰ装置４００のＣＰＵ４１１からのＨＰＤ信号に基づいてＨＰＤパルス信号を発生してアダプタ装置２００のＣＰＵ１１に無線送信するので、アダプタ装置２００のＣＰＵ１１がＨＰＤ信号を発生してＤＶＤプレーヤ１００のＣＰＵ１１１に出力する処理は、アダプタ装置３００のＣＰＵ５１が５Ｖ電圧信号を発生してＰＤＰ装置４００のＣＰＵ４１１に出力する処理よりも後に実行され、５Ｖ電圧信号及びＨＰＤ信号を、ＨＤＭＩ規格及びＤＶＩ規格に準拠した伝送手順で伝送できる。【００８９】
上記の実施形態において、アダプタ装置２００のＣＰＵ１１は、５Ｖパルス信号をアダプタ装置３００のＣＰＵ５１に無線送信した後、所定の待機時間Ｔ１だけ待機し、待機終了までにアダプタ装置３００のＣＰＵ５１からＡＣＫ信号を受信しない場合は、アダプタ装置２００とアダプタ装置３００との間で通信異常が発生したと判断し、映像音声無線信号をアダプタ装置３００のＣＰＵ５１に無線送信した後、所定の待機時間Ｔ３だけ待機し、待機終了までにアダプタ装置３００のＣＰＵ５１からＡＣＫ信号を受信しない場合は、アダプタ装置２００とアダプタ装置３００との間で通信異常が発生したと判断した。また、アダプタ装置３００のＣＰＵ５１は、ＨＰＤパルス信号をアダプタ装置２００のＣＰＵ１１に無線送信した後、所定の待機時間Ｔ２だけ待機し、待機終了までにアダプタ装置２００のＣＰＵ１１からＡＣＫ信号を受信しない場合は、アダプタ装置２００とアダプタ装置３００との間で通信異常が発生したと判断した。しかしながら、本発明はこれに限らず、所定のしきい値以上のパケットロスを検出した場合、又は、相手装置からの再送要求を所定の回数以上受信した場合に、アダプタ装置２００とアダプタ装置３００との間で通信異常が発生したと判断し、アダプタ装置３００を、ＨＰＤパルス信号を発生してアダプタ装置２００に無線送信するように制御してもよい。【００９０】
また、上記の実施形態において、アダプタ装置３００のＣＰＵ５１は、受信した映像音声信号に関するＰＥＲに基づいて、映像音声信号を正常に受信したか否かを判断したが、本発明はこれに限らず、受信した映像音声信号に関するパケットロス率に基づいて、映像音声信号を正常に受信したか否かを判断してもよい。あるいは、映像音声無線信号、５Ｖ電圧信号又は他の無線信号を正常に受信した後、所定の時間が経過するまでに、映像音声無線信号、５Ｖ電圧信号又は他の無線信号を正常に受信しない、又は全く受信しないときに、アダプタ装置２００とアダプタ装置３００との間で通信異常が発生していると判断して、ＨＰＤパルス信号を発生してアダプタ装置２００に無線送信するとともに、無画像無音信号発生回路７５を、無画像無音信号を発生してＣＰＵ５１に出力するように制御し、入力される無画像無音信号をＰＤＰ装置４００のＣＰＵ４１１に出力してもよい。【００９１】
さらに、上記の実施形態において、アダプタ装置３００は、アダプタ装置２００とアダプタ装置３００との間での通信異常を検出した場合に、無画像無音信号を発生してＰＤＰ装置４００に出力したが、本発明はこれに限らず、黒画像信号を発生してＰＤＰ装置４００に出力するとともに、音声信号をＰＤＰ装置４００に出力しない構成であってもよい。【００９２】
上記の実施形態において、アダプタ装置３００のＣＰＵ５１は、５Ｖパルス信号を受信した後、受信した５Ｖパルス信号に基づいて５Ｖ電圧信号を発生してＣＰＵ５１に出力するように５Ｖ電圧信号発生回路７２を制御し、５Ｖ電圧信号発生回路７２からの５Ｖ電圧信号をＰＤＰ装置４００のＣＰＵ４１１に出力したが、本発明はこれに限らず、電源オンの状態であるＰＤＰ装置４００に接続されたことを検出した場合に、５Ｖ電圧信号を発生してＣＰＵ５１に出力するように５Ｖ電圧信号発生回路７２又は別の手段を制御し、５Ｖ電圧信号発生回路７２又は別の手段からの５Ｖ電圧信号をＰＤＰ装置４００のＣＰＵ４１１に出力してもよい。【００９３】
また、上記の実施形態において、アダプタ装置２００のＣＰＵ１１は、ＨＰＤパルス信号を正常に受信した場合、ＡＣＫ信号を発生してアダプタ装置３００のＣＰＵ５１に無線送信したが、本発明はこれに限らず、以下のように構成してもよい。ＨＤＭＩ規格及びＤＶＩ規格では、信号ソース装置は、ＨＤＰ信号を正常に受信すると６４ビットデータを発生して信号シンク装置に出力する。従って、ＨＰＤ信号を正常に受信したＤＶＤプレーヤ１００のＣＰＵ１１１は６４ビットデータを発生してアダプタ装置２００のＣＰＵ１１に出力し、アダプタ装置２００のＣＰＵ１１は入力される６４ビットデータをアダプタ装置３００のＣＰＵ５１に無線送信し、アダプタ装置３００のＣＰＵ５１は６４ビットデータを受信した場合に、ＨＰＤパルス信号が正常に伝送されたと判断してもよい。【００９４】
上記の実施形態において、５Ｖパルス信号発生回路２２は５Ｖ電圧信号に基づいて５Ｖパルス信号を発生したが、本発明はこれに限らず、５Ｖフラグ信号を発生してもよい。また、上記の実施形態において、ＨＰＤパルス信号発生回路７３はＨＰＤ信号に基づいてＨＰＤパルス信号を発生したが、本発明はこれに限らず、ＨＰＤフラグ信号を発生してもよい。さらに、上記の実施形態において、５Ｖパルス信号及びＨＰＤパルス信号はそれぞれ、ハイレベルでアクティブな信号であったが、本発明はこれに限らず、ローレベルでアクティブな信号であってもよい。またさらに、上記の実施形態において、アダプタ装置３００のＣＰＵ５１は、ＨＤＭＩケーブル５０２のＨＰＤ信号線の電圧レベルが１００ミリ秒以上の時間期間にわたってローレベルであることを検出すると、ＨＰＤパルス信号発生回路７３でＨＰＤパルス信号を発生してＣＰＵ５１に出力するように制御したが、本発明はこれに限らず、ＨＤＭＩケーブル５０２のＨＰＤ信号線の電圧レベルがローレベルに変化したことを検出した場合にＨＰＤパルス信号発生回路７３でＨＰＤパルス信号を発生してＣＰＵ５１に出力するように制御し、ＨＤＭＩケーブル５０２のＨＰＤ信号線の電圧レベルが１００ミリ秒以上の時間期間にわたってローレベルであることを検出した場合に、ＨＰＤパルス信号をアダプタ装置２００に無線送信してもよい。【００９５】
また、上記の実施形態において、アダプタ装置２００は、ＨＰＤパルス信号発生要求信号をアダプタ装置３００に無線送信したが、本発明はこれに限らず、有線で送信してもよい。【００９６】
さらに、図２乃至図６において、アダプタ装置２００のＣＰＵ１１は、ＨＰＤパルス信号を受信した場合に、アダプタ装置２００の初期化処理を実行してもよい。また、図２において、アダプタ装置３００のＣＰＵ５１は、５Ｖパルス信号を正常に受信した後、ＡＣＫ信号を発生してアダプタ装置２００のＣＰＵ１１に無線送信し、その後、５Ｖ電圧信号を発生してＰＤＰ装置４００のＣＰＵ４１１に出力してもよい。あるいは、アダプタ装置３００のＣＰＵ５１は、５Ｖパルス信号を正常に受信した後、ＡＣＫ信号を発生してアダプタ装置２００のＣＰＵ１１に無線送信すると同時に、５Ｖ電圧信号を発生してＰＤＰ装置４００のＣＰＵ４１１に出力してもよい。さらに、図２及び図６において、アダプタ装置３００のＣＰＵ５１は、映像音声信号を正常に受信した後、ＡＣＫ信号を発生してアダプタ装置２００のＣＰＵ１１に無線送信し、その後、処理後の映像音声信号をＰＤＰ装置４００のＣＰＵ４１１に出力してもよい。あるいは、アダプタ装置３００のＣＰＵ５１は、映像音声信号を正常に受信した後、ＡＣＫ信号を発生してアダプタ装置２００のＣＰＵ１１に無線送信すると同時に、処理後の映像音声信号をＰＤＰ装置４００のＣＰＵ４１１に出力してもよい。またさらに、図２，３，５及び６において、アダプタ装置２００のＣＰＵ１１は、ＨＰＤパルス信号を正常に受信した後、ＡＣＫ信号を発生してアダプタ装置３００のＣＰＵ５１に無線送信し、その後、ＨＰＤ信号を発生してＤＶＤプレーヤ１００のＣＰＵ１１１に出力してもよい。あるいは、アダプタ装置２００のＣＰＵ１１は、ＨＰＤパルス信号を正常に受信した後、ＡＣＫ信号を発生してアダプタ装置３００のＣＰＵ５１に無線送信すると同時に、ＨＰＤ信号を発生してＤＶＤプレーヤ１００のＣＰＵ１１１に出力してもよい。【００９７】
第２の実施形態．
図９は、本発明の第２の実施形態に係る、ＤＶＤプレーヤ１００と、アダプタ装置２００Ａ及び３００Ａと、ＰＤＰ装置４００とを含む無線伝送システムの構成を示すブロック図である。第２の実施形態に係る無線伝送システムは、第１の実施形態に係る無線伝送システムに比較して、アダプタ装置２００及び３００に代えてアダプタ装置２００Ａ及び３００Ａを備えたことを特徴とする。また、アダプタ装置２００Ａはアダプタ装置２００に比較して、無線通信回路２５に代えて無線通信回路２５Ａを備えるとともに無線通信回路２７及びアンテナ２８をさらに備え、アダプタ装置３００Ａはアダプタ装置３００に比較して、無線通信回路５５に代えて無線通信回路５５Ａを備えるとともに無線通信回路５７及びアンテナ５８をさらに備えたことを特徴とする。第２の実施形態に係る無線伝送システムは、第１の実施形態に係る無線伝送システムに比較して、アダプタ装置２００Ａとアダプタ装置３００Ａとの間で映像信号を伝送するための無線チャンネルの周波数と、音声信号、５Ｖパルス信号、ＨＰＤパルス信号、ＡＣＫ信号、及びＨＰＤパルス発生要求信号を伝送するための無線チャンネルの周波数とが互いに異なることを特徴とする。以下、第１の実施形態との相違点を詳述する。【００９８】
アダプタ装置２００Ａにおいて、ＣＰＵ１１は、映像音声信号処理回路２４からの映像音声信号に含まれる映像信号を無線通信回路２５Ａに出力する一方、映像音声信号処理回路２４からの映像音声信号に含まれる音声信号、５Ｖパルス信号発生回路２２からの５Ｖパルス信号、ＡＣＫ信号及びＨＰＤパルス信号発生要求信号を、無線通信回路２７に出力する。【００９９】
また、アダプタ装置２００Ａにおいて、無線通信回路２５Ａは、入力される映像信号に従って、無線搬送波を所定のディジタル変調方式を用いて映像無線信号にディジタル変調した後、映像無線信号に対して高域周波数変換及び高周波増幅などの高周波信号処理を実行し、処理後の映像無線信号を、アンテナ２６を介して、アダプタ装置３００Ａに無線送信する。また、無線通信回路２７は、入力される音声信号、５Ｖパルス信号、ＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号をアンテナ２６を介して、第１の無線チャンネルを用いて、アダプタ装置３００Ａに無線送信する。さらに、無線通信回路２７は、アンテナ２８で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。【０１００】
また、アダプタ装置３００Ａにおいて、無線通信回路５５Ａは、アンテナ５６で受信した映像無線信号に対して低域周波数変換及び高周波増幅などの高周波信号処理を実行し、処理後の映像無線信号を所定のディジタル復調方式を用いてベースバンド信号に復調した後、ベースバンド信号を映像信号に変換してＣＰＵ５１に出力する。【０１０１】
さらに、アダプタ装置３００Ａにおいて、ＣＰＵ５１は、ＨＰＤパルス信号発生回路７３からのＨＰＤパルス信号及びＡＣＫ信号を、無線通信回路５７に出力する。無線通信回路５７は、入力されるＨＰＤパルス信号及びＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号を、アンテナ５８を介して、上記の第１の無線チャンネルと周波数が異なる第２の無線チャンネルを用いて、アダプタ装置２００Ａに無線送信する一方、アンテナ５８で受信した無線信号に対して低域周波数変換及び高周波増幅などの高周波信号処理を実行し、処理後の無線信号を所定のディジタル復調方式を用いてベースバンド信号に復調した後、ベースバンド信号を音声信号、５Ｖパルス信号、ＡＣＫ信号、又はＨＰＤパルス発生要求信号又に変換してＣＰＵ５１に出力する。【０１０２】
第２の実施形態に係る無線伝送システムは、第１の実施形態に係る無線伝送システムと同様の効果を奏する。また、映像無線信号をアンテナ２６及び５６を介して、第１の無線チャンネルを用いて無線伝送する一方、音声信号、５Ｖパルス信号、ＨＰＤパルス信号、ＡＣＫ信号、及びＨＰＤパルス発生要求信号をそれぞれ含む無線信号を、アンテナ２８及び５８を介して、第２の無線チャンネルを用いて無線伝送したので、第１の実施形態に係る無線伝送システムに比較して、アンテナ２６及び５６を介して、映像無線信号をより大きな伝送容量で無線伝送できる。【０１０３】
なお、上記の実施形態において、アダプタ装置２００ＡのＣＰＵ１１は、映像信号を、アンテナ２６及び５６を介してアダプタ装置３００Ａに無線送信する一方、音声信号をアンテナ２８及び５８を介してアダプタ装置３００Ａに無線送信したが、本発明はこれに限らず、映像音声信号をアンテナ２６及び５６を介してアダプタ装置３００Ａに無線送信してもよい。また、アダプタ装置２００ＡのＣＰＵ５１は、アダプタ装置２００Ａとアダプタ装置３００Ａとの間でアンテナ２６及び５６を介する無線通信が正常に行われているとき、アンテナ２８及び５８を介する無線通信は正常に行われていると判断し、ＡＣＫ信号をアンテナ５６又は５８を介してアダプタ装置２００ＡのＣＰＵ１１に無線送信しない構成としてもよい。【０１０４】
第３の実施形態．
図１０は、本発明の第３の実施形態に係る、ＤＶＤプレーヤ１００Ａと、アダプタ装置２００Ｂ及び３００Ｂと、ＰＤＰ装置４００Ａとを含む無線伝送システムの構成を示すブロック図である。図１０の無線伝送システムは、ＤＶＤプレーヤ１００Ａからの映像信号及び５Ｖ電圧信号をアダプタ装置２００Ｂ及び３００Ｂを介してＰＤＰ装置４００Ａに無線伝送する一方、ＰＤＰ装置４００ＡからのＨＰＤ信号をアダプタ装置３００Ｂ及び２００Ｂを介してＤＶＤプレーヤ１００Ａに無線伝送するためのシステムである。ここで、第３の実施形態に係る無線伝送システムは、第１の実施形態に係る無線伝送システムに比較してＤＶＩ規格に準拠した信号を送受信する信号ソース装置であるＤＶＩソース装置であるＤＶＤプレーヤ１００Ａ及びＤＶＩ規格に準拠した信号を送受信する信号シンク装置であるＤＶＩシンクソース装置を含むことを特徴とする。以下、第１の実施形態との相違点を詳述する。【０１０５】
ＤＶＤプレーヤ１００Ａは公知のＤＶＩソース装置であり、ＤＶＤプレーヤ１００ＡのＤＶＩ端子１０１Ａ、ＤＶＩケーブル５０１Ａ及びアダプタ装置２００ＢのＤＶＩ端子２０１Ａを介してアダプタ装置２００Ｂに接続される。また、ＰＤＰ装置４００Ａは公知のＤＶＩシンク装置であり、ＰＤＰ装置４００ＡのＤＶＩ端子４０１Ａ、ＤＶＩケーブル５０２Ａ及びアダプタ装置３００ＢのＤＶＩ端子３０１Ａを介してアダプタ装置３００Ｂに接続される。さらに、アダプタ装置２００Ｂとアダプタ装置３００Ｂとは、アダプタ装置２００Ｂのアンテナ２６とアダプタ装置３００Ｂのアンテナ５６とを介して無線接続される。【０１０６】
なお、ＤＶＩ端子１０１Ａ，２０１Ａ，３０１Ａ及び４０１Ａはそれぞれ、ＤＶＩ規格に準拠したデータ端子である。また、ＤＶＩケーブル５０１Ａ及び５０２Ａはそれぞれ、ＤＶＩ規格に準拠したディジタルデータ伝送バスであり、映像信号を伝送するための複数の信号線、５Ｖ電圧信号を伝送するための５Ｖ電圧信号線及びＨＰＤ信号を伝送するためのＨＰＤ信号線を含む。【０１０７】
図１０において、ＤＶＤプレーヤ１００Ａは、図１のＤＶＤプレーヤ１００と比較して、インターフェース１５０に代えてインターフェース１５０Ａを備え、ＨＤＭＩ端子１０１に代えてＤＶＩ端子１０１Ａを備え、音声信号処理回路１２１及びスピーカ１０２をさらに備えて構成される。【０１０８】
ＤＶＤプレーヤ１００Ａにおいて、インターフェース１５０Ａは、入力される信号に対して、アダプタ装置２００Ｂとのインターフェース処理を実行して、ＤＶＩ規格に準拠する信号やデータを発生して、ＤＶＩコネクタ１０１Ａ、ＤＶＩケーブル５０１Ａ及びＤＶＩコネクタ２０１Ａを介してアダプタ装置２００Ｂに出力する一方、アダプタ装置２００ＢからＤＶＩコネクタ２０１Ａ、ＤＶＩケーブル５０１Ａ及びＤＶＩコネクタ１０１Ａを介して入力される信号を受信して、信号変換やプロトコル変換を含む所定のインターフェース処理を実行してＣＰＵ１１１に出力する。また、音声信号処理回路１２１は、入力される音声信号を、Ｄ／Ａ変換及び増幅してスピーカ１０２に出力する。さらに、ＤＶＤプレーヤ１００において、ＣＰＵ１１１は、デコーダ１２０からの映像音声信号に含まれる映像信号をアダプタ装置２００Ｂに出力する一方、音声信号に対して、音声信号とＰＤＰ装置４００Ａのディスプレイ４５２から出力される映像信号とを同期させるための所定の遅延処理を行った後で、処理後の音声信号を音声信号処理回路１２１を介してスピーカ１０２に出力する。【０１０９】
図１０において、アダプタ装置２００Ｂは、図１のアダプタ装置２００Ｂと比較して、ＨＤＭＩ端子２０１、インターフェース２１、映像音声信号処理回路２４、及び無線通信回路２５に代えて、ＤＶＩ端子２０１Ａ、インターフェース２１Ａ、映像信号処理回路２４Ａ、及び無線通信回路２５Ｂを備えて構成される。【０１１０】
アダプタ装置２００Ｂにおいて、インターフェース２１Ａは、ＤＶＤプレーヤ１００Ａとのインターフェース処理を実行して、ＤＶＩ規格に準拠する信号やデータをＤＶＩコネクタ２０１Ａ、ＤＶＩケーブル５０１Ａ及びＤＶＩコネクタ１０１Ａを介してＤＶＤプレーヤ１００Ａに出力する一方、ＤＶＤプレーヤ１００ＡからＤＶＩコネクタ１０１Ａ、ＤＶＩケーブル５０１Ａ及びＤＶＩコネクタ２０１Ａを介して入力される信号を受信して、信号変換やプロトコル変換を含む所定のインターフェース処理を実行してＣＰＵ１１に出力する。また、アダプタ装置２００Ｂにおいて映像信号処理回路２４Ａは、入力される映像信号に対して所定の圧縮符号化方式で圧縮符号化処理を行い、処理後の映像信号をＣＰＵ１１に出力する。【０１１１】
さらに、アダプタ装置２００Ｂにおいて、無線通信回路２５Ｂは、入力される映像信号に従って、無線搬送波を所定のディジタル変調方式を用いて映像無線信号にディジタル変調した後、映像無線信号に対して高域周波数変換及び高周波増幅などの高周波信号処理を実行し、処理後の映像無線信号を、アンテナ２６を介して、アダプタ装置３００Ｂに無線送信する。また、無線通信回路２５Ｂは、入力される５Ｖパルス信号、ＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号をアンテナ２６を介して、アダプタ装置３００Ｂに送信する。さらに、無線通信回路２５Ｂは、アンテナ２６で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。これにより、無線通信回路２５Ｂは、入力される映像信号、５Ｖパルス信号、ＡＣＫ信号及びＨＰＤパルス信号発生要求信号を、アダプタ装置３００Ｂに無線送信する一方、アダプタ装置３００ＢからのＨＰＤパルス信号及びＡＣＫ信号を無線受信する。【０１１２】
図１０において、アダプタ装置３００Ｂは、図１のアダプタ装置３００と比較して、ＨＤＭＩ端子３０１、インターフェース５７、映像音声信号処理回路７４、無画像無音信号発生回路７５、及び無線通信回路５５に代えて、ＤＶＩ端子３０１Ａ、インターフェース５７Ａ、映像信号処理回路７４Ａ、無画像信号発生回路７５Ａ、及び無線通信回路５５Ｂを備えて構成される。【０１１３】
アダプタ装置３００Ｂにおいて、映像信号処理回路７４Ａは、入力される映像信号に対して所定の復号化方式で復号化処理を行い、処理後の映像信号をＣＰＵ５１に出力する。無画像信号発生回路７５Ａは、所定の仕様を有する黒画像信号を含む無画像信号を発生してＣＰＵ５１に出力する。【０１１４】
また、アダプタ装置３００Ｂにおいて、インターフェース５７Ａは、ＰＤＰ装置４００Ａとのインターフェース処理を実行して、ＤＶＩ規格に準拠する信号やデータをＤＶＩコネクタ３０１Ａ、ＤＶＩケーブル５０２Ａ及びＤＶＩコネクタ４０１Ａを介してＰＤＰ装置４００Ａに出力する一方、ＰＤＰ装置４００ＡからＤＶＩコネクタ４０１Ａ、ＤＶＩケーブル５０２Ａ及びＤＶＩコネクタ３０１Ａを介して入力される信号を受信して、信号変換やプロトコル変換を含む所定のインターフェース処理を実行してＣＰＵ５１に出力する。【０１１５】
さらに、アダプタ装置３００Ｂにおいて、無線通信回路５５Ｂは、入力されるＨＰＤパルス信号及びＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号をアンテナ５６を介して、アダプタ装置２００Ｂに対して送信する。また、無線通信回路５５Ｂは、アンテナ５６で受信した映像無線信号に対して低域周波数変換及び高周波増幅などの高周波信号処理を実行し、処理後の映像無線信号を所定のディジタル復調方式を用いてベースバンド信号に復調した後、ベースバンド信号を映像信号に変換してＣＰＵ５１に出力する。さらに、無線通信回路５５Ｂは、アンテナ５６で受信した無線信号に対して低域周波数変換及び高周波増幅などの高周波信号処理を実行し、処理後の無線信号を所定のディジタル復調方式を用いてベースバンド信号に復調した後、ベースバンド信号を５Ｖ電圧信号、ＨＰＤパルス信号発生要求信号又はＡＣＫ信号に変換してＣＰＵ５１に出力する。これにより、無線通信回路５５Ｂは、入力されるＨＰＤパルス信号及びＡＣＫ信号を、アダプタ装置２００Ｂに無線送信する一方、アダプタ装置２００Ｂからの映像信号、５Ｖパルス信号、ＡＣＫ信号及びＨＰＤパルス信号発生要求信号を無線受信する。【０１１６】
図１０において、ＰＤＰ装置４００Ａは、図１のＰＤＰ装置４００と比較して、ＨＤＭＩ端子４０１及びインターフェース４５０に代えて、ＤＶＩ端子４０１Ａ及びインターフェース４５０Ａを備えて構成される。インターフェース４５０Ａは、アダプタ装置３００Ｂとのインターフェース処理を実行して、ＤＶＩ規格に準拠する信号やデータをＤＶＩコネクタ４０１Ａ、ＤＶＩケーブル５０２Ａ及びＤＶＩコネクタ３０１Ａを介してアダプタ装置３００Ｂに出力する一方、アダプタ装置３００ＢからＤＶＩコネクタ３０１Ａ、ＤＶＩケーブル５０２Ａ及びＤＶＩコネクタ５０１Ａを介して入力される信号を受信して、信号変換やプロトコル変換を含む所定のインターフェース処理を実行してＣＰＵ４１１に出力する。【０１１７】
上記の実施形態に係る無線伝送システムは、第１の実施形態に係る無線伝送システムと同様の効果を奏する。さらに、以上詳述したように、本実施形態に係るアダプタ装置２００Ｂによれば、ＤＶＤプレーヤ１００ＡのＣＰＵ１１１が発生した５Ｖ電圧信号及び映像信号をそれぞれ含む無線信号をアダプタ装置３００Ｂに無線送信する一方、アダプタ装置３００ＢからのＨＰＤ信号を含む無線信号を受信できる。また、本実施形態に係るアダプタ装置３００Ｂによれば、アダプタ装置２００Ｂからの５Ｖ電圧信号及び映像信号をそれぞれ含む無線信号を受信する一方、ＨＰＤ信号を含む無線信号をアダプタ装置２００Ｂに無線送信できる。従って、ＤＶＤプレーヤ１００ＡのＣＰＵ１１１が発生した５Ｖ電圧信号及び映像信号を、アダプタ装置２００Ｂ及びアダプタ装置３００Ｂを介してＰＤＰ装置４００Ａに無線伝送する一方、ＰＤＰ装置４００ＡのＣＰＵ４１１が発生したＨＰＤ信号を、アダプタ装置３００Ｂ及びアダプタ装置２００Ｂを介してＤＶＤプレーヤ１００Ａに無線伝送できる。すなわち、ＤＶＤプレーヤ１００ＡとＰＤＰ装置４００Ａとの間を無線伝送路で接続することにより、当該接続をＤＶＩケーブルを用いることなく実現して、従来技術に比較して簡単化できる。これにより、アダプタ装置２００Ｂに接続されるＤＶＤプレーヤ１００Ａ及びアダプタ装置３００Ｂに接続されるＰＤＰ装置４００Ａの設置場所の自由度を高めることができる。【０１１８】
第４の実施形態．
図１１は、本発明の第４の実施形態に係る、ＤＶＤプレーヤ１００Ａと、アダプタ装置２００Ｃ及び３００Ｃと、ＰＤＰ装置４００Ａとを含む無線伝送システムの構成を示すブロック図である。第４の実施形態に係る無線伝送システムは、第３の実施形態に係る無線伝送システムに比較して、アダプタ装置２００Ｂ及び３００Ｂに代えてアダプタ装置２００Ｃ及び３００Ｃを備えたことを特徴とする。また、アダプタ装置２００Ｃはアダプタ装置２００Ｂに比較して、無線通信回路２５Ｂに代えて図９の第２の実施形態に係る無線通信回路２５Ａを備えるとともに無線通信回路２７Ａ及びアンテナ２８をさらに備え、アダプタ装置３００Ａはアダプタ装置３００に比較して、無線通信回路５５Ｂに代えて図９の第２の実施形態に係る無線通信回路５５Ａを備えるとともに無線通信回路５７Ａ及びアンテナ５８をさらに備えたことを特徴とする。第４の実施形態に係る無線伝送システムは、第３の実施形態に係る無線伝送システムに比較して、アダプタ装置２００Ｃとアダプタ装置３００Ｃとの間で映像信号を伝送するための無線チャンネルの周波数と、５Ｖパルス信号、ＨＰＤパルス信号、ＡＣＫ信号、及びＨＰＤパルス発生要求信号を伝送するための無線チャンネルの周波数とが互いに異なることを特徴とする以下、第２及び第３の実施形態との相違点を詳述する。【０１１９】
アダプタ装置２００Ｃにおいて、ＣＰＵ１１は、映像信号処理回路２４Ａからの映像信号を無線通信回路２５Ａに出力する一方、５Ｖパルス信号発生回路２２からの５Ｖパルス信号、ＡＣＫ信号及びＨＰＤパルス信号発生要求信号を、無線通信回路２７Ａに出力する。【０１２０】
また、アダプタ装置２００Ｃにおいて、無線通信回路２７Ａは、入力される５Ｖパルス信号、ＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号をアンテナ２６を介して、第１の無線チャンネルを用いて、アダプタ装置３００Ｃに無線送信する。さらに、無線通信回路２７Ａは、アンテナ２８で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。【０１２１】
アダプタ装置３００Ｃにおいて、ＣＰＵ５１は、ＨＰＤパルス信号発生回路７３からのＨＰＤパルス信号及びＡＣＫ信号を、無線通信回路５７Ａに出力する。また、無線通信回路５７Ａは、入力されるＨＰＤパルス信号及びＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号を、アンテナ５８を介して、上記の第１の無線チャンネルと周波数が異なる第２の無線チャンネルを用いて、アダプタ装置２００Ｃに無線送信する一方、アンテナ５８で受信した無線信号に対して低域周波数変換及び高周波増幅などの高周波信号処理を実行し、処理後の無線信号を所定のディジタル復調方式を用いてベースバンド信号に復調した後、ベースバンド信号を５Ｖパルス信号、ＡＣＫ信号、又はＨＰＤパルス発生要求信号又に変換してＣＰＵ１１に出力する。【０１２２】
第４の実施形態に係る無線伝送システムは、第３の実施形態に係る無線伝送システムと同様の効果を奏する。また、映像無線信号をアンテナ２６及び５６を介して、第１の無線チャンネルを用いて無線伝送する一方、音声信号、５Ｖパルス信号、ＨＰＤパルス信号、ＡＣＫ信号、及びＨＰＤパルス発生要求信号をそれぞれ含む無線信号を、アンテナ２８及び５８を介して、第２の無線チャンネルを用いて無線伝送したので、第３の実施形態に係る無線伝送システムに比較して、アンテナ２６及び５６を介して、映像無線信号をより大きな伝送容量で無線伝送できる。【０１２３】
上記の第３及び第４の実施形態において、ＤＶＩ端子とＨＤＭＩ端子とを接続するための公知の変換コネクタを用いて、ＤＶＤプレーヤ１００と、アダプタ装置２００Ｂ又は２００Ｃとを接続してもよい。また、上記の変換コネクタを用いて、ＤＶＤプレーヤ１００Ａと、アダプタ装置２００又は２００Ａとを接続してもよい。さらに、ＰＤＰ装置４００と、アダプタ装置３００Ｂ又は３００Ｃとを接続してもよい。またさらに、ＰＤＰ装置４００Ａと、アダプタ装置３００又は３００Ａとを接続してもよい。【０１２４】
以上の各実施形態において、アダプタ装置２００及び２００Ａはそれぞれ、ＤＶＤプレーヤ１００に外付けされたが、本発明はこれに限らず、ＤＶＤプレーヤ１００に内蔵されてもよい。また、以上の各実施形態において、アダプタ装置３００及び３００Ａはそれぞれ、ＰＤＰ装置４００に外付けされたが、本発明はこれに限らず、ＰＤＰ装置４００に内蔵されてもよい。さらに、アダプタ装置２００Ｂ及び２００Ｃはそれぞれ、ＤＶＤプレーヤ１００Ａに外付けされたが、本発明はこれに限らず、ＤＶＤプレーヤ１００Ａに内蔵されてもよい。またさらの、以上の各実施形態において、アダプタ装置３００Ｂ及び３００Ｃはそれぞれ、ＰＤＰ装置４００Ａに外付けされたが、本発明はこれに限らず、ＰＤＰ装置４００Ａに内蔵されてもよい。
【産業上の利用可能性】
【０１２５】
以上詳述したように、第１の発明に係る第１の無線通信装置によれば、信号ソース装置からの少なくとも映像信号を含む第１の信号を第１の無線信号として第２の無線通信装置に無線送信する一方、第１の初期化信号を含む第２の無線信号を上記第２の無線通信装置から受信する第１の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。【０１２６】
第２の発明に係る第２の無線通信装置によれば、少なくとも映像信号を含む第１の信号を含む第１の無線信号を第１の無線通信装置から受信する一方、第１の初期化信号を第２の無線信号として上記第１の無線通信装置に無線送信する第２の無線通信手段と、上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線受信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。【０１２７】
第３の発明に係る第１の無線通信装置によれば、信号ソース装置からの少なくとも映像信号を含む第１の信号を第１の無線信号として第２の無線通信装置に無線送信する第１の無線通信手段と、第１の初期化信号を含む第２の無線信号を上記第２の無線通信装置から受信する第２の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。【０１２８】
第４の発明に係る第２の無線通信装置によれば、少なくとも映像信号を含む第１の信号を含む第１の無線信号を第１の無線通信装置から受信する第３の無線通信手段と、第１の初期化信号を第２の無線信号として上記第１の無線通信装置に無線送信する第４の無線通信手段と、上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線受信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。【０１２９】
第５の発明に係る無線伝送システムによれば、第１の発明に係る第１の無線通信装置と、第２の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。【０１３０】
第６の発明に係る無線伝送システムによれば、第３の発明に係る第１の無線通信装置と、第４の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。
【図１】
2007037478.tif 000003
【図２】
2007037478.tif 000004
【図３】
2007037478.tif 000005
【図４】
2007037478.tif 000006
【図５】
2007037478.tif 000007
【図６】
2007037478.tif 000008
【図７】
2007037478.tif 000009
【図８】
2007037478.tif 000010
【図９】
2007037478.tif 000011
【図１０】
2007037478.tif 000012
【図１１】
2007037478.tif 000013
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する一方、上記第１の初期化信号を含む第２の無線信号を上記第２の無線通信装置から受信する第１の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする無線通信装置。
【請求項２】
上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第１の無線通信手段を制御することを特徴とする請求項１記載の無線通信装置。
【請求項３】
上記第１の制御手段は、第２の初期化信号を含む第３の無線信号を上記第２の無線通信装置に無線送信するように上記第１の無線通信手段を制御することにより、所定の第２の初期化処理を実行するように上記第２の無線通信装置に接続された信号シンク装置を制御することを特徴とする請求項２記載の無線通信装置。
【請求項４】
上記第１の制御手段は、上記第３の無線信号を上記第２の無線通信装置に無線送信するように上記第１の無線通信手段を制御した後、上記第１の初期化信号を上記信号ソース装置に出力することを特徴とする請求項３記載の無線通信装置。
【請求項５】
上記第１の信号は上記映像信号に加えて音声信号を含み、上記映像信号、上記音声信号及び上記第１の初期化信号とその伝送手順は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠したことを特徴とする請求項１乃至４のうちのいずれか１つに記載の無線通信装置。
【請求項６】
上記映像信号及び上記第１の初期化信号とその伝送手順は、ＤＶＩ（Ｄｉｇｉｔａｌ  Ｖｉｓｕａｌ  Ｉｎｔｅｒｆａｃｅ）規格に準拠したことを特徴とする請求項１乃至４のうちのいずれか１つに記載の無線通信装置。
【請求項７】
少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する一方、上記第１の初期化信号を第２の無線信号として上記第１の無線通信装置に無線送信する第２の無線通信手段と、
上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備えたことを特徴とする無線通信装置。
【請求項８】
上記第２の制御手段は、上記第１の無線通信装置と第２の無線通信装置との間の通信異常を検出した場合、上記第１の初期化信号を上記第２の無線信号として上記第１の無線通信装置に無線送信するように上記第２の無線通信手段を制御することを特徴とする請求項７記載の無線通信装置。
【請求項９】
上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする請求項８記載の無線通信装置。
【請求項１０】
上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第２の無線通信手段を制御することを特徴とする請求項７乃至９のいずれか１つに記載の無線通信装置。
【請求項１１】
上記第２の無線通信装置は信号シンク装置に接続され、
上記第２の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする請求項７乃至１０のいずれか１つに記載の無線通信装置。
【請求項１２】
上記第２の制御手段は、上記第２の初期化信号を上記信号シンク装置に出力した後、上記第１の初期化信号を含む上記第２の無線信号を上記第１の無線通信装置に無線送信するように上記第２の無線通信手段を制御することを特徴とする請求項１１記載の無線通信装置。
【請求項１３】
上記第１の信号は上記映像信号に加えて音声信号を含み、上記映像信号、上記音声信号及び上記第１の初期化信号とその伝送手順は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠したことを特徴とする請求項７乃至１２のうちのいずれか１つに記載の無線通信装置。
【請求項１４】
上記映像信号及び上記第１の初期化信号とその伝送手順は、ＤＶＩ（Ｄｉｇｉｔａｌ  Ｖｉｓｕａｌ  Ｉｎｔｅｒｆａｃｅ）規格に準拠したことを特徴とする請求項７乃至１２のうちのいずれか１つに記載の無線通信装置。
【請求項１５】
信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する第１の無線通信手段と、
上記第１の初期化信号を含む第２の無線信号を上記第２の無線通信装置から受信する第２の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする無線通信装置。
【請求項１６】
上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第２の無線通信手段を制御することを特徴とする請求項１５記載の無線通信装置。
【請求項１７】
上記第１の制御手段は、第２の初期化信号を含む第３の無線信号を上記第２の無線通信装置に無線送信するように上記第２の無線通信手段を制御することにより、所定の第２の初期化処理を実行するように上記第２の無線通信装置に接続された信号シンク装置を制御することを特徴とする請求項１６記載の無線通信装置。
【請求項１８】
上記第１の制御手段は、上記第３の無線信号を上記第２の無線通信装置に無線送信するように上記第２の無線通信手段を制御した後、上記第１の初期化信号を上記信号ソース装置に出力することを特徴とする請求項１７記載の無線通信装置。
【請求項１９】
上記第１の信号は上記映像信号に加えて音声信号を含み、上記映像信号、上記音声信号及び上記第１の初期化信号とその伝送手順は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠したことを特徴とする請求項１５乃至１８のうちのいずれか１つに記載の無線通信装置。
【請求項２０】
上記映像信号及び上記第１の初期化信号とその伝送手順は、ＤＶＩ（Ｄｉｇｉｔａｌ  Ｖｉｓｕａｌ  Ｉｎｔｅｒｆａｃｅ）規格に準拠したことを特徴とする請求項１５乃至１８のうちのいずれか１つに記載の無線通信装置。
【請求項２１】
少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する第３の無線通信手段と、
上記第１の初期化信号を第２の無線信号として上記第１の無線通信装置に無線送信する第４の無線通信手段と、
上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備えたことを特徴とする無線通信装置。
【請求項２２】
上記第２の制御手段は、上記第１の無線通信装置と第２の無線通信装置との間の通信異常を検出した場合、上記第１の初期化信号を上記第２の無線信号として上記第１の無線通信装置に無線送信するように上記第４の無線通信手段を制御することを特徴とする請求項２１記載の無線通信装置。
【請求項２３】
上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする請求項２２記載の無線通信装置。
【請求項２４】
上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第４の無線通信手段を制御することを特徴とする請求項２１乃至２３のいずれか１つに記載の無線通信装置。
【請求項２５】
上記第２の無線通信装置は信号シンク装置に接続され、
上記第４の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする請求項２１乃至２４のいずれか１つに記載の無線通信装置。
【請求項２６】
上記第２の制御手段は、上記第２の初期化信号を上記信号シンク装置に出力した後、上記第１の初期化信号を含む上記第２の無線信号を上記第１の無線通信装置に無線送信するように上記第４の無線通信手段を制御することを特徴とする請求項２５記載の無線通信装置。
【請求項２７】
上記第１の信号は上記映像信号に加えて音声信号を含み、上記映像信号、上記音声信号及び上記第１の初期化信号とその伝送手順は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠したことを特徴とする請求項２１乃至２６のうちのいずれか１つに記載の無線通信装置。
【請求項２８】
上記映像信号及び上記第１の初期化信号とその伝送手順は、ＤＶＩ（Ｄｉｇｉｔａｌ  Ｖｉｓｕａｌ  Ｉｎｔｅｒｆａｃｅ）規格に準拠したことを特徴とする請求項２１乃至２６のうちのいずれか１つに記載の無線通信装置。
【請求項２９】
請求項１乃至４のうちのいずれか１つに記載の無線通信装置である第１の無線通信装置と、請求項７乃至１２のうちのいずれか１つに記載の無線通信装置である第２の無線通信装置とを備えたことを特徴とする無線伝送システム。
【請求項３０】
請求項１５乃至１８のうちのいずれか１つに記載の無線通信装置である第１の無線通信装置と、請求項２１乃至２６のうちのいずれか１つに記載の無線通信装置である第２の無線通信装置とを備えたことを特徴とする無線伝送システム。
【請求項３１】
前記第１の初期化信号は、ＨＤＭＩ規格又はＤＶＩ規格により定義されるＨＰＤ（Ｈｏｔ  Ｐｌｕｇ  Ｄｅｔｅｃｔ）信号であることを特徴とする請求項１記載の無線通信装置。
【請求項３２】
前記第２の初期化信号は、ＨＤＭＩ規格又はＤＶＩ規格により定義される５Ｖ電圧信号であることを特徴とする請求項３記載の無線通信装置。
【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する一方、上記第１の初期化信号を含む第２の無線信号を上記第２の無線通信装置から受信する第１の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする無線通信装置。
【請求項２】
上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第１の無線通信手段を制御することを特徴とする請求項１記載の無線通信装置。
【請求項３】
上記第１の制御手段は、第２の初期化信号を含む第３の無線信号を上記第２の無線通信装置に無線送信するように上記第１の無線通信手段を制御することにより、所定の第２の初期化処理を実行するように上記第２の無線通信装置に接続された信号シンク装置を制御することを特徴とする請求項２記載の無線通信装置。
【請求項４】
上記第１の制御手段は、上記第３の無線信号を上記第２の無線通信装置に無線送信するように上記第１の無線通信手段を制御した後、上記第１の初期化信号を上記信号ソース装置に出力することを特徴とする請求項３記載の無線通信装置。
【請求項５】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項１乃至４のうちのいずれか１つに記載の無線通信装置。
【請求項６】
上記映像信号及び上記第１の初期化信号とその伝送手順は、ＤＶＩ（Digital Visual Interface）規格に準拠したことを特徴とする請求項１乃至４のうちのいずれか１つに記載の無線通信装置。
【請求項７】
少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する一方、上記第１の初期化信号を第２の無線信号として上記第１の無線通信装置に無線送信する第２の無線通信手段と、
上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備えたことを特徴とする無線通信装置。
【請求項８】
上記第２の制御手段は、上記第１の無線通信装置と第２の無線通信装置との間の通信異常を検出した場合、上記第１の初期化信号を上記第２の無線信号として上記第１の無線通信装置に無線送信するように上記第２の無線通信手段を制御することを特徴とする請求項７記載の無線通信装置。
【請求項９】
上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする請求項８記載の無線通信装置。
【請求項１０】
上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第２の無線通信手段を制御することを特徴とする請求項７乃至９のいずれか１つに記載の無線通信装置。
【請求項１１】
上記第２の無線通信装置は信号シンク装置に接続され、
上記第２の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする請求項７乃至１０のいずれか１つに記載の無線通信装置。
【請求項１２】
上記第２の制御手段は、上記第２の初期化信号を上記信号シンク装置に出力した後、上記第１の初期化信号を含む上記第２の無線信号を上記第１の無線通信装置に無線送信するように上記第２の無線通信手段を制御することを特徴とする請求項１１記載の無線通信装置。
【請求項１３】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項７乃至１２のうちのいずれか１つに記載の無線通信装置。
【請求項１４】
上記映像信号及び上記第１の初期化信号とその伝送手順は、ＤＶＩ（Digital Visual Interface）規格に準拠したことを特徴とする請求項７乃至１２のうちのいずれか１つに記載の無線通信装置。
【請求項１５】
信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する第１の無線通信手段と、
上記第１の初期化信号を含む第２の無線信号を上記第２の無線通信装置から受信する第２の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする無線通信装置。
【請求項１６】
上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第２の無線通信手段を制御することを特徴とする請求項１５記載の無線通信装置。
【請求項１７】
上記第１の制御手段は、第２の初期化信号を含む第３の無線信号を上記第２の無線通信装置に無線送信するように上記第２の無線通信手段を制御することにより、所定の第２の初期化処理を実行するように上記第２の無線通信装置に接続された信号シンク装置を制御することを特徴とする請求項１６記載の無線通信装置。
【請求項１８】
上記第１の制御手段は、上記第３の無線信号を上記第２の無線通信装置に無線送信するように上記第２の無線通信手段を制御した後、上記第１の初期化信号を上記信号ソース装置に出力することを特徴とする請求項１７記載の無線通信装置。
【請求項１９】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項１５乃至１８のうちのいずれか１つに記載の無線通信装置。
【請求項２０】
上記映像信号及び上記第１の初期化信号とその伝送手順は、ＤＶＩ（Digital Visual Interface）規格に準拠したことを特徴とする請求項１５乃至１８のうちのいずれか１つに記載の無線通信装置。
【請求項２１】
少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する第３の無線通信手段と、
上記第１の初期化信号を第２の無線信号として上記第１の無線通信装置に無線送信する第４の無線通信手段と、
上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備えたことを特徴とする無線通信装置。
【請求項２２】
上記第２の制御手段は、上記第１の無線通信装置と第２の無線通信装置との間の通信異常を検出した場合、上記第１の初期化信号を上記第２の無線信号として上記第１の無線通信装置に無線送信するように上記第４の無線通信手段を制御することを特徴とする請求項２１記載の無線通信装置。
【請求項２３】
上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする請求項２２記載の無線通信装置。
【請求項２４】
上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第４の無線通信手段を制御することを特徴とする請求項２１乃至２３のいずれか１つに記載の無線通信装置。
【請求項２５】
上記第２の無線通信装置は信号シンク装置に接続され、
上記第４の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする請求項２１乃至２４のいずれか１つに記載の無線通信装置。
【請求項２６】
上記第２の制御手段は、上記第２の初期化信号を上記信号シンク装置に出力した後、上記第１の初期化信号を含む上記第２の無線信号を上記第１の無線通信装置に無線送信するように上記第４の無線通信手段を制御することを特徴とする請求項２５記載の無線通信装置。
【請求項２７】
上記第１の信号は上記映像信号に加えて音声信号を含み、上記映像信号、上記音声信号及び上記第１の初期化信号とその伝送手順は、ＨＤＭＩ（High Definition Multimedia Interface）規格に準拠したことを特徴とする請求項２１乃至２６のうちのいずれか１つに記載の無線通信装置。
【請求項２８】
上記映像信号及び上記第１の初期化信号とその伝送手順は、ＤＶＩ（Digital Visual Interface）規格に準拠したことを特徴とする請求項２１乃至２６のうちのいずれか１つに記載の無線通信装置。
【請求項２９】
請求項１乃至４のうちのいずれか１つに記載の無線通信装置である第１の無線通信装置と、請求項７乃至１２のうちのいずれか１つに記載の無線通信装置である第２の無線通信装置とを備えたことを特徴とする無線伝送システム。
【請求項３０】
請求項１５乃至１８のうちのいずれか１つに記載の無線通信装置である第１の無線通信装置と、請求項２１乃至２６のうちのいずれか１つに記載の無線通信装置である第２の無線通信装置とを備えたことを特徴とする無線伝送システム。
【請求項３１】
前記第１の初期化信号は、ＨＤＭＩ規格又はＤＶＩ規格により定義されるＨＰＤ（Hot Plug Detect）信号であることを特徴とする請求項１記載の無線通信装置。
【請求項３２】
前記第２の初期化信号は、ＨＤＭＩ規格又はＤＶＩ規格により定義される５Ｖ電圧信号であることを特徴とする請求項３記載の無線通信装置。
【手続補正２】
【補正対象書類名】明細書
【補正対象項目名】全文
【補正方法】変更
【補正の内容】
【発明の詳細な説明】
【技術分野】
【０００１】
本発明は、無線通信装置及び無線伝送システムに関し、特に、ＤＶＤプレーヤやセットトップボックスなどの信号ソース装置が出力する映像信号や音声信号を、ディジタルテレビなどの信号シンク装置に無線伝送するための無線通信装置及び無線伝送システムに関する。
【背景技術】
【０００２】
従来、ＤＶＤプレーヤなどの信号ソース装置から、プラズマディスプレイ装置（以下、ＰＤＰ装置という。）などの信号シンク装置に、映像信号を伝送するためのインターフェース規格として、ＤＶＩ（Digital Visual Interface）規格がある。ＤＶＩ規格に準拠したディジタルデータ伝送バスであるＤＶＩケーブルを介して伝送されるデータはディジタルデータであるので、アナログデータ伝送と比較するとノイズに強く高画質化が行える利点がある。また、ＤＶＩ規格に準拠した信号を送受信する信号ソース装置であるＤＶＩソース装置と、ＤＶＩ規格に準拠した信号を送受信する信号シンク装置であるＤＶＩシンク装置とを備えて構成される従来技術に係るＤＶＩシステムにおいて、ＤＶＤプレーヤやセットトップボックス等のＤＶＩソース装置と、液晶表示装置やディジタルテレビジョン装置等のＤＶＩシンク装置とは、ＤＶＩケーブル及び音声信号を伝送するための音声ケーブルで接続される。さらに、ＤＶＩ規格では、映像信号の他に、信号ソース装置を初期化するために信号シンク装置から信号ソース装置に伝送される初期化信号であるＨＰＤ（Hot Plug Detect）信号及び信号ソース装置から信号シンク装置への電源供給タイミングを示す信号である５Ｖ電圧信号等の制御信号が伝送される。
【０００３】
近年、ＤＶＩ規格を拡張した次世代ディジタルテレビ向けのインターフェース規格として、１本のケーブルで映像信号と音声信号とを伝送するＨＤＭＩ（High Definition Multimedia Interface）規格が開発され、ＨＤＭＩ規格を採用したＡＶ機器が市場に普及し始めている。ＨＤＭＩ規格に準拠した信号を送受信する信号ソース装置であるＨＤＭＩソース装置と、ＨＤＭＩ規格に準拠した信号を送受信する信号シンク装置であるＨＤＭＩシンク装置とを備えて構成される従来技術に係るＨＤＭＩシステムにおいて、ＤＶＤプレーヤやセットトップボックス等のＨＤＭＩソース装置と、液晶表示装置やディジタルテレビジョン装置等のＨＤＭＩシンク装置とは、ＨＤＭＩ規格に準拠したディジタルデータ伝送バスである１本のＨＤＭＩケーブルで接続される。従って、映像信号と音声信号を伝送するには複数のケーブルが必要とされるＤＶＩシステムに比較して、ＡＶ機器間の配線を簡単化できる利点がある。また、ＨＤＭＩ規格でもＤＶＩ規格と同様、映像信号及び音声信号の他に、上記のＨＰＤ信号及び５Ｖ電圧信号等の制御信号が伝送される。さらに、ＤＶＩ規格に準拠したデータ端子であるＤＶＩ端子と、ＨＤＭＩ規格に準拠したデータ端子でありＨＤＭＩ端子とを接続するための変換コネクタも市販されており、この変換コネクタを使用して、ＨＤＭＩソース装置とＤＶＩシンク装置、又は、ＤＶＩソース装置とＨＤＭＩシンク装置とをそれぞれ接続することができる。ＨＤＭＩ規格はＤＶＩ規格を包含する。
【０００４】
また、特許文献１には、映像信号と音声信号とを光無線通信によって伝送する伝送システムが開示されている。
【０００５】
【特許文献１】特開２００５−１０２１６１号公報。
【発明の開示】
【発明が解決しようとする課題】
【０００６】
しかしながら、上記の従来技術に係るＤＶＩシステム及びＨＤＭＩシステムでは、信号ソース装置が壁掛けタイプのテレビジョン装置や天井に設置されたプロジェクタ装置である場合には、信号ソース装置と信号シンク装置とを接続するＤＶＩケーブル及び音声ケーブル又はＨＤＭＩケーブルを壁伝いに配線しなければならず手間がかかり、外観上も好ましくないという問題があった。また、機器どうしを接続するＤＶＩケーブル及び音声ケーブル又はＨＤＭＩケーブルの長さによって、機器の設置場所や取り回し範囲が制約をうけるという問題があった。さらに、ＡＶ機器の操作に不慣れなユーザにとっては、複数あるＡＶ機器間をそれぞれ正しくケーブル接続することが難しいという問題があった。
【０００７】
また、特許文献１は、光無線通信によって映像信号及び音声信号を伝送する伝送システムを開示しているが、ＨＰＤ信号及び５Ｖ電圧信号等の制御信号を伝送するためのケーブルを用いてＡＶ機器間を接続する必要があり、従来技術に係るＤＶＩシステム及びＨＤＭＩシステムと同様の問題を有していた。
【０００８】
本発明の目的は以上の問題を解決し、従来技術と比較して信号ソース装置及び信号シンク装置の設置場所の自由度を高めることができ、信号ソース装置と信号シンク装置との間の接続を、ケーブルを用いることなく簡単化できる無線通信装置及びそれを用いた無線伝送システムを提供することにある。
【課題を解決するための手段】
【０００９】
第１の発明に係る無線通信装置は、信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する一方、上記第１の初期化信号を含む第２の無線信号を上記第２の無線通信装置から受信する第１の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする。
【００１０】
上記無線通信装置において、上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第１の無線通信手段を制御することを特徴とする。
【００１１】
また、上記無線通信装置において、上記第１の制御手段は、第２の初期化信号を含む第３の無線信号を上記第２の無線通信装置に無線送信するように上記第１の無線通信手段を制御することにより、所定の第２の初期化処理を実行するように上記第２の無線通信装置に接続された信号シンク装置を制御することを特徴とする。
【００１２】
さらに、上記無線通信装置において、上記第１の制御手段は、上記第３の無線信号を上記第２の無線通信装置に無線送信するように上記第１の無線通信手段を制御した後、上記第１の初期化信号を上記信号ソース装置に出力することを特徴とする。
【００１３】
またさらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。
【００１４】
また、上記無線通信装置において、上記映像信号及び上記第１の初期化信号とその伝送手順は、ＤＶＩ規格に準拠したことを特徴とする。
【００１５】
第２の発明に係る無線通信装置は、少なくとも映像信号を含む第１の信号を受信し、第２の初期化信号を含む第１の信号を送信する第２の無線通信装置である無線通信装置であって、
上記第１の信号を含む第１の無線信号を第１の無線通信装置から受信する一方、上記第１の初期化信号を第２の無線信号として上記第１の無線通信装置に無線送信する第２の無線通信手段と、
上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備えたことを特徴とする。
【００１６】
上記無線通信装置において、上記第２の制御手段は、上記第１の無線通信装置と第２の無線通信装置との間の通信異常を検出した場合、上記第１の初期化信号を上記第２の無線信号として上記第１の無線通信装置に無線送信するように上記第２の無線通信手段を制御することを特徴とする。
【００１７】
また、上記無線通信装置において、上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする。
【００１８】
さらに、上記無線通信装置において、上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第２の無線通信手段を制御することを特徴とする。
【００１９】
またさらに、上記無線通信装置において、上記第２の無線通信装置は信号シンク装置に接続され、
上記第２の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする。
【００２０】
また、上記無線通信装置において、上記第２の制御手段は、上記第２の初期化信号を上記信号シンク装置に出力した後、上記第１の初期化信号を含む上記第２の無線信号を上記第１の無線通信装置に無線送信するように上記第２の無線通信手段を制御することを特徴とする。
【００２１】
さらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。
【００２２】
またさらに、上記無線通信装置において、上記映像信号及び上記第１の初期化信号とその伝送手順は、ＤＶＩ規格に準拠したことを特徴とする。
【００２３】
第３の発明に係る無線通信装置は、信号ソース装置からの少なくとも映像信号を含む第１の信号を送信し、第１の初期化信号を含む第２の信号を受信する第１の無線通信装置である無線通信装置であって、
上記第１の信号を第１の無線信号として第２の無線通信装置に無線送信する第１の無線通信手段と、
上記第１の初期化信号を含む第２の無線信号を上記第２の無線通信装置から受信する第２の無線通信手段と、
上記第２の無線信号を上記第１の初期化信号に変換して上記信号ソース装置に出力することにより、所定の第１の初期化処理を実行するように上記信号ソース装置を制御する第１の制御手段とを備えたことを特徴とする。
【００２４】
上記無線通信装置において、上記第１の制御手段は、上記第１の無線通信装置と第２の無線通信装置との間の通信異常を検出した場合、上記第１の初期化信号を含む上記第２の無線信号の発生を要求する要求信号を発生し、上記要求信号を上記第２の無線通信装置に無線送信するように上記第２の無線通信手段を制御することを特徴とする。
【００２５】
また、上記無線通信装置において、上記第１の制御手段は、第２の初期化信号を含む第３の無線信号を上記第２の無線通信装置に無線送信するように上記第２の無線通信手段を制御することにより、所定の第２の初期化処理を実行するように上記第２の無線通信装置に接続された信号シンク装置を制御することを特徴とする。
【００２６】
さらに、上記無線通信装置において、上記第１の制御手段は、上記第３の無線信号を上記第２の無線通信装置に無線送信するように上記第２の無線通信手段を制御した後、上記第１の初期化信号を上記信号ソース装置に出力することを特徴とする。
【００２７】
またさらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。
【００２８】
また、上記無線通信装置において、上記映像信号及び上記第１の初期化信号とその伝送手順は、ＤＶＩ規格に準拠したことを特徴とする。
【００２９】
第４の発明に係る無線通信装置は、少なくとも映像信号を含む第１の信号を受信し、第１の初期化信号を含む第２の信号を送信する第２の無線通信装置である無線通信装置であって、
上記第１の信号を含む第１の無線信号を第１の無線通信装置から受信する第３の無線通信手段と、
上記第１の初期化信号を第２の無線信号として上記第１の無線通信装置に無線送信する第４の無線通信手段と、
上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備えたことを特徴とする。
【００３０】
上記無線通信装置において、上記第２の制御手段は、上記第１の無線通信装置と第２の無線通信装置との間の通信異常を検出した場合、上記第１の初期化信号を上記第２の無線信号として上記第１の無線通信装置に無線送信するように上記第４の無線通信手段を制御することを特徴とする。
【００３１】
また、上記無線通信装置において、上記第２の無線通信装置は信号シンク装置に接続され、
上記第２の制御手段は、上記第１の無線通信装置と第２の無線通信装置との間の通信異常を検出した場合、所定の仕様を有する無画像無音信号を発生して上記信号シンク装置に出力することを特徴とする。
【００３２】
さらに、上記無線通信装置において、上記第２の制御手段は、上記第１の無線通信装置からの上記第１の初期化信号を含む上記第２の無線信号の発生を要求する要求信号に応答して、上記第１の初期化信号を上記第２の無線信号として上記第１の無線通信装置に無線送信するように上記第４の無線通信手段を制御することを特徴とする。
【００３３】
またさらに、上記無線通信装置において、上記第２の無線通信装置は信号シンク装置に接続され、
上記第４の無線通信手段は、第２の初期化信号を含む第３の無線信号を上記第１の無線通信装置から受信し、
上記第２の制御手段は、上記第３の無線信号を上記第２の初期化信号に変換して上記信号シンク装置に出力することにより、所定の第２の初期化処理を実行するように上記信号シンク装置を制御することを特徴とする。
【００３４】
また、上記無線通信装置において、上記第２の制御手段は、上記第２の初期化信号を上記信号シンク装置に出力した後、上記第１の初期化信号を含む上記第２の無線信号を上記第１の無線通信装置に無線送信するように上記第４の無線通信手段を制御することを特徴とする。
【００３５】
さらに、上記無線通信装置において、上記第１の信号は上記映像信号に加えて音声信号を含み、上記映像信号、上記音声信号及び上記第１の初期化信号とその伝送手順は、ＨＤＭＩ規格に準拠したことを特徴とする。
【００３６】
またさらに、上記無線通信装置において、上記映像信号及び上記第１の初期化信号とその伝送手順は、ＤＶＩ規格に準拠したことを特徴とする。
【００３７】
第５の発明に係る無線伝送システムは上記の第１の発明に係る無線通信装置である第１の無線通信装置と、上記の第２の発明に係る無線通信装置である第２の無線通信装置とを備えたことを特徴とする。
【００３８】
第６の発明に係る無線伝送システムは上記の第３の発明に係る無線通信装置である第１の無線通信装置と、上記の第４の発明に係る無線通信装置である第２の無線通信装置とを備えたことを特徴とする。
【発明の効果】
【００３９】
第１の発明に係る第１の無線通信装置によれば、信号ソース装置からの少なくとも映像信号を含む第１の信号を第１の無線信号として第２の無線通信装置に無線送信する一方、第１の初期化信号を含む第２の無線信号を上記第２の無線通信装置から受信する第１の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。
【００４０】
第２の発明に係る第２の無線通信装置によれば、少なくとも映像信号を含む第１の信号を含む第１の無線信号を第１の無線通信装置から受信する一方、第１の初期化信号を第２の無線信号として上記第１の無線通信装置に無線送信する第２の無線通信手段と、上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線送信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。
【００４１】
第３の発明に係る第１の無線通信装置によれば、信号ソース装置からの少なくとも映像信号を含む第１の信号を第１の無線信号として第２の無線通信装置に無線送信する第１の無線通信手段と、第１の初期化信号を含む第２の無線信号を上記第２の無線通信装置から受信する第２の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。
【００４２】
第４の発明に係る第２の無線通信装置によれば、少なくとも映像信号を含む第１の信号を含む第１の無線信号を第１の無線通信装置から受信する第３の無線通信手段と、第１の初期化信号を第２の無線信号として上記第１の無線通信装置に無線送信する第４の無線通信手段と、上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線送信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。
【００４３】
第５の発明に係る無線伝送システムによれば、第１の発明に係る第１の無線通信装置と、第２の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。
【００４４】
第６の発明に係る無線伝送システムによれば、第３の発明に係る第１の無線通信装置と、第４の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。
【発明を実施するための最良の形態】
【００４５】
以下、本発明に係る実施形態について図面を参照して説明する。なお、同様の構成要素については同一の符号を付している。
【００４６】
第１の実施形態．
図１は、本発明の第１の実施形態に係る、ＤＶＤプレーヤ１００と、アダプタ装置２００及び３００と、ＰＤＰ（Plasma Display Panel）装置４００とを含む無線伝送システムの構成を示すブロック図である。図１の無線伝送システムは、ＤＶＤプレーヤ１００からの映像音声信号及び第２の初期化信号である５Ｖ電圧信号をアダプタ装置２００及び３００を介してＰＤＰ装置４００に伝送する一方、ＰＤＰ装置４００からの第１の初期化信号であるＨＰＤ信号をアダプタ装置３００及び２００を介してＤＶＤプレーヤ１００に伝送する。
【００４７】
ここで、ＤＶＤプレーヤ１００は、ＨＤＭＩ規格に準拠した信号を送受信する信号ソース装置であるＨＤＭＩソース装置であり、ＤＶＤプレーヤ１００のＨＤＭＩ端子１０１、ＨＤＭＩケーブル５０１及びアダプタ装置２００のＨＤＭＩ端子２０１を介してアダプタ装置２００に接続される。また、ＰＤＰ装置４００はＨＤＭＩ規格に準拠した信号を送受信する信号シンク装置であるＨＤＭＩシンク装置であり、ＰＤＰ装置４００のＨＤＭＩ端子４０１、ＨＤＭＩケーブル５０２及びアダプタ装置３００のＨＤＭＩ端子３０１を介してアダプタ装置３００に接続される。さらに、アダプタ装置２００とアダプタ装置３００とは、アダプタ装置２００のアンテナ２６とアダプタ装置３００のアンテナ５６とを介して無線接続される。
【００４８】
なお、ＨＤＭＩ端子１０１，２０１，３０１及び４０１はそれぞれ、ＨＤＭＩ規格に準拠したデータ端子である。また、ＨＤＭＩケーブル５０１及び５０２はそれぞれ、ＨＤＭＩ規格に準拠したディジタルデータ伝送バスであり、映像音声信号を伝送するための複数の信号線と、５Ｖ電圧信号を伝送するための５Ｖ電圧信号線と、ＨＰＤ信号を伝送するためのＨＰＤ信号線とを含む。ここで、５Ｖ電圧信号は、ＨＤＭＩ規格及びＤＶＩ規格において定義されており、信号ソース装置から信号シンク装置への電源供給タイミングを示す信号であり、ＤＶＤプレーヤ１００などの信号ソース装置によって発生されて、ＰＤＰ装置４００などの信号シンク装置に出力される。これに応答して、信号シンク装置は、所定の初期化処理を実行する。ＨＰＤ信号は、ＨＤＭＩ規格及びＤＶＩ規格において定義されており、信号シンク装置において５Ｖ電圧信号を受信し所定の初期化処理を終了した場合、又は信号シンク装置から信号ソース装置に初期化要求を行った場合に、信号ソース装置を初期化するために信号シンク装置から信号ソース装置に伝送される初期化信号である。信号ソース装置は、ＨＤＭＩケーブル又はＤＶＩケーブルのＨＰＤ信号線の電圧レベルの変化を検出することにより、ＨＰＤ信号の受信を判定し、所定の初期化処理を実行する。
【００４９】
ここで、詳細後述するように、アダプタ装置２００は、ＤＶＤプレーヤ１００からの映像音声信号を含む第１の信号である第１の信号を映像音声無線信号としてアダプタ装置３００に無線送信する一方、ＨＰＤ信号を含むＨＰＤパルス信号をアダプタ装置３００から受信する無線通信回路２５と、ＨＰＤパルス信号をＨＰＤ信号に変換してＤＶＤプレーヤ１００に出力することにより、所定の初期化処理を実行するようにＤＶＤプレーヤ１００を制御するコントローラ１０とを備えたことを特徴とする。また、詳細後述するように、アダプタ装置３００は、映像音声信号を含む映像音声無線信号をアダプタ装置２００から受信する一方、ＨＰＤ信号をＨＰＤパルス信号としてアダプタ装置２００に無線送信する無線通信回路５５と、ＨＰＤ信号をＨＰＤパルス信号としてアダプタ装置２００に無線送信するように無線通信回路５５を制御することにより、所定の初期化処理を実行するようにアダプタ装置２００に接続されたＤＶＤプレーヤ１００を制御するコントローラ５０とを備えたことを特徴とする。
【００５０】
図１において、ＤＶＤプレーヤ１００は、コントローラ１１０と、デコーダ１２０と、ＤＶＤドライブ１３０と、ＤＶＤ１４０と、インターフェース１５０と、ＨＤＭＩ端子１０１とを備えて構成される。ここで、コントローラ１１０と、デコーダ１２０と、ＤＶＤドライブ１３０と、インターフェース１５０とはコントローラ１１０のバス１１４を介して互いに接続される。
【００５１】
ＤＶＤプレーヤ１００において、コントローラ１１０は、ＤＶＤプレーヤ１００の全体の動作を制御するためのコントローラであって、互いにバス１１４を介して接続されるＣＰＵ（Central Processing Unit；以下、ＣＰＵという。）１１１と、ＲＡＭ（Random Access Memory；以下、ＲＡＭという。）１１２と、ＲＯＭ（Read Only Memory；以下、ＲＯＭという。）１１３とを備えて構成される。ＣＰＵ１１１は、ＤＶＤプレーヤ１００の全体の動作を制御するコンピュータであって、種々のソフトウェアのプログラム等を実行する。また、ＲＯＭ１１３は、ＤＶＤプレーヤ１００の動作に必要な種々のソフトウェア及び、ＣＰＵ１１１によって実行されるソフトウェアのコンピュータにより実行可能なプログラムを予め記憶する。さらに、ＲＡＭ１１２は、ＳＲＡＭ、ＤＲＡＭ、ＳＤＲＡＭ等で構成され、ＣＰＵ１１１のワーキングエリアとして使用されてプログラムの実行時に発生する一時的なデータを記憶する。
【００５２】
また、ＤＶＤプレーヤ１００において、インターフェース１５０は、入力される信号に対して、アダプタ装置２００とのインターフェース処理を実行して、ＨＤＭＩ規格に準拠する信号やデータを発生して、ＨＤＭＩコネクタ１０１、ＨＤＭＩケーブル５０１及びＨＤＭＩコネクタ２０１を介してアダプタ装置２００に出力する一方、アダプタ装置２００からＨＤＭＩコネクタ２０１、ＨＤＭＩケーブル５０１及びＨＤＭＩコネクタ１０１を介して入力される信号を受信して、信号変換やプロトコル変換を含む所定のインターフェース処理を実行してＣＰＵ１１１に出力する。
【００５３】
ＤＶＤプレーヤ１００において、デコーダ１２０の動作はＣＰＵ１１１によって制御される。デコーダ１２０は、ＤＶＤ１４０に格納されたコンテンツをＤＶＤドライブ１３０を用いて再生して、映像音声信号を発生してＣＰＵ１１１に出力する。ＣＰＵ１１１は、入力される映像音声信号をインターフェース１５０、ＨＤＭＩ端子１０１、ＨＤＭＩケーブル５０１及びＨＤＭＩ端子２０１を介してアダプタ装置２００に出力する。
【００５４】
図１において、アダプタ装置２００は、ＨＤＭＩ端子２０１と、互いにコントローラ１０のバス１４を介して接続されるコントローラ１０と、インターフェース２１と、５Ｖパルス信号発生回路２２と、ＨＰＤ信号発生回路２３と、映像音声信号処理回路２４と、アンテナ２６を備えた無線通信回路２５とを備えて構成される。
【００５５】
アダプタ装置２００において、コントローラ１０は、アダプタ装置２００の全体の動作を制御するためのコントローラであって、互いにバス１４を介して接続されるＣＰＵ１１と、ＲＡＭ１２と、ＲＯＭ１３とを備えて構成される。ＣＰＵ１１は、アダプタ装置２００の全体の動作を制御するコンピュータであって、種々のソフトウェアのプログラム等を実行する。また、ＲＯＭ１３は、アダプタ装置２００の動作に必要な種々のソフトウェア及び、ＣＰＵ１１によって実行されるソフトウェアのコンピュータにより実行可能なプログラムを予め記憶する。さらに、ＲＡＭ１２は、ＳＲＡＭ、ＤＲＡＭ、ＳＤＲＡＭ等で構成され、ＣＰＵ１１のワーキングエリアとして使用されてプログラムの実行時に発生する一時的なデータを記憶する。
【００５６】
また、アダプタ装置２００において、５Ｖパルス信号発生回路２２は、詳細後述するように、入力される５Ｖ電圧信号に基づいて５Ｖパルス信号を発生してＣＰＵ１１に出力する。ＨＰＤ信号発生回路２３は、詳細後述するように、入力されるＨＰＤパルス信号に基づいて、ＨＰＤ信号を発生してＣＰＵ１１に出力する。映像音声信号処理回路２４は、入力される映像音声信号に対して所定の圧縮符号化方式で圧縮符号化処理を行い、処理後の映像音声信号をＣＰＵ１１に出力する。
【００５７】
さらに、アダプタ装置２００において、インターフェース２１は、ＤＶＤプレーヤ１００とのインターフェース処理を実行して、ＨＤＭＩ規格に準拠する信号やデータをＨＤＭＩコネクタ２０１、ＨＤＭＩケーブル５０１及びＨＤＭＩコネクタ１０１を介してＤＶＤプレーヤ１００に出力する一方、ＤＶＤプレーヤ１００からＨＤＭＩコネクタ１０１、ＨＤＭＩケーブル５０１及びＨＤＭＩコネクタ２０１を介して入力される信号を受信して、信号変換やプロトコル変換を含む所定のインターフェース処理を実行してＣＰＵ１１に出力する。
【００５８】
アダプタ装置２００において、無線通信回路２５は、入力される映像音声信号に従って、無線搬送波を所定のディジタル変調方式を用いて映像音声無線信号にディジタル変調した後、映像音声無線信号に対して高域周波数変換及び高周波増幅などの高周波信号処理を実行し、処理後の映像音声無線信号を、アンテナ２６を介して、アダプタ装置３００に無線送信する。また、無線通信回路２５は、入力される５Ｖパルス信号、詳細後述するＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号を、アンテナ２６を介して、アダプタ装置３００に無線送信する。さらに、無線通信回路２５は、アンテナ２６で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。これにより、無線通信回路２５は、入力される映像音声信号、５Ｖパルス信号、ＡＣＫ信号及びＨＰＤパルス信号発生要求信号を、アダプタ装置３００に無線送信する一方、アダプタ装置３００からのＨＰＤパルス信号及びＡＣＫ信号を無線受信する。
【００５９】
図１において、アダプタ装置３００は、ＨＤＭＩ端子３０１と、互いにコントローラ５０のバス５４を介して接続されるコントローラ５０と、インターフェース５７と、５Ｖ電圧信号発生回路７２と、ＨＰＤパルス信号発生回路７３と、映像音声信号処理回路７４と、無画像無音信号発生回路７５と、アンテナ５６を備えた無線通信回路５５とを備えて構成される。
【００６０】
アダプタ装置３００において、コントローラ５０は、アダプタ装置３００の全体の動作を制御するためのコントローラであって、互いにバス５４を介して接続されるＣＰＵ５１と、ＲＡＭ５２と、ＲＯＭ５３とを備えて構成される。ＣＰＵ５１は、アダプタ装置３００の全体の動作を制御するコンピュータであって、種々のソフトウェアのプログラム等を実行する。また、ＲＯＭ５３は、アダプタ装置３００の動作に必要な種々のソフトウェア及び、ＣＰＵ５１によって実行されるソフトウェアのコンピュータにより実行可能なプログラムを予め記憶する。さらに、ＲＡＭ５２は、ＳＲＡＭ、ＤＲＡＭ、ＳＤＲＡＭ等で構成され、ＣＰＵ５１のワーキングエリアとして使用されてプログラムの実行時に発生する一時的なデータを記憶する。
【００６１】
また、アダプタ装置３００において、５Ｖ電圧信号発生回路７２は、詳細後述するように、入力される５Ｖパルス信号に基づいて５Ｖ電圧信号を発生してＣＰＵ５１に出力する。ＨＰＤパルス信号発生回路７３は、詳細後述するように、入力されるＨＰＤ信号に基づいて、ＨＰＤパルス信号を発生してＣＰＵ５１に出力する。映像音声信号処理回路７４は、入力される映像音声信号に対して所定の復号化方式で復号化処理を行い、処理後の映像音声信号をＣＰＵ５１に出力する。無画像無音信号発生回路７５は、所定の仕様を有する黒画像信号及び無音信号を含む無画像無音信号を発生してＣＰＵ５１に出力する。ここで、黒画像信号は輝度信号の値が１０ｈ（１６進法）であり色差信号の値が８０ｈ（１６進法）である映像信号であり、無音信号は音量値が００ｈ（１６進法）である音声信号である。
【００６２】
さらに、アダプタ装置３００において、インターフェース５７は、ＰＤＰ装置４００とのインターフェース処理を実行して、ＨＤＭＩ規格に準拠する信号やデータをＨＤＭＩコネクタ３０１、ＨＤＭＩケーブル５０２及びＨＤＭＩコネクタ４０１を介してＰＤＰ装置４００に出力する一方、ＰＤＰ装置４００からＨＤＭＩコネクタ４０１、ＨＤＭＩケーブル５０２及びＨＤＭＩコネクタ３０１を介して入力される信号を受信して、信号変換やプロトコル変換を含む所定のインターフェース処理を実行してＣＰＵ５１に出力する。
【００６３】
アダプタ装置３００において、無線通信回路５５は、入力されるＨＰＤパルス信号及び詳細後述するＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号を、アンテナ５６を介して、アダプタ装置２００に対して無線送信する。また、無線通信回路５５は、アンテナ５６で受信した映像音声無線信号に対して低域周波数変換及び高周波増幅などの高周波信号処理を実行し、処理後の映像音声無線信号を所定のディジタル復調方式を用いてベースバンド信号に復調した後、ベースバンド信号を映像音声信号に変換してＣＰＵ５１に出力する。さらに、無線通信回路５５は、アンテナ５６で受信した無線信号に対して低域周波数変換及び高周波増幅などの高周波信号処理を実行し、処理後の無線信号を所定のディジタル復調方式を用いてベースバンド信号に復調した後、ベースバンド信号を５Ｖパルス信号、ＨＰＤパルス信号発生要求信号又はＡＣＫ信号に変換してＣＰＵ５１に出力する。これにより、無線通信回路５５は、入力されるＨＰＤパルス信号及びＡＣＫ信号を、アダプタ装置２００に無線送信する一方、アダプタ装置２００からの映像音声信号、５Ｖパルス信号、ＡＣＫ信号及びＨＰＤパルス信号発生要求信号を無線受信する。
【００６４】
図１において、ＰＤＰ装置４００は、ＨＤＭＩ端子４０１と、コントローラ４１０と、インターフェース４５０と、映像信号処理回路４５１と、ディスプレイ４５２と、音声信号処理回路４５３と、スピーカ４５４と、を備えて構成される。ここで、コントローラ４１０と、インターフェース４５０と、映像信号処理回路４５１と、音声信号処理回路４５３とは、コントローラ４１０のバス４１５を介して互いに接続される。
【００６５】
ＰＤＰ装置４００において、コントローラ４１０はＰＤＰ装置４００の全体の動作を制御するためのコントローラであって、互いにバス４１５を介して接続されるＣＰＵ４１１と、ＲＡＭ４１２と、ＲＯＭ４１３とを備えて構成される。ＣＰＵ４１１は、ＰＤＰ装置４００の全体の動作を制御するコンピュータであって、種々のソフトウェアのプログラム等を実行する。また、ＲＯＭ４１３は、ＰＤＰ装置４００の動作に必要な種々のソフトウェア及び、ＣＰＵ４１１によって実行されるソフトウェアのコンピュータにより実行可能なプログラムを予め記憶し、ＰＤＰ装置４００の製品情報、製造者名、映像符号化方式（例えば、ＲＧＢ方式、ＹＣＢＣＲ４：４：４方式又はＹＣＢＣＲ４：２：２方式）、解像度、フィールド周波数、走査線数等の映像出力仕様及び音声出力サンプリング等の音声出力仕様等のデータを予め記憶するＥＤＩＤ（Extended Display Identification Data；以下、ＥＤＩＤという。）メモリ４１４を含む。さらに、ＲＡＭ４１２は、ＳＲＡＭ、ＤＲＡＭ、ＳＤＲＡＭ等で構成され、ＣＰＵ４１１のワーキングエリアとして使用されてプログラムの実行時に発生する一時的なデータを記憶する。
【００６６】
ＰＤＰ装置４００において、インターフェース４５０は、アダプタ装置３００とのインターフェース処理を実行して、ＨＤＭＩ規格に準拠する信号やデータをＨＤＭＩコネクタ４０１、ＨＤＭＩケーブル５０２及びＨＤＭＩコネクタ３０１を介してアダプタ装置３００に出力する一方、アダプタ装置３００からＨＤＭＩコネクタ３０１、ＨＤＭＩケーブル５０２及びＨＤＭＩコネクタ５０１を介して入力される信号を受信して、信号変換やプロトコル変換を含む所定のインターフェース処理を実行してＣＰＵ４１１に出力する。
【００６７】
また、ＰＤＰ装置４００において、映像信号処理回路４５１は、入力される映像信号を所定の仕様を有する映像表示用信号に変換してディスプレイ４５２に出力して表示する。さらに、音声信号処理回路４５３は、入力される音声信号を、Ｄ／Ａ変換及び増幅してスピーカ４５４に出力する。
【００６８】
図２は、図１の無線伝送システムの第１の動作例を示すシーケンス図である。図２において、ＤＶＤプレーヤ１００のＣＰＵ１１１は、電源オンの状態であるＤＶＤプレーヤ１００に電源オンの状態であるアダプタ装置２００が接続されたことを検出すると、ケーブル５０１の５Ｖ電圧信号線の電圧レベルを０Ｖから５Ｖに変化させることにより５Ｖ電圧信号を発生して、アダプタ装置２００のＣＰＵ１１に出力する。これに応答して、アダプタ装置２００のＣＰＵ１１は、入力される５Ｖ電圧信号を５Ｖパルス信号発生回路２２に出力し、５Ｖパルス信号発生回路２２を、５Ｖ電圧信号の立ち上がりエッジのタイミングで立ち上がり所定のパルス幅を有する５Ｖパルス信号を発生してＣＰＵ１１に出力するように制御する。さらに、ＣＰＵ１１は、５Ｖパルス信号発生回路２２からの５Ｖパルス信号を、アンテナ２６及び５６を介してアダプタ装置３００のＣＰＵ５１に無線送信する。アダプタ装置３００のＣＰＵ５１は、５Ｖパルス信号を正常に受信した場合は、受信した５Ｖパルス信号を５Ｖ電圧信号発生回路７２に出力し、５Ｖ電圧信号発生回路７２を、５Ｖパルス信号の立ち上がりエッジのタイミングで０Ｖから５Ｖに変化する５Ｖ電圧信号を発生してＣＰＵ５１に出力するように制御する。さらに、ＣＰＵ５１は、ＨＤＭＩケーブル５０２の５Ｖ電圧信号線の電圧レベルを、５Ｖ電圧信号発生回路７２からの５Ｖ電圧信号に基づいて変化させることにより、５Ｖ電圧信号を、ＰＤＰ装置４００のＣＰＵ４１１に出力する。その後、ＣＰＵ５１は、５Ｖパルス信号を正常に受信したことを示すＡＣＫ信号を発生して、アンテナ５６及びアンテナ２６を介してアダプタ装置２００のＣＰＵ１１に無線送信し、アダプタ装置２００のＣＰＵ１１は、当該ＡＣＫ信号を受信すると、５Ｖパルス信号がアダプタ装置３００のＣＰＵ５１に正常に送信されたと判断する。一方、ＰＤＰ装置４００のＣＰＵ４１１は、５Ｖ電圧信号を受信すると、ＥＤＩＤメモリ４１４からのＥＤＩＤ読み出し処理などのＨＤＭＩ規格に準拠した所定の初期化処理を実行する。
【００６９】
図７は、図１のＤＶＤプレーヤ１００によって発生されてアダプタ装置２００に出力される５Ｖ電圧信号を示すグラフ（ａ）と、図１のアダプタ装置２００によって発生されてアダプタ装置３００に無線送信される５Ｖパルス信号を示すグラフ（ｂ）と、図１のアダプタ装置３００によって発生されてＰＤＰ装置４００に出力される５Ｖ電圧信号を示すグラフ（ｃ）である。図７に示すように、ＤＶＤプレーヤ１００によって発生された５Ｖ電圧信号は、ＨＤＭＩケーブル５０１を介してアダプタ装置２００のＣＰＵ１１に出力され、当該５Ｖ電圧信号に基づいて５Ｖパルス信号発生回路２２によって発生された５Ｖパルス信号はアダプタ装置３００のＣＰＵ５１に無線送信される。さらに、当該５Ｖパルス信号に基づいて５Ｖ電圧信号発生回路７２によって発生された５Ｖ電圧信号は、ＨＤＭＩケーブル５０２を介してＰＤＰ装置４００のＣＰＵ４１１に出力される。これに応答して、ＰＤＰ装置４００のＣＰＵ４１１は、所定の初期化処理を実行できる。
【００７０】
図２に戻り、ＰＤＰ装置４００のＣＰＵ４１１は、初期化処理を終了すると、ＨＤＭＩケーブル５０２のＨＰＤ信号線の電圧レベルをハイレベルからローレベルに１００ミリ秒以上の所定の時間だけ変化させることにより、ＨＰＤ信号を発生してアダプタ装置３００のＣＰＵ５１に出力する。アダプタ装置３００のＣＰＵ５１は、ＨＤＭＩケーブル５０２のＨＰＤ信号線の電圧レベルが１００ミリ秒以上の時間期間にわたってローレベルであることを検出すると、ＨＰＤパルス信号発生回路７３を、ローレベルのＨＰＤ信号が１００ミリ秒継続したタイミングで立ち上がり、所定のパルス幅を有するＨＰＤパルス信号を発生してＣＰＵ５１に出力するように制御する。さらにＣＰＵ５１は、ＨＰＤパルス信号発生回路７３からのＨＰＤパルス信号を、アンテナ５６及び２６を介してアダプタ装置２００のＣＰＵ１１に無線送信する。これに応答して、アダプタ装置２００のＣＰＵ１１は、ＨＰＤパルス信号を正常に受信した場合は、受信したＨＰＤパルス信号をＨＰＤ信号発生回路２３に出力し、ＨＰＤ信号発生回路２３を、ＨＰＤパルス信号の立ち上がりエッジのタイミングでハイレベルからローレベルに変化し、その後１００ミリ以上経過した後でハイレベルに戻るＨＰＤ信号を発生してＣＰＵ１１に出力するように制御する。さらに、ＣＰＵ１１は、ＨＤＭＩケーブル５０１のＨＰＤ信号線の電圧レベルを、ＨＰＤ信号発生回路２３からのＨＰＤ信号に基づいて変化させることにより、ＨＰＤ信号を、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、ＨＤＭＩ規格に準拠する所定の初期化処理を実行する。
【００７１】
図８は、図１のＰＤＰ装置４００によって発生されてアダプタ装置３００に出力されるＨＰＤ信号を示すグラフ（ａ）と、図１のアダプタ装置３００によって発生されてアダプタ装置２００に無線送信されるＨＰＤパルス信号を示すグラフ（ｂ）と、図１のアダプタ装置２００によって発生されてＤＶＤプレーヤ１００に出力されるＨＰＤ信号を示すグラフ（ｃ）である。図８に示すように、ＰＤＰ装置４００のＣＰＵ４１１によって発生されたＨＰＤ信号は、ＨＤＭＩケーブル５０２を介してアダプタ装置３００のＣＰＵ５１に出力され、当該ＨＰＤ信号に基づいてＨＰＤパルス信号発生回路７３によって発生されたＨＰＤパルス信号はアダプタ装置２００のＣＰＵ１１に無線送信される。さらに、当該ＨＰＤパルス信号に基づいてＨＰＤ信号発生回路２３によって発生されたＨＰＤ信号は、ＨＤＭＩケーブル５０１を介してＤＶＤプレーヤ１００のＣＰＵ１１１に出力される。これに応答して、ＤＶＤプレーヤ１００のＣＰＵ１１１は、ＨＤＭＩ規格に準拠する所定の初期化処理を実行できる。
【００７２】
図２に戻り、ＤＶＤプレーヤ１００のＣＰＵ１１１は、初期化処理を終了すると、ＤＶＤ１４０に格納されたコンテンツを再生して映像音声信号を発生して、ＣＰＵ１１１に出力するようにデコーダ１２０を制御する。これに応答して、デコーダ１２０は、ＤＶＤドライブ１３０を用いてＤＶＤ１４０に格納されたコンテンツを再生して映像音声信号を発生して、ＣＰＵ１１１に出力する。ＣＰＵ１１１は、入力される映像音声信号をアダプタ装置２００のＣＰＵ１１に出力する。これに応答して、アダプタ装置２００のＣＰＵ１１は、入力される映像音声信号を映像音声信号処理回路２４に出力して、映像音声信号処理回路２４を、映像音声信号に対して所定の圧縮符号化方式で圧縮符号化処理を行い、処理後の映像音声信号をＣＰＵ１１に出力するように制御する。さらに、ＣＰＵ１１は、処理後の映像音声信号を、アンテナ２６及び５６を介してアダプタ装置３００のＣＰＵ５１に、映像音声無線信号として無線送信する。これに応答して、アダプタ装置３００のＣＰＵ５１は、受信した映像音声信号を映像音声信号処理回路７４に出力し、映像音声信号処理回路７４を、映像音声信号に対して所定の復号化方式で復号化処理を行い、処理後の映像音声信号をＣＰＵ５１に出力するように制御する。さらに、ＣＰＵ５１は、処理後の映像音声信号のパケットエラーレート（Packet Error Rate；以下、ＰＥＲという。）を算出し、ＰＥＲが所定値以下である場合は映像音声信号を正常に受信したと判断し、処理後の映像音声信号をＰＤＰ装置４００のＣＰＵ４１１に出力する。その後、ＣＰＵ５１は、映像音声信号を正常に受信したことを示すＡＣＫ信号を発生して、アダプタ装置２００のＣＰＵ１１に無線送信し、アダプタ装置２００のＣＰＵ１１は、当該ＡＣＫ信号を受信すると、映像音声信号がアダプタ装置３００のＣＰＵ５１に正常に送信されたと判断する。一方、ＰＤＰ装置４００のＣＰＵ４１１は、入力される映像音声信号に基づいて映像信号及び音声信号を発生し、映像信号を映像信号処理回路４５１を介してディスプレイ４５２に出力して表示するとともに、音声信号を音声信号処理回路４５３を介してスピーカ４５４に出力する。
【００７３】
図３は、図１の無線伝送システムの第２の動作例を示すシーケンス図である。図３において、ＤＶＤプレーヤ１００のＣＰＵ１１１は、電源オンの状態であるＤＶＤプレーヤ１００に電源オンの状態であるアダプタ装置２００が接続されたことを検出すると、図２と同様に５Ｖ電圧信号を発生して、アダプタ装置２００のＣＰＵ１１に出力する。これに応答して、アダプタ装置２００のＣＰＵ１１は、図２と同様に、５Ｖパルス信号を発生して、アンテナ２６及び５６を介してアダプタ装置３００のＣＰＵ５１に無線送信する。アダプタ装置２００のＣＰＵ１１は、５Ｖパルス信号をアダプタ装置３００のＣＰＵ５１に無線送信後、所定の待機時間Ｔ１だけ待機し、待機終了までにアダプタ装置３００のＣＰＵ５１からＡＣＫ信号を受信しない場合は、アダプタ装置２００とアダプタ装置３００との間で通信異常が発生したと判断し、ＨＰＤパルス信号発生要求信号を発生してアダプタ装置３００のＣＰＵ５１に無線送信する。これに応答して、アダプタ装置３００のＣＰＵ５１は、ＨＰＤパルス信号発生回路７３を、所定のパルス幅を有するＨＰＤパルス信号を発生してＣＰＵ５１に出力するように制御する。さらにＣＰＵ５１は、ＨＰＤパルス信号発生回路７３からのＨＰＤパルス信号を、アンテナ５６及び２６を介してアダプタ装置２００のＣＰＵ１１に無線送信する。アダプタ装置２００のＣＰＵ１１は、ＨＰＤパルス信号を正常に受信した場合は、図２と同様にＨＰＤ信号を発生して、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、ＨＤＭＩ規格に準拠する所定の初期化処理を実行し、初期化処理の終了後、再び５Ｖ電圧信号を発生してアダプタ装置２００のＣＰＵ１１に出力する。
【００７４】
なお、図３において、アダプタ装置３００のＣＰＵ５１は、５Ｖパルス信号を受信した後、５Ｖ電圧信号を発生してＰＤＰ装置４００のＣＰＵ４１１に出力してもよい。また、図３において、待機時間Ｔ１は、アダプタ装置２００のＣＰＵ１１が５Ｖパルス信号をアダプタ装置３００のＣＰＵ５１に無線送信した後、５Ｖパルス信号が正常に伝送された場合に、アダプタ装置３００のＣＰＵ５１からのＡＣＫ信号を受信するまでに要する時間よりも長い時間に設定される。
【００７５】
図４は、図１の無線伝送システムの第３の動作例を示すシーケンス図である。図４において、ＰＤＰ装置４００のＣＰＵ４１１は、図２と同様にＨＰＤ信号を発生してアダプタ装置３００のＣＰＵ５１に出力する。これに応答して、アダプタ装置３００のＣＰＵ５１は、図２と同様に、ＨＰＤパルス信号を発生して、アンテナ５６及び２６を介してアダプタ装置２００のＣＰＵ１１に無線送信する。アダプタ装置２００のＣＰＵ１１は、ＨＰＤパルス信号をアダプタ装置２００のＣＰＵ１１に無線送信後、所定の待機時間Ｔ２だけ待機し、待機終了までにアダプタ装置２００のＣＰＵ１１からＡＣＫ信号を受信しない場合は、アダプタ装置２００とアダプタ装置３００との間で通信異常が発生したと判断し、再びＨＰＤパルス信号を発生してアダプタ装置２００のＣＰＵ１１に無線送信する。その後、アダプタ装置２００のＣＰＵ１１からＡＣＫ信号を受信するまで、上記の待機とＨＰＤパルス信号の再送信を繰り返す。すなわち、アダプタ装置２００がＨＰＤパルス信号を正常に受信して、受信したＨＰＤパルス信号に基づいてＨＰＤ信号を発生してＤＶＤ１００に出力し、ＤＶＤプレーヤ１００において初期化処理が終了するまで、上記の待機とＨＰＤパルス信号の再送信は繰り返される。
【００７６】
なお、図４において、待機時間Ｔ２は、アダプタ装置３００のＣＰＵ５１がＨＰＤパルス信号をアダプタ装置２００のＣＰＵ１１に無線送信した後、ＨＰＤパルス信号が正常に伝送された場合に、アダプタ装置２００のＣＰＵ１１からのＡＣＫ信号を受信するまでに要する時間よりも長い時間に設定される。
【００７７】
図５は、図１の無線伝送システムの第４の動作例を示すシーケンス図である。図５において、ＤＶＤプレーヤ１００のＣＰＵ１１１は、図２と同様に、映像音声信号を発生して、アダプタ装置２００のＣＰＵ１１に出力する。これに応答して、アダプタ装置２００のＣＰＵ１１は、入力される映像音声信号を、映像音声無線信号としてアンテナ２６及び５６を介してアダプタ装置３００のＣＰＵ５１に無線送信する。アダプタ装置２００のＣＰＵ１１は、映像音声信号をアダプタ装置３００のＣＰＵ５１に無線送信後、所定の待機時間Ｔ３だけ待機し、待機終了までにアダプタ装置３００のＣＰＵ５１からＡＣＫ信号を受信しない場合は、アダプタ装置２００とアダプタ装置３００との間で通信異常が発生したと判断する。さらに、ＣＰＵ１１１は、ＨＰＤパルス信号の発生を要求するＨＰＤパルス信号発生要求信号を発生してアダプタ装置３００のＣＰＵ５１に無線送信する。これに応答して、アダプタ装置３００のＣＰＵ５１は、ＨＰＤパルス信号発生回路７３を、所定のパルス幅を有するＨＰＤパルス信号を発生してＣＰＵ５１に出力するように制御する。さらにＣＰＵ５１は、ＨＰＤパルス信号発生回路７３からのＨＰＤパルス信号を、アンテナ５６及び２６を介してアダプタ装置２００のＣＰＵ１１に無線送信する。アダプタ装置２００のＣＰＵ１１は、ＨＰＤパルス信号を正常に受信した場合は、図２と同様にＨＰＤ信号を発生して、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、ＨＤＭＩ規格に準拠する所定の初期化処理を実行し、初期化処理の終了後、再び映像音声信号を発生してアダプタ装置２００のＣＰＵ１１に出力する。
【００７８】
なお、図５において、待機時間Ｔ３は、アダプタ装置２００のＣＰＵ１１が映像音声無線信号をアダプタ装置３００のＣＰＵ５１に無線送信した後、映像音声無線信号が正常に伝送された場合に、アダプタ装置３００のＣＰＵ５１からのＡＣＫ信号を受信するまでに要する時間よりも長い時間に設定される。
【００７９】
図６は、図１の無線伝送システムの第５の動作例を示すシーケンス図である。図６において、ＤＶＤプレーヤ１００のＣＰＵ１１１は、図２と同様に、映像音声信号を発生してアダプタ装置２００のＣＰＵ１１に出力する。これに応答して、アダプタ装置２００のＣＰＵ１１は、図２と同様に、入力される映像音声信号を、映像音声無線信号としてアンテナ２６及び５６を介してアダプタ装置３００のＣＰＵ５１に無線送信する。これに応答してアダプタ装置３００のＣＰＵ５１は、図２と同様に、受信した映像音声信号に対して所定の復号化方式で復号化処理を行い、処理後の映像音声信号のＰＥＲを算出し、ＰＥＲが所定値以下である場合は、処理後の映像音声信号をＰＤＰ装置４００のＣＰＵ４１１に出力する。その後、ＣＰＵ５１は、映像音声信号を正常に受信したことを示すＡＣＫ信号を発生して、アダプタ装置２００のＣＰＵ１１に無線送信し、アダプタ装置２００のＣＰＵ１１は、当該ＡＣＫ信号を受信すると、映像音声信号がアダプタ装置３００のＣＰＵ５１に正常に送信されたと判断する。一方、ＰＤＰ装置４００のＣＰＵ４１１は、図２と同様に、入力される映像音声信号に基づいて映像信号及び音声信号を発生し、映像信号を映像信号処理回路７１を介してディスプレイ７２に出力して表示するとともに、音声信号を音声信号処理回路４５３を介してスピーカ４５４に出力する。
【００８０】
図６において、アダプタ装置３００のＣＰＵ５１は、アダプタ装置２００のＣＰＵ１１からの映像音声信号を正常に受信したことを示すＡＣＫ信号を発生してアダプタ装置２００のＣＰＵ１１に無線送信した後、所定の待機時間Ｔ４だけ待機し、待機終了までにアダプタ装置２００のＣＰＵ１１から次の映像音声信号を正常に受信しない又は全く受信しない場合は、アダプタ装置２００とアダプタ装置３００との間で通信異常が発生したと判断する。そして、アダプタ装置３００のＣＰＵ５１は、無画像無音信号発生回路７５を、所定の仕様を有する黒画像信号及び無音信号を含む無画像無音信号を発生してＣＰＵ５１に出力するように制御し、入力される無画像無音信号をＰＤＰ装置４００のＣＰＵ４１１に出力する。これに応答して、ＰＤＰ装置４００のＣＰＵ４１１は、入力される無画像無音信号に基づいて黒画像信号及び無音信号を発生し、黒画像信号を映像信号処理回路７１を介してディスプレイ７２に出力して表示するとともに、無音信号を音声信号処理回路４５３を介してスピーカ４５４に出力する。
【００８１】
さらに、図６において、アダプタ装置３００のＣＰＵ５１は、ＰＤＰ装置４００のＣＰＵ４１１に無画像無音信号を出力した後、ＨＰＤパルス信号発生回路７３を、所定のパルス幅を有するＨＰＤパルス信号を発生してＣＰＵ５１に出力するよう制御し、入力されるＨＰＤパルス信号を、アンテナ５６及び２６を介してアダプタ装置２００のＣＰＵ１１に無線送信する。これに応答してアダプタ装置２００のＣＰＵ１１は、ＨＰＤパルス信号を正常に受信した場合は、受信したＨＰＤパルス信号に基づいてＨＰＤ信号を発生して、ＤＶＤプレーヤ１００のＣＰＵ１１１に出力する。その後、ＣＰＵ１１は、ＨＰＤパルス信号を正常に受信したことを示すＡＣＫ信号を発生して、アンテナ２６及びアンテナ５６を介してアダプタ装置３００のＣＰＵ５１に無線送信し、アダプタ装置３００のＣＰＵ５１は、当該ＡＣＫ信号を受信すると、ＨＰＤパルス信号がアダプタ装置２００のＣＰＵ１１に正常に送信されたと判断する。一方、ＤＶＤプレーヤ１００のＣＰＵ１１１は、ＨＰＤ信号を受信すると、図２と同様に、ＨＤＭＩ規格に準拠する所定の初期化処理を実行する。
【００８２】
またさらに、図６において、ＤＶＤプレーヤ１００のＣＰＵ１１１は、初期化処理の終了後、図２と同様に、映像音声信号を発生してアダプタ装置２００のＣＰＵ１１に出力する。これに応答して、アダプタ装置２００のＣＰＵ１１は、図２と同様に、入力される映像音声信号を、映像音声無線信号としてアンテナ２６及び５６を介してアダプタ装置３００のＣＰＵ５１に無線送信する。これに応答してアダプタ装置３００のＣＰＵ５１は、図２と同様に、受信した映像音声信号に対して所定の復号化方式で復号化処理を行い、処理後の映像音声信号のＰＥＲを算出し、ＰＥＲが所定値以下である場合は映像音声信号を正常に受信したと判断し、無画像無音信号発生回路７５を、無画像無音信号の発生を停止するように制御するとともに、無画像無音信号発生停止要求信号を発生して、ＰＤＰ装置４００のＣＰＵ４１１に出力する。これに応答して、ＰＤＰ装置４００のＣＰＵ４１１は、黒画像信号及び無音信号の発生及びディスプレイ４５２及びスピーカ４５４への出力を停止する。一方、アダプタ装置３００のＣＰＵ５１は、映像音声信号を正常に受信したことを示すＡＣＫ信号を発生して、処理後の映像音声信号をＰＤＰ装置４００のＣＰＵ４１１に出力する。アダプタ装置２００のＣＰＵ１１は、当該ＡＣＫ信号を受信すると、映像音声信号がアダプタ装置３００のＣＰＵ５１に正常に送信されたと判断する。一方、ＰＤＰ装置４００のＣＰＵ４１１は、図２と同様に、入力される映像音声信号に基づいて映像信号及び音声信号を発生し、映像信号を映像信号処理回路７１を介してディスプレイ７２に出力して表示するとともに、音声信号を音声信号処理回路４５３を介してスピーカ４５４に出力する。
【００８３】
なお、図６において、待機時間Ｔ４は、アダプタ装置３００のＣＰＵ５１が映像音声無線信号を正常に受信した後、次の映像音声無線信号を受信するまでに通常要する時間よりも長い時間に設定される。
【００８４】
以上詳述したように、本実施形態に係るアダプタ装置２００によれば、ＤＶＤプレーヤ１００のＣＰＵ１１１が発生した５Ｖ電圧信号及び映像音声信号をそれぞれ含む無線信号をアダプタ装置３００に無線送信する一方、アダプタ装置３００からのＨＰＤ信号を含む無線信号を受信できる。また、本実施形態に係るアダプタ装置３００によれば、アダプタ装置２００からの５Ｖ電圧信号及び映像音声信号をそれぞれ含む無線信号を受信する一方、ＨＰＤ信号を含む無線信号をアダプタ装置２００に無線送信できる。従って、ＤＶＤプレーヤ１００のＣＰＵ１１１が発生した５Ｖ電圧信号及び映像音声信号を、アダプタ装置２００及びアダプタ装置３００を介してＰＤＰ装置４００に無線伝送する一方、ＰＤＰ装置４００のＣＰＵ４１１が発生したＨＰＤ信号を、アダプタ装置３００及びアダプタ装置２００を介してＤＶＤプレーヤ１００に無線伝送できる。すなわち、ＤＶＤプレーヤ１００とＰＤＰ装置４００との間を無線伝送路で接続することにより、当該接続をＨＤＭＩケーブルを用いることなく実現して、従来技術に比較して簡単化できる。これにより、アダプタ装置２００に接続されるＤＶＤプレーヤ１００及びアダプタ装置３００に接続されるＰＤＰ装置４００の設置場所の自由度を高めることができる。
【００８５】
また、本実施形態に係る無線伝送システムによれば、アダプタ装置２００のＣＰＵ１１は、アダプタ装置２００とアダプタ装置３００との間の通信異常を検出した場合に、ＨＰＤパルス信号発生要求信号を発生してアダプタ装置３００のＣＰＵ５１に無線送信することにより、アダプタ装置３００からのＨＰＤパルス信号を受信して、受信したＨＰＤパルス信号に基づいてＨＰＤ信号を発生してＤＶＤプレーヤ１００に出力する一方、アダプタ装置３００のＣＰＵ５１は、アダプタ装置２００とアダプタ装置３００との間の通信異常を検出した場合に、ＨＰＤパルス信号を発生してアダプタ装置２００に無線送信することにより、アダプタ装置２００をＨＰＤ信号を発生してＤＶＤプレーヤ１００に出力するように制御する。従って、アダプタ装置２００とアダプタ装置３００との間で通信異常が発生した場合に、ＤＶＤプレーヤ１００はＨＰＤ信号をアダプタ装置２００から受信し、これに応答して、所定の初期化処理を実行するので、ＤＶＤプレーヤ１００とＰＤＰ装置４００とは、アダプタ装置２００及び３００を介して、確実に映像音声信号、５Ｖ電圧信号及びＨＰＤ信号を伝送できる。
【００８６】
また、ＨＤＭＩ規格及びＤＶＩ規格では、信号シンク装置は、５Ｖ電圧信号を受信した後にＨＰＤ信号を発生して、信号ソース装置に出力する必要がある。本実施形態に係る無線伝送システムによれば、アダプタ装置３００のＣＰＵ５１は、５Ｖ電圧信号を発生してＰＤＰ装置４００のＣＰＵ４１１に出力し、その後ＰＤＰ装置４００のＣＰＵ４１１からのＨＰＤ信号に基づいてＨＰＤパルス信号を発生してアダプタ装置２００のＣＰＵ１１に無線送信するので、アダプタ装置２００のＣＰＵ１１がＨＰＤ信号を発生してＤＶＤプレーヤ１００のＣＰＵ１１１に出力する処理は、アダプタ装置３００のＣＰＵ５１が５Ｖ電圧信号を発生してＰＤＰ装置４００のＣＰＵ４１１に出力する処理よりも後に実行され、５Ｖ電圧信号及びＨＰＤ信号を、ＨＤＭＩ規格及びＤＶＩ規格に準拠した伝送手順で伝送できる。
【００８７】
上記の実施形態において、アダプタ装置２００のＣＰＵ１１は、５Ｖパルス信号をアダプタ装置３００のＣＰＵ５１に無線送信した後、所定の待機時間Ｔ１だけ待機し、待機終了までにアダプタ装置３００のＣＰＵ５１からＡＣＫ信号を受信しない場合は、アダプタ装置２００とアダプタ装置３００との間で通信異常が発生したと判断し、映像音声無線信号をアダプタ装置３００のＣＰＵ５１に無線送信した後、所定の待機時間Ｔ３だけ待機し、待機終了までにアダプタ装置３００のＣＰＵ５１からＡＣＫ信号を受信しない場合は、アダプタ装置２００とアダプタ装置３００との間で通信異常が発生したと判断した。また、アダプタ装置３００のＣＰＵ５１は、ＨＰＤパルス信号をアダプタ装置２００のＣＰＵ１１に無線送信した後、所定の待機時間Ｔ２だけ待機し、待機終了までにアダプタ装置２００のＣＰＵ１１からＡＣＫ信号を受信しない場合は、アダプタ装置２００とアダプタ装置３００との間で通信異常が発生したと判断した。しかしながら、本発明はこれに限らず、所定のしきい値以上のパケットロスを検出した場合、又は、相手装置からの再送要求を所定の回数以上受信した場合に、アダプタ装置２００とアダプタ装置３００との間で通信異常が発生したと判断し、アダプタ装置３００を、ＨＰＤパルス信号を発生してアダプタ装置２００に無線送信するように制御してもよい。
【００８８】
また、上記の実施形態において、アダプタ装置３００のＣＰＵ５１は、受信した映像音声信号に関するＰＥＲに基づいて、映像音声信号を正常に受信したか否かを判断したが、本発明はこれに限らず、受信した映像音声信号に関するパケットロス率に基づいて、映像音声信号を正常に受信したか否かを判断してもよい。あるいは、映像音声無線信号、５Ｖ電圧信号又は他の無線信号を正常に受信した後、所定の時間が経過するまでに、映像音声無線信号、５Ｖ電圧信号又は他の無線信号を正常に受信しない、又は全く受信しないときに、アダプタ装置２００とアダプタ装置３００との間で通信異常が発生していると判断して、ＨＰＤパルス信号を発生してアダプタ装置２００に無線送信するとともに、無画像無音信号発生回路７５を、無画像無音信号を発生してＣＰＵ５１に出力するように制御し、入力される無画像無音信号をＰＤＰ装置４００のＣＰＵ４１１に出力してもよい。
【００８９】
さらに、上記の実施形態において、アダプタ装置３００は、アダプタ装置２００とアダプタ装置３００との間での通信異常を検出した場合に、無画像無音信号を発生してＰＤＰ装置４００に出力したが、本発明はこれに限らず、黒画像信号を発生してＰＤＰ装置４００に出力するとともに、音声信号をＰＤＰ装置４００に出力しない構成であってもよい。
【００９０】
上記の実施形態において、アダプタ装置３００のＣＰＵ５１は、５Ｖパルス信号を受信した後、受信した５Ｖパルス信号に基づいて５Ｖ電圧信号を発生してＣＰＵ５１に出力するように５Ｖ電圧信号発生回路７２を制御し、５Ｖ電圧信号発生回路７２からの５Ｖ電圧信号をＰＤＰ装置４００のＣＰＵ４１１に出力したが、本発明はこれに限らず、電源オンの状態であるＰＤＰ装置４００に接続されたことを検出した場合に、５Ｖ電圧信号を発生してＣＰＵ５１に出力するように５Ｖ電圧信号発生回路７２又は別の手段を制御し、５Ｖ電圧信号発生回路７２又は別の手段からの５Ｖ電圧信号をＰＤＰ装置４００のＣＰＵ４１１に出力してもよい。
【００９１】
また、上記の実施形態において、アダプタ装置２００のＣＰＵ１１は、ＨＰＤパルス信号を正常に受信した場合、ＡＣＫ信号を発生してアダプタ装置３００のＣＰＵ５１に無線送信したが、本発明はこれに限らず、以下のように構成してもよい。ＨＤＭＩ規格及びＤＶＩ規格では、信号ソース装置は、ＨＤＰ信号を正常に受信すると６４ビットデータを発生して信号シンク装置に出力する。従って、ＨＰＤ信号を正常に受信したＤＶＤプレーヤ１００のＣＰＵ１１１は６４ビットデータを発生してアダプタ装置２００のＣＰＵ１１に出力し、アダプタ装置２００のＣＰＵ１１は入力される６４ビットデータをアダプタ装置３００のＣＰＵ５１に無線送信し、アダプタ装置３００のＣＰＵ５１は６４ビットデータを受信した場合に、ＨＰＤパルス信号が正常に伝送されたと判断してもよい。
【００９２】
上記の実施形態において、５Ｖパルス信号発生回路２２は５Ｖ電圧信号に基づいて５Ｖパルス信号を発生したが、本発明はこれに限らず、５Ｖフラグ信号を発生してもよい。また、上記の実施形態において、ＨＰＤパルス信号発生回路７３はＨＰＤ信号に基づいてＨＰＤパルス信号を発生したが、本発明はこれに限らず、ＨＰＤフラグ信号を発生してもよい。さらに、上記の実施形態において、５Ｖパルス信号及びＨＰＤパルス信号はそれぞれ、ハイレベルでアクティブな信号であったが、本発明はこれに限らず、ローレベルでアクティブな信号であってもよい。またさらに、上記の実施形態において、アダプタ装置３００のＣＰＵ５１は、ＨＤＭＩケーブル５０２のＨＰＤ信号線の電圧レベルが１００ミリ秒以上の時間期間にわたってローレベルであることを検出すると、ＨＰＤパルス信号発生回路７３でＨＰＤパルス信号を発生してＣＰＵ５１に出力するように制御したが、本発明はこれに限らず、ＨＤＭＩケーブル５０２のＨＰＤ信号線の電圧レベルがローレベルに変化したことを検出した場合にＨＰＤパルス信号発生回路７３でＨＰＤパルス信号を発生してＣＰＵ５１に出力するように制御し、ＨＤＭＩケーブル５０２のＨＰＤ信号線の電圧レベルが１００ミリ秒以上の時間期間にわたってローレベルであることを検出した場合に、ＨＰＤパルス信号をアダプタ装置２００に無線送信してもよい。
【００９３】
また、上記の実施形態において、アダプタ装置２００は、ＨＰＤパルス信号発生要求信号をアダプタ装置３００に無線送信したが、本発明はこれに限らず、有線で送信してもよい。
【００９４】
さらに、図２乃至図６において、アダプタ装置２００のＣＰＵ１１は、ＨＰＤパルス信号を受信した場合に、アダプタ装置２００の初期化処理を実行してもよい。また、図２において、アダプタ装置３００のＣＰＵ５１は、５Ｖパルス信号を正常に受信した後、ＡＣＫ信号を発生してアダプタ装置２００のＣＰＵ１１に無線送信し、その後、５Ｖ電圧信号を発生してＰＤＰ装置４００のＣＰＵ４１１に出力してもよい。あるいは、アダプタ装置３００のＣＰＵ５１は、５Ｖパルス信号を正常に受信した後、ＡＣＫ信号を発生してアダプタ装置２００のＣＰＵ１１に無線送信すると同時に、５Ｖ電圧信号を発生してＰＤＰ装置４００のＣＰＵ４１１に出力してもよい。さらに、図２及び図６において、アダプタ装置３００のＣＰＵ５１は、映像音声信号を正常に受信した後、ＡＣＫ信号を発生してアダプタ装置２００のＣＰＵ１１に無線送信し、その後、処理後の映像音声信号をＰＤＰ装置４００のＣＰＵ４１１に出力してもよい。あるいは、アダプタ装置３００のＣＰＵ５１は、映像音声信号を正常に受信した後、ＡＣＫ信号を発生してアダプタ装置２００のＣＰＵ１１に無線送信すると同時に、処理後の映像音声信号をＰＤＰ装置４００のＣＰＵ４１１に出力してもよい。またさらに、図２，３，５及び６において、アダプタ装置２００のＣＰＵ１１は、ＨＰＤパルス信号を正常に受信した後、ＡＣＫ信号を発生してアダプタ装置３００のＣＰＵ５１に無線送信し、その後、ＨＰＤ信号を発生してＤＶＤプレーヤ１００のＣＰＵ１１１に出力してもよい。あるいは、アダプタ装置２００のＣＰＵ１１は、ＨＰＤパルス信号を正常に受信した後、ＡＣＫ信号を発生してアダプタ装置３００のＣＰＵ５１に無線送信すると同時に、ＨＰＤ信号を発生してＤＶＤプレーヤ１００のＣＰＵ１１１に出力してもよい。
【００９５】
第２の実施形態．
図９は、本発明の第２の実施形態に係る、ＤＶＤプレーヤ１００と、アダプタ装置２００Ａ及び３００Ａと、ＰＤＰ装置４００とを含む無線伝送システムの構成を示すブロック図である。第２の実施形態に係る無線伝送システムは、第１の実施形態に係る無線伝送システムに比較して、アダプタ装置２００及び３００に代えてアダプタ装置２００Ａ及び３００Ａを備えたことを特徴とする。また、アダプタ装置２００Ａはアダプタ装置２００に比較して、無線通信回路２５に代えて無線通信回路２５Ａを備えるとともに無線通信回路２７及びアンテナ２８をさらに備え、アダプタ装置３００Ａはアダプタ装置３００に比較して、無線通信回路５５に代えて無線通信回路５５Ａを備えるとともに無線通信回路５７及びアンテナ５８をさらに備えたことを特徴とする。第２の実施形態に係る無線伝送システムは、第１の実施形態に係る無線伝送システムに比較して、アダプタ装置２００Ａとアダプタ装置３００Ａとの間で映像信号を伝送するための無線チャンネルの周波数と、音声信号、５Ｖパルス信号、ＨＰＤパルス信号、ＡＣＫ信号、及びＨＰＤパルス信号発生要求信号を伝送するための無線チャンネルの周波数とが互いに異なることを特徴とする。以下、第１の実施形態との相違点を詳述する。
【００９６】
アダプタ装置２００Ａにおいて、ＣＰＵ１１は、映像音声信号処理回路２４からの映像音声信号に含まれる映像信号を無線通信回路２５Ａに出力する一方、映像音声信号処理回路２４からの映像音声信号に含まれる音声信号、５Ｖパルス信号発生回路２２からの５Ｖパルス信号、ＡＣＫ信号及びＨＰＤパルス信号発生要求信号を、無線通信回路２７に出力する。
【００９７】
また、アダプタ装置２００Ａにおいて、無線通信回路２５Ａは、入力される映像信号に従って、無線搬送波を所定のディジタル変調方式を用いて映像無線信号にディジタル変調した後、映像無線信号に対して高域周波数変換及び高周波増幅などの高周波信号処理を実行し、処理後の映像無線信号を、アンテナ２６を介して、アダプタ装置３００Ａに無線送信する。また、無線通信回路２７は、入力される音声信号、５Ｖパルス信号、ＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号をアンテナ２６を介して、第１の無線チャンネルを用いて、アダプタ装置３００Ａに無線送信する。さらに、無線通信回路２７は、アンテナ２８で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。
【００９８】
また、アダプタ装置３００Ａにおいて、無線通信回路５５Ａは、アンテナ５６で受信した映像無線信号に対して低域周波数変換及び高周波増幅などの高周波信号処理を実行し、処理後の映像無線信号を所定のディジタル復調方式を用いてベースバンド信号に復調した後、ベースバンド信号を映像信号に変換してＣＰＵ５１に出力する。
【００９９】
さらに、アダプタ装置３００Ａにおいて、ＣＰＵ５１は、ＨＰＤパルス信号発生回路７３からのＨＰＤパルス信号及びＡＣＫ信号を、無線通信回路５７に出力する。無線通信回路５７は、入力されるＨＰＤパルス信号及びＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号を、アンテナ５８を介して、上記の第１の無線チャンネルと周波数が異なる第２の無線チャンネルを用いて、アダプタ装置２００Ａに無線送信する一方、アンテナ５８で受信した無線信号に対して低域周波数変換及び高周波増幅などの高周波信号処理を実行し、処理後の無線信号を所定のディジタル復調方式を用いてベースバンド信号に復調した後、ベースバンド信号を音声信号、５Ｖパルス信号、ＡＣＫ信号、又はＨＰＤパルス信号発生要求信号又に変換してＣＰＵ５１に出力する。
【０１００】
第２の実施形態に係る無線伝送システムは、第１の実施形態に係る無線伝送システムと同様の効果を奏する。また、映像無線信号をアンテナ２６及び５６を介して、第１の無線チャンネルを用いて無線伝送する一方、音声信号、５Ｖパルス信号、ＨＰＤパルス信号、ＡＣＫ信号、及びＨＰＤパルス信号発生要求信号をそれぞれ含む無線信号を、アンテナ２８及び５８を介して、第２の無線チャンネルを用いて無線伝送したので、第１の実施形態に係る無線伝送システムに比較して、アンテナ２６及び５６を介して、映像無線信号をより大きな伝送容量で無線伝送できる。
【０１０１】
なお、上記の実施形態において、アダプタ装置２００ＡのＣＰＵ１１は、映像信号を、アンテナ２６及び５６を介してアダプタ装置３００Ａに無線送信する一方、音声信号をアンテナ２８及び５８を介してアダプタ装置３００Ａに無線送信したが、本発明はこれに限らず、映像音声信号をアンテナ２６及び５６を介してアダプタ装置３００Ａに無線送信してもよい。また、アダプタ装置２００ＡのＣＰＵ５１は、アダプタ装置２００Ａとアダプタ装置３００Ａとの間でアンテナ２６及び５６を介する無線通信が正常に行われているとき、アンテナ２８及び５８を介する無線通信は正常に行われていると判断し、ＡＣＫ信号をアンテナ５６又は５８を介してアダプタ装置２００ＡのＣＰＵ１１に無線送信しない構成としてもよい。
【０１０２】
第３の実施形態．
図１０は、本発明の第３の実施形態に係る、ＤＶＤプレーヤ１００Ａと、アダプタ装置２００Ｂ及び３００Ｂと、ＰＤＰ装置４００Ａとを含む無線伝送システムの構成を示すブロック図である。図１０の無線伝送システムは、ＤＶＤプレーヤ１００Ａからの映像信号及び５Ｖ電圧信号をアダプタ装置２００Ｂ及び３００Ｂを介してＰＤＰ装置４００Ａに無線伝送する一方、ＰＤＰ装置４００ＡからのＨＰＤ信号をアダプタ装置３００Ｂ及び２００Ｂを介してＤＶＤプレーヤ１００Ａに無線伝送するためのシステムである。ここで、第３の実施形態に係る無線伝送システムは、第１の実施形態に係る無線伝送システムに比較してＤＶＩ規格に準拠した信号を送受信する信号ソース装置であるＤＶＩソース装置であるＤＶＤプレーヤ１００Ａ及びＤＶＩ規格に準拠した信号を送受信する信号シンク装置であるＤＶＩシンク装置を含むことを特徴とする。以下、第１の実施形態との相違点を詳述する。
【０１０３】
ＤＶＤプレーヤ１００Ａは公知のＤＶＩソース装置であり、ＤＶＤプレーヤ１００ＡのＤＶＩ端子１０１Ａ、ＤＶＩケーブル５０１Ａ及びアダプタ装置２００ＢのＤＶＩ端子２０１Ａを介してアダプタ装置２００Ｂに接続される。また、ＰＤＰ装置４００Ａは公知のＤＶＩシンク装置であり、ＰＤＰ装置４００ＡのＤＶＩ端子４０１Ａ、ＤＶＩケーブル５０２Ａ及びアダプタ装置３００ＢのＤＶＩ端子３０１Ａを介してアダプタ装置３００Ｂに接続される。さらに、アダプタ装置２００Ｂとアダプタ装置３００Ｂとは、アダプタ装置２００Ｂのアンテナ２６とアダプタ装置３００Ｂのアンテナ５６とを介して無線接続される。
【０１０４】
なお、ＤＶＩ端子１０１Ａ，２０１Ａ，３０１Ａ及び４０１Ａはそれぞれ、ＤＶＩ規格に準拠したデータ端子である。また、ＤＶＩケーブル５０１Ａ及び５０２Ａはそれぞれ、ＤＶＩ規格に準拠したディジタルデータ伝送バスであり、映像信号を伝送するための複数の信号線、５Ｖ電圧信号を伝送するための５Ｖ電圧信号線及びＨＰＤ信号を伝送するためのＨＰＤ信号線を含む。
【０１０５】
図１０において、ＤＶＤプレーヤ１００Ａは、図１のＤＶＤプレーヤ１００と比較して、インターフェース１５０に代えてインターフェース１５０Ａを備え、ＨＤＭＩ端子１０１に代えてＤＶＩ端子１０１Ａを備え、音声信号処理回路１２１及びスピーカ１０２をさらに備えて構成される。
【０１０６】
ＤＶＤプレーヤ１００Ａにおいて、インターフェース１５０Ａは、入力される信号に対して、アダプタ装置２００Ｂとのインターフェース処理を実行して、ＤＶＩ規格に準拠する信号やデータを発生して、ＤＶＩコネクタ１０１Ａ、ＤＶＩケーブル５０１Ａ及びＤＶＩコネクタ２０１Ａを介してアダプタ装置２００Ｂに出力する一方、アダプタ装置２００ＢからＤＶＩコネクタ２０１Ａ、ＤＶＩケーブル５０１Ａ及びＤＶＩコネクタ１０１Ａを介して入力される信号を受信して、信号変換やプロトコル変換を含む所定のインターフェース処理を実行してＣＰＵ１１１に出力する。また、音声信号処理回路１２１は、入力される音声信号を、Ｄ／Ａ変換及び増幅してスピーカ１０２に出力する。さらに、ＤＶＤプレーヤ１００Ａにおいて、ＣＰＵ１１１は、デコーダ１２０からの映像音声信号に含まれる映像信号をアダプタ装置２００Ｂに出力する一方、音声信号に対して、音声信号とＰＤＰ装置４００Ａのディスプレイ４５２から出力される映像信号とを同期させるための所定の遅延処理を行った後で、処理後の音声信号を音声信号処理回路１２１を介してスピーカ１０２に出力する。
【０１０７】
図１０において、アダプタ装置２００Ｂは、図１のアダプタ装置２００Ｂと比較して、ＨＤＭＩ端子２０１、インターフェース２１、映像音声信号処理回路２４、及び無線通信回路２５に代えて、ＤＶＩ端子２０１Ａ、インターフェース２１Ａ、映像信号処理回路２４Ａ、及び無線通信回路２５Ｂを備えて構成される。
【０１０８】
アダプタ装置２００Ｂにおいて、インターフェース２１Ａは、ＤＶＤプレーヤ１００Ａとのインターフェース処理を実行して、ＤＶＩ規格に準拠する信号やデータをＤＶＩコネクタ２０１Ａ、ＤＶＩケーブル５０１Ａ及びＤＶＩコネクタ１０１Ａを介してＤＶＤプレーヤ１００Ａに出力する一方、ＤＶＤプレーヤ１００ＡからＤＶＩコネクタ１０１Ａ、ＤＶＩケーブル５０１Ａ及びＤＶＩコネクタ２０１Ａを介して入力される信号を受信して、信号変換やプロトコル変換を含む所定のインターフェース処理を実行してＣＰＵ１１に出力する。また、アダプタ装置２００Ｂにおいて映像信号処理回路２４Ａは、入力される映像信号に対して所定の圧縮符号化方式で圧縮符号化処理を行い、処理後の映像信号をＣＰＵ１１に出力する。
【０１０９】
さらに、アダプタ装置２００Ｂにおいて、無線通信回路２５Ｂは、入力される映像信号に従って、無線搬送波を所定のディジタル変調方式を用いて映像無線信号にディジタル変調した後、映像無線信号に対して高域周波数変換及び高周波増幅などの高周波信号処理を実行し、処理後の映像無線信号を、アンテナ２６を介して、アダプタ装置３００Ｂに無線送信する。また、無線通信回路２５Ｂは、入力される５Ｖパルス信号、ＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号をアンテナ２６を介して、アダプタ装置３００Ｂに送信する。さらに、無線通信回路２５Ｂは、アンテナ２６で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。これにより、無線通信回路２５Ｂは、入力される映像信号、５Ｖパルス信号、ＡＣＫ信号及びＨＰＤパルス信号発生要求信号を、アダプタ装置３００Ｂに無線送信する一方、アダプタ装置３００ＢからのＨＰＤパルス信号及びＡＣＫ信号を無線受信する。
【０１１０】
図１０において、アダプタ装置３００Ｂは、図１のアダプタ装置３００と比較して、ＨＤＭＩ端子３０１、インターフェース５７、映像音声信号処理回路７４、無画像無音信号発生回路７５、及び無線通信回路５５に代えて、ＤＶＩ端子３０１Ａ、インターフェース５７Ａ、映像信号処理回路７４Ａ、無画像信号発生回路７５Ａ、及び無線通信回路５５Ｂを備えて構成される。
【０１１１】
アダプタ装置３００Ｂにおいて、映像信号処理回路７４Ａは、入力される映像信号に対して所定の復号化方式で復号化処理を行い、処理後の映像信号をＣＰＵ５１に出力する。無画像信号発生回路７５Ａは、所定の仕様を有する黒画像信号を含む無画像信号を発生してＣＰＵ５１に出力する。
【０１１２】
また、アダプタ装置３００Ｂにおいて、インターフェース５７Ａは、ＰＤＰ装置４００Ａとのインターフェース処理を実行して、ＤＶＩ規格に準拠する信号やデータをＤＶＩコネクタ３０１Ａ、ＤＶＩケーブル５０２Ａ及びＤＶＩコネクタ４０１Ａを介してＰＤＰ装置４００Ａに出力する一方、ＰＤＰ装置４００ＡからＤＶＩコネクタ４０１Ａ、ＤＶＩケーブル５０２Ａ及びＤＶＩコネクタ３０１Ａを介して入力される信号を受信して、信号変換やプロトコル変換を含む所定のインターフェース処理を実行してＣＰＵ５１に出力する。
【０１１３】
さらに、アダプタ装置３００Ｂにおいて、無線通信回路５５Ｂは、入力されるＨＰＤパルス信号及びＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号をアンテナ５６を介して、アダプタ装置２００Ｂに対して送信する。また、無線通信回路５５Ｂは、アンテナ５６で受信した映像無線信号に対して低域周波数変換及び高周波増幅などの高周波信号処理を実行し、処理後の映像無線信号を所定のディジタル復調方式を用いてベースバンド信号に復調した後、ベースバンド信号を映像信号に変換してＣＰＵ５１に出力する。さらに、無線通信回路５５Ｂは、アンテナ５６で受信した無線信号に対して低域周波数変換及び高周波増幅などの高周波信号処理を実行し、処理後の無線信号を所定のディジタル復調方式を用いてベースバンド信号に復調した後、ベースバンド信号を５Ｖ電圧信号、ＨＰＤパルス信号発生要求信号又はＡＣＫ信号に変換してＣＰＵ５１に出力する。これにより、無線通信回路５５Ｂは、入力されるＨＰＤパルス信号及びＡＣＫ信号を、アダプタ装置２００Ｂに無線送信する一方、アダプタ装置２００Ｂからの映像信号、５Ｖパルス信号、ＡＣＫ信号及びＨＰＤパルス信号発生要求信号を無線受信する。
【０１１４】
図１０において、ＰＤＰ装置４００Ａは、図１のＰＤＰ装置４００と比較して、ＨＤＭＩ端子４０１及びインターフェース４５０に代えて、ＤＶＩ端子４０１Ａ及びインターフェース４５０Ａを備えて構成される。インターフェース４５０Ａは、アダプタ装置３００Ｂとのインターフェース処理を実行して、ＤＶＩ規格に準拠する信号やデータをＤＶＩコネクタ４０１Ａ、ＤＶＩケーブル５０２Ａ及びＤＶＩコネクタ３０１Ａを介してアダプタ装置３００Ｂに出力する一方、アダプタ装置３００ＢからＤＶＩコネクタ３０１Ａ、ＤＶＩケーブル５０２Ａ及びＤＶＩコネクタ５０１Ａを介して入力される信号を受信して、信号変換やプロトコル変換を含む所定のインターフェース処理を実行してＣＰＵ４１１に出力する。
【０１１５】
上記の実施形態に係る無線伝送システムは、第１の実施形態に係る無線伝送システムと同様の効果を奏する。さらに、以上詳述したように、本実施形態に係るアダプタ装置２００Ｂによれば、ＤＶＤプレーヤ１００ＡのＣＰＵ１１１が発生した５Ｖ電圧信号及び映像信号をそれぞれ含む無線信号をアダプタ装置３００Ｂに無線送信する一方、アダプタ装置３００ＢからのＨＰＤ信号を含む無線信号を受信できる。また、本実施形態に係るアダプタ装置３００Ｂによれば、アダプタ装置２００Ｂからの５Ｖ電圧信号及び映像信号をそれぞれ含む無線信号を受信する一方、ＨＰＤ信号を含む無線信号をアダプタ装置２００Ｂに無線送信できる。従って、ＤＶＤプレーヤ１００ＡのＣＰＵ１１１が発生した５Ｖ電圧信号及び映像信号を、アダプタ装置２００Ｂ及びアダプタ装置３００Ｂを介してＰＤＰ装置４００Ａに無線伝送する一方、ＰＤＰ装置４００ＡのＣＰＵ４１１が発生したＨＰＤ信号を、アダプタ装置３００Ｂ及びアダプタ装置２００Ｂを介してＤＶＤプレーヤ１００Ａに無線伝送できる。すなわち、ＤＶＤプレーヤ１００ＡとＰＤＰ装置４００Ａとの間を無線伝送路で接続することにより、当該接続をＤＶＩケーブルを用いることなく実現して、従来技術に比較して簡単化できる。これにより、アダプタ装置２００Ｂに接続されるＤＶＤプレーヤ１００Ａ及びアダプタ装置３００Ｂに接続されるＰＤＰ装置４００Ａの設置場所の自由度を高めることができる。
【０１１６】
第４の実施形態．
図１１は、本発明の第４の実施形態に係る、ＤＶＤプレーヤ１００Ａと、アダプタ装置２００Ｃ及び３００Ｃと、ＰＤＰ装置４００Ａとを含む無線伝送システムの構成を示すブロック図である。第４の実施形態に係る無線伝送システムは、第３の実施形態に係る無線伝送システムに比較して、アダプタ装置２００Ｂ及び３００Ｂに代えてアダプタ装置２００Ｃ及び３００Ｃを備えたことを特徴とする。また、アダプタ装置２００Ｃはアダプタ装置２００Ｂに比較して、無線通信回路２５Ｂに代えて図９の第２の実施形態に係る無線通信回路２５Ａを備えるとともに無線通信回路２７Ａ及びアンテナ２８をさらに備え、アダプタ装置３００Ｃはアダプタ装置３００Ｂに比較して、無線通信回路５５Ｂに代えて図９の第２の実施形態に係る無線通信回路５５Ａを備えるとともに無線通信回路５７Ａ及びアンテナ５８をさらに備えたことを特徴とする。第４の実施形態に係る無線伝送システムは、第３の実施形態に係る無線伝送システムに比較して、アダプタ装置２００Ｃとアダプタ装置３００Ｃとの間で映像信号を伝送するための無線チャンネルの周波数と、５Ｖパルス信号、ＨＰＤパルス信号、ＡＣＫ信号、及びＨＰＤパルス信号発生要求信号を伝送するための無線チャンネルの周波数とが互いに異なることを特徴とする以下、第２及び第３の実施形態との相違点を詳述する。
【０１１７】
アダプタ装置２００Ｃにおいて、ＣＰＵ１１は、映像信号処理回路２４Ａからの映像信号を無線通信回路２５Ａに出力する一方、５Ｖパルス信号発生回路２２からの５Ｖパルス信号、ＡＣＫ信号及びＨＰＤパルス信号発生要求信号を、無線通信回路２７Ａに出力する。
【０１１８】
また、アダプタ装置２００Ｃにおいて、無線通信回路２７Ａは、入力される５Ｖパルス信号、ＡＣＫ信号及びＨＰＤパルス信号発生要求信号に従って、無線搬送波を所定のディジタル変調方式を用いて無線信号にディジタル変調した後、高域周波数変換などの高周波信号処理を実行し、処理後の無線信号をアンテナ２６を介して、第１の無線チャンネルを用いて、アダプタ装置３００Ｃに無線送信する。さらに、無線通信回路２７Ａは、アンテナ２８で受信した無線信号に対して低域周波数変換及び高周波増幅などの高周波信号処理を実行し、処理後の無線信号を所定のディジタル復調方式を用いてベースバンド信号に復調した後、ベースバンド信号をＨＰＤパルス信号又はＡＣＫ信号に変換してＣＰＵ１１に出力する。
【０１１９】
アダプタ装置３００Ｃにおいて、ＣＰＵ５１は、ＨＰＤパルス信号発生回路７３からのＨＰＤパルス信号及びＡＣＫ信号を、無線通信回路５７Ａに出力する。また、無線通信回路５７Ａは、入力されるＨＰＤパルス信号及びＡＣＫ信号に従って、無線搬送波を所定のディジタル変調方式を用いて無線信号にディジタル変調した後、無線信号に対して高域周波数変換及び高周波増幅などの高周波信号処理を実行し、処理後の無線信号を、アンテナ５８を介して、上記の第１の無線チャンネルと周波数が異なる第２の無線チャンネルを用いて、アダプタ装置２００Ｃに無線送信する一方、アンテナ５８で受信した無線信号に対して低域周波数変換及び高周波増幅などの高周波信号処理を実行し、処理後の無線信号を所定のディジタル復調方式を用いてベースバンド信号に復調した後、ベースバンド信号を５Ｖパルス信号、ＡＣＫ信号、又はＨＰＤパルス信号発生要求信号又に変換してＣＰＵ５１に出力する。
【０１２０】
第４の実施形態に係る無線伝送システムは、第３の実施形態に係る無線伝送システムと同様の効果を奏する。また、映像無線信号をアンテナ２６及び５６を介して、第１の無線チャンネルを用いて無線伝送する一方、音声信号、５Ｖパルス信号、ＨＰＤパルス信号、ＡＣＫ信号、及びＨＰＤパルス信号発生要求信号をそれぞれ含む無線信号を、アンテナ２８及び５８を介して、第２の無線チャンネルを用いて無線伝送したので、第３の実施形態に係る無線伝送システムに比較して、アンテナ２６及び５６を介して、映像無線信号をより大きな伝送容量で無線伝送できる。
【０１２１】
上記の第３及び第４の実施形態において、ＤＶＩ端子とＨＤＭＩ端子とを接続するための公知の変換コネクタを用いて、ＤＶＤプレーヤ１００と、アダプタ装置２００Ｂ又は２００Ｃとを接続してもよい。また、上記の変換コネクタを用いて、ＤＶＤプレーヤ１００Ａと、アダプタ装置２００又は２００Ａとを接続してもよい。さらに、ＰＤＰ装置４００と、アダプタ装置３００Ｂ又は３００Ｃとを接続してもよい。またさらに、ＰＤＰ装置４００Ａと、アダプタ装置３００又は３００Ａとを接続してもよい。
【０１２２】
以上の各実施形態において、アダプタ装置２００及び２００Ａはそれぞれ、ＤＶＤプレーヤ１００に外付けされたが、本発明はこれに限らず、ＤＶＤプレーヤ１００に内蔵されてもよい。また、以上の各実施形態において、アダプタ装置３００及び３００Ａはそれぞれ、ＰＤＰ装置４００に外付けされたが、本発明はこれに限らず、ＰＤＰ装置４００に内蔵されてもよい。さらに、アダプタ装置２００Ｂ及び２００Ｃはそれぞれ、ＤＶＤプレーヤ１００Ａに外付けされたが、本発明はこれに限らず、ＤＶＤプレーヤ１００Ａに内蔵されてもよい。またさらの、以上の各実施形態において、アダプタ装置３００Ｂ及び３００Ｃはそれぞれ、ＰＤＰ装置４００Ａに外付けされたが、本発明はこれに限らず、ＰＤＰ装置４００Ａに内蔵されてもよい。
【産業上の利用可能性】
【０１２３】
以上詳述したように、第１の発明に係る第１の無線通信装置によれば、信号ソース装置からの少なくとも映像信号を含む第１の信号を第１の無線信号として第２の無線通信装置に無線送信する一方、第１の初期化信号を含む第２の無線信号を上記第２の無線通信装置から受信する第１の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。
【０１２４】
第２の発明に係る第２の無線通信装置によれば、少なくとも映像信号を含む第１の信号を含む第１の無線信号を第１の無線通信装置から受信する一方、第１の初期化信号を第２の無線信号として上記第１の無線通信装置に無線送信する第２の無線通信手段と、上記第１の初期化信号を上記第２の無線信号として第１の無線通信装置に無線送信するように上記第２の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線送信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。
【０１２５】
第３の発明に係る第１の無線通信装置によれば、信号ソース装置からの少なくとも映像信号を含む第１の信号を第１の無線信号として第２の無線通信装置に無線送信する第１の無線通信手段と、第１の初期化信号を含む第２の無線信号を上記第２の無線通信装置から受信する第２の無線通信手段と、上記第２の無線信号を上記第１の初期化信号に変換して上記信号ソース装置に出力することにより、所定の第１の初期化処理を実行するように上記信号ソース装置を制御する第１の制御手段とを備える。従って、信号ソース装置によって発生された第１の信号を無線送信する一方、第１の初期化信号を無線受信して信号ソース装置に出力できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置の設置場所の自由度を高めることができる。
【０１２６】
第４の発明に係る第２の無線通信装置によれば、少なくとも映像信号を含む第１の信号を含む第１の無線信号を第１の無線通信装置から受信する第３の無線通信手段と、第１の初期化信号を第２の無線信号として上記第１の無線通信装置に無線送信する第４の無線通信手段と、上記第１の初期化信号を上記第２の無線信号として第１の無線通信装置に無線送信するように上記第４の無線通信手段を制御することにより、所定の第１の初期化処理を実行するように上記第１の無線通信装置に接続された信号ソース装置を制御する第２の制御手段とを備える。従って、第１の無線通信装置からの第１の信号を受信する一方、第１の初期化信号を第１の無線通信装置に無線送信できる。すなわち、信号ソース装置と信号シンク装置との間を無線伝送路で接続することにより、当該接続をケーブルを用いることなく実現して、従来技術に比較して簡単化できる。これにより、上記第２の無線通信装置に接続される信号シンク装置の設置場所の自由度を高めることができる。
【０１２７】
第５の発明に係る無線伝送システムによれば、第１の発明に係る第１の無線通信装置と、第２の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。
【０１２８】
第６の発明に係る無線伝送システムによれば、第３の発明に係る第１の無線通信装置と、第４の発明に係る第２の無線通信装置とを備える。従って、第１の無線通信装置を信号ソース装置に接続し、第２の無線通信装置を信号シンク装置に接続することにより、信号シンク装置によって発生された少なくとも映像信号を含む第１の信号を信号シンク装置に無線送信する一方、第１の初期化信号を信号ソース装置に無線送信できる。すなわち、信号ソース装置と信号シンク装置との間を無線伝送路で接続することにより、当該接続をケーブルを用いることなく実現して、従来技術に比較して簡単化できる。これにより、上記第１の無線通信装置に接続される信号ソース装置及び上記第２の無線通信装置に接続される信号シンク装置の設置場所の自由度を高めることができる。
【図面の簡単な説明】
【０１２９】
【図１】本発明の第１の実施形態に係る、ＤＶＤプレーヤ１００と、アダプタ装置２００及び３００と、ＰＤＰ装置４００とを含む無線伝送システムの構成を示すブロック図である。
【図２】図１の無線伝送システムの第１の動作例を示すシーケンス図である。
【図３】図１の無線伝送システムの第２の動作例を示すシーケンス図である。
【図４】図１の無線伝送システムの第３の動作例を示すシーケンス図である。
【図５】図１の無線伝送システムの第４の動作例を示すシーケンス図である。
【図６】図１の無線伝送システムの第５の動作例を示すシーケンス図である。
【図７】図１のＤＶＤプレーヤ１００によって発生されてアダプタ装置２００に出力される５Ｖ電圧信号を示すグラフ（ａ）と、図１のアダプタ装置２００によって発生されてアダプタ装置３００に無線送信される５Ｖパルス信号を示すグラフ（ｂ）と、図１のアダプタ装置３００によって発生されてＰＤＰ装置４００に出力される５Ｖ電圧信号を示すグラフ（ｃ）である。
【図８】図１のＰＤＰ装置４００によって発生されてアダプタ装置３００に出力されるＨＰＤ信号を示すグラフ（ａ）と、図１のアダプタ装置３００によって発生されてアダプタ装置２００に無線送信されるＨＰＤパルス信号を示すグラフ（ｂ）と、図１のアダプタ装置２００によって発生されてＤＶＤプレーヤ１００に出力されるＨＰＤ信号を示すグラフ（ｃ）である。
【図９】本発明の第２の実施形態に係る、ＤＶＤプレーヤ１００と、アダプタ装置２００Ａ及び３００Ａと、ＰＤＰ装置４００とを含む無線伝送システムの構成を示すブロック図である。
【図１０】本発明の第３の実施形態に係る、ＤＶＤプレーヤ１００Ａと、アダプタ装置２００Ｂ及び３００Ｂと、ＰＤＰ装置４００Ａとを含む無線伝送システムの構成を示すブロック図である。
【図１１】本発明の第４の実施形態に係る、ＤＶＤプレーヤ１００Ａと、アダプタ装置２００Ｃ及び３００Ｃと、ＰＤＰ装置４００Ａとを含む無線伝送システムの構成を示すブロック図である。
【符号の説明】
【０１３０】
１０，５０，１１０，４１０…コントローラ、
１１，５１，１１１，４１１…ＣＰＵ、
１２，５２，１１２，４１２…ＲＡＭ、
１３，５３，１１３，４１３…ＲＯＭ、
１４，５４，１１４，４１５…バス、
２１，２１Ａ，５７，１５０，１５０Ａ，４５０，４５０Ａ…インターフェース、
２２…５Ｖパルス信号発生回路、
２３…ＨＰＤ信号発生回路、
２４，７４…映像音声信号処理回路、
２４Ａ，７４Ａ…映像信号処理回路、
２５，２５Ａ，２５Ｂ，２７，２７Ａ，５５，５５Ａ，５５Ｂ，５７，５７Ａ…無線通信回路、
２６，２８，５６，５８…アンテナ、
７２…５Ｖ電圧信号発生回路、
７３…ＨＰＤパルス信号発生回路、
７５…無画像無音信号発生回路、
７５Ａ…無画像信号発生回路、
１００，１００Ａ…ＤＶＤプレーヤ、
１０１，２０１，３０１，４０１…ＨＤＭＩ端子、
１０１Ａ，２０１Ａ，３０１Ａ，４０１Ａ…ＤＶＩ端子、
１０２…スピーカ、
１２０…デコーダ、
１２１，４５３…音声信号処理回路、
１３０…ＤＶＤドライブ、
１４０…ＤＶＤ、
２００，２００Ａ，２００Ｂ，２００Ｃ，３００，３００Ａ，３００Ｂ，３００Ｃ…アダプタ装置、
４００，４００Ａ…ＰＤＰ装置、
４１４…ＥＤＩＤメモリ、
４５１…映像信号処理回路、
４５２…ディスプレイ、
４５４…スピーカ、
５０１，５０２…ＨＤＭＩケーブル、
５０１Ａ，５０２Ａ…ＤＶＩケーブル。
【手続補正３】
【補正対象書類名】図面
【補正対象項目名】全図
【補正方法】変更
【補正の内容】
【図１】
2007037478.tif 000014
【図２】
2007037478.tif 000015
【図３】
2007037478.tif 000016
【図４】
2007037478.tif 000017
【図５】
2007037478.tif 000018
【図６】
2007037478.tif 000019
【図７】
2007037478.tif 000020
【図８】
2007037478.tif 000021
【図９】
2007037478.tif 000022
【図１０】
2007037478.tif 000023
【図１１】
2007037478.tif 000024
【国際調査報告】
2007037478.tif 000025
2007037478.tif 000026
2007037478.tif 000027
2007037478.tif 000028